(57)【特許請求の範囲】
【請求項１】
第1のダウンリンクサブフレーム集合を決定するステップであって、前記第1のダウンリンクサブフレーム集合は、第1のアップリンク-ダウンリンク構成と第2のアップリンク-ダウンリンク構成との両方において第1のアップリンクサブフレームに関連する、決定するステップと、
前記第1のアップリンクサブフレーム内で、前記第1のアップリンク-ダウンリンク構成のHARQタイミングに従って第1のPUCCHリソース領域を決定するステップであって、前記第1のPUCCHリソース領域は、前記第1のダウンリンクサブフレーム集合のHARQフィードバック情報のために予約されたリソース領域である、決定するステップと
を含む、リソース割当方法であって、
前記第1のアップリンク-ダウンリンク構成は、ユーザ機器UEの第1のグループによって使用されるアップリンク-ダウンリンク構成であり、UEの前記第1のグループは、動的TDDアップリンク-ダウンリンク構成を用いては構成されないUEであり、
前記第2のアップリンク-ダウンリンク構成は、UEの第2のグループに適用され、かつUEの前記第2のグループのHARQタイミングを示すのに使用される基準アップリンク-ダウンリンク構成であり、UEの前記第2のグループは、動的TDDアップリンク-ダウンリンク構成を用いて構成されるUEであり、
前記第1のダウンリンクサブフレーム集合は、ダウンリンクサブフレーム集合Aとダウンリンクサブフレーム集合Bとの積集合であり、前記ダウンリンクサブフレーム集合Aは、前記第1のアップリンク-ダウンリンク構成のHARQタイミングに従って決定された前記第1のアップリンクサブフレームに関連するダウンリンクサブフレーム集合であり、前記ダウンリンクサブフレーム集合Bは、前記第2のアップリンク-ダウンリンク構成のHARQタイミングに従って決定された前記第1のアップリンクサブフレームに関連するダウンリンクサブフレーム集合であり、
前記方法は、
第2のダウンリンクサブフレーム集合を決定するステップであって、前記第2のダウンリンクサブフレーム集合は、前記第2のアップリンク-ダウンリンク構成において前記第1のアップリンクサブフレームに関連し、前記第2のダウンリンクサブフレーム集合は、前記第1のアップリンク-ダウンリンク構成において前記第1のアップリンクサブフレームに関連しない、決定するステップと、
前記第1のアップリンクサブフレーム内で、第2のPUCCHリソース領域を決定するステップであって、前記第2のPUCCHリソース領域は、前記第2のダウンリンクサブフレーム集合のHARQフィードバック情報のために予約されたリソース領域である、決定するステップと
をさらに含み、
前記第1のアップリンクサブフレーム内で、第2のPUCCHリソース領域を決定する前記ステップは、
M2およびiを決定するステップであって、M2は、前記第2のダウンリンクサブフレーム集合内の要素の量であり、iは、前記第2のダウンリンクサブフレーム集合内のダウンリンクサブフレームのシーケンス番号である、決定するステップと、
第2のオフセットNΔを決定するステップと、
前記第1のアップリンクサブフレーム内で、M2、i、および前記第2のオフセットNΔに従って前記第2のPUCCHリソース領域を決定するステップと
を含む、
方法。
【請求項２】
第1のダウンリンクサブフレーム集合を決定するステップであって、前記第1のダウンリンクサブフレーム集合は、第1のアップリンク-ダウンリンク構成と第2のアップリンク-ダウンリンク構成との両方において第1のアップリンクサブフレームに関連する、決定するステップと、
前記第1のアップリンクサブフレーム内で、前記第1のアップリンク-ダウンリンク構成のHARQタイミングに従って第1のPUCCHリソース領域を決定するステップであって、前記第1のPUCCHリソース領域は、前記第1のダウンリンクサブフレーム集合のHARQフィードバック情報のために予約されたリソース領域である、決定するステップと
を含む、リソース割当方法であって、
前記第1のアップリンク-ダウンリンク構成は、ユーザ機器UEの第1のグループによって使用されるアップリンク-ダウンリンク構成であり、UEの前記第1のグループは、動的TDDアップリンク-ダウンリンク構成を用いては構成されないUEであり、
前記第2のアップリンク-ダウンリンク構成は、UEの第2のグループに適用され、かつUEの前記第2のグループのHARQタイミングを示すのに使用される基準アップリンク-ダウンリンク構成であり、UEの前記第2のグループは、動的TDDアップリンク-ダウンリンク構成を用いて構成されるUEであり、
前記第1のダウンリンクサブフレーム集合は、ダウンリンクサブフレーム集合Aとダウンリンクサブフレーム集合Bとの積集合であり、前記ダウンリンクサブフレーム集合Aは、前記第1のアップリンク-ダウンリンク構成のHARQタイミングに従って決定された前記第1のアップリンクサブフレームに関連するダウンリンクサブフレーム集合であり、前記ダウンリンクサブフレーム集合Bは、前記第2のアップリンク-ダウンリンク構成のHARQタイミングに従って決定された前記第1のアップリンクサブフレームに関連するダウンリンクサブフレーム集合であり、
前記方法は、
第2のダウンリンクサブフレーム集合を決定するステップであって、前記第2のダウンリンクサブフレーム集合は、前記第2のアップリンク-ダウンリンク構成において前記第1のアップリンクサブフレームに関連し、前記第2のダウンリンクサブフレーム集合は、前記第1のアップリンク-ダウンリンク構成において前記第1のアップリンクサブフレームに関連しない、決定するステップと、
前記第1のアップリンクサブフレーム内で、第2のPUCCHリソース領域を決定するステップであって、前記第2のPUCCHリソース領域は、前記第2のダウンリンクサブフレーム集合のHARQフィードバック情報のために予約されたリソース領域である、決定するステップと
をさらに含み、
前記第1のアップリンクサブフレーム内で、第2のPUCCHリソース領域を決定する前記ステップは、
M2およびiを決定し、第1のシグナリングを送信するステップであって、前記第1のシグナリングは、M2およびiを示し、M2は、前記第2のダウンリンクサブフレーム集合内の、それのためにPUCCHリソース領域がPDCCHリソース領域に従って予約される必要があるダウンリンクサブフレームの量であり、iは、前記第2のダウンリンクサブフレーム集合内の、それのためにPUCCHリソース領域がPDCCHリソース領域に従って予約される必要があるダウンリンクサブフレームのシーケンス番号である、決定し送信するステップと、
第2のオフセットNΔを決定するステップと、
前記第1のアップリンクサブフレーム内で、M2、i、および前記第2のオフセットNΔに従って前記第2のPUCCHリソース領域を決定するステップと
を含む、
方法。
【請求項３】
前記第1のアップリンクサブフレーム内で、前記第1のアップリンク-ダウンリンク構成のHARQタイミングに従って第1のPUCCHリソース領域を決定する前記ステップは、具体的には、
前記第1のアップリンクサブフレーム内で、M1およびjに従って前記第1のダウンリンクサブフレーム集合内のダウンリンクサブフレームの前記第1のPUCCHリソース領域を決定するステップであって、M1は、前記第1のアップリンク-ダウンリンク構成の前記HARQタイミングに従って決定される、前記第1のアップリンクサブフレームに関連するダウンリンクサブフレーム集合A内の要素の量であり、jは、前記ダウンリンクサブフレーム集合A内の、前記第1のダウンリンクサブフレーム集合内のダウンリンクサブフレームのシーケンス番号である、決定するステップ
である、請求項1または2に記載の方法。
【請求項４】
M1およびjに従って前記第1のダウンリンクサブフレーム集合内のダウンリンクサブフレームの前記第1のPUCCHリソース領域を決定する前記ステップは、
式
【数１】
0006629727.tif 000328
に従って前記第1のPUCCHリソース領域を決定するステップであって、
【数２】
0006629727.tif 000329
は、前記第1のPUCCHリソース領域内のPUCCHリソースであり、pxは、アンテナポート番号であり、xは、非負の整数であり、
【数３】
0006629727.tif 000330
であり、
【数４】
0006629727.tif 000331
は、ダウンリンクシステム帯域幅であり、
【数５】
0006629727.tif 000332
は、リソースブロックの周波数領域サイズであり、cは、{0, 1, 2, 3}に属し、Nc≦nCCE<Nc+1になるようにされ、nCCEは、前記第1のダウンリンクサブフレーム集合内のダウンリンクサブフレーム内で送信されるPDCCHによって占められる第1のCCEの番号であり、
【数６】
0006629727.tif 000333
は、前記第1のPUCCHリソース領域のオフセットである、決定するステップ
を特に含む、請求項3に記載の方法。
【請求項５】
第2のオフセットNΔを決定する前記ステップは、
前記第2のオフセットNΔが前記第1のアップリンク-ダウンリンク構成において前記第1のアップリンクサブフレームに関連するダウンリンクサブフレームの量に1つのダウンリンクサブフレーム内で構成され得るCCEの最大量を乗じたものと等しいと決定するステップ、あるいは、
前記第2のオフセットNΔを構成し、第2のシグナリングを送信するステップであって、前記第2のシグナリングは、前記第2のオフセットNΔまたは
【数７】
0006629727.tif 000334
を示し、
【数８】
0006629727.tif 000335
である、構成し送信するステップ、あるいは、
前記第2のオフセットNΔ=M1×Ncを構成し、第3のシグナリングを送信するステップであって、前記第3のシグナリングは、cの値を示す、構成し送信するステップであって、
【数９】
0006629727.tif 000336
であり、cは、{0, 1, 2, 3}に属し、Nc≦nCCE<Nc+1になるように、構成し送信するステップ
を含む、請求項4に記載の方法。
【請求項６】
前記第1のアップリンクサブフレーム内で、M2、i、および前記第2のオフセットNΔに従って前記第2のPUCCHリソース領域を決定する前記ステップは、
式
【数１０】
0006629727.tif 000337
に従って前記第2のPUCCHリソース領域を決定するステップであって、
【数１１】
0006629727.tif 000338
は、前記第2のPUCCHリソース領域内のPUCCHリソースであり、pxは、アンテナポート番号であり、xは、非負の整数であり、
【数１２】
0006629727.tif 000339
であり、
【数１３】
0006629727.tif 000340
は、ダウンリンクシステム帯域幅であり、
【数１４】
0006629727.tif 000341
は、リソースブロックの周波数領域サイズであり、cは、{0, 1, 2, 3}に属し、
【数１５】
0006629727.tif 000342
になるようにされ、
【数１６】
0006629727.tif 000343
は、前記第2のダウンリンクサブフレーム集合内のダウンリンクサブフレーム内で送信されるPDCCHによって占められる第1のCCEの番号であり、
【数１７】
0006629727.tif 000344
は、前記第2のPUCCHリソース領域のオフセットである、決定するステップ
を含む、請求項5に記載の方法。
【請求項７】
UEによって、第1のダウンリンクサブフレーム集合を決定するステップであって、前記第1のダウンリンクサブフレーム集合は、第1のアップリンク-ダウンリンク構成と第2のアップリンク-ダウンリンク構成との両方において第1のアップリンクサブフレームに関連する、決定するステップであって、前記第1のダウンリンクサブフレーム集合は、ダウンリンクサブフレーム集合Aとダウンリンクサブフレーム集合Bとの積集合であり、前記ダウンリンクサブフレーム集合Aは、前記第1のアップリンク-ダウンリンク構成のHARQタイミングに従って決定された前記第1のアップリンクサブフレームに関連するダウンリンクサブフレーム集合であり、前記ダウンリンクサブフレーム集合Bは、前記第2のアップリンク-ダウンリンク構成のHARQタイミングに従って決定された前記第1のアップリンクサブフレームに関連するダウンリンクサブフレーム集合である、決定するステップと、
前記UEによって、第3のダウンリンクサブフレーム内で第1のPDCCHを受信し、前記第3のダウンリンクサブフレームが前記第1のダウンリンクサブフレーム集合に属する時に、前記第1のアップリンクサブフレーム内で、前記第1のアップリンク-ダウンリンク構成のHARQタイミングに従って第3のPUCCHリソースを決定するステップであって、前記第3のPUCCHリソースは、前記第1のPDCCHによってスケジューリングされたPDSCHのHARQフィードバック情報または前記第1のPDCCHによって示されるダウンリンクSPSリリースシグナリングのHARQフィードバック情報によって占められるPUCCHリソースである、受信し決定するステップと
を含む、リソース割当方法であって、
前記UEは、第2のグループのUEであり、UEの前記第2のグループは、動的TDDアップリンク-ダウンリンク構成を用いて構成されるUEであり、
前記第1のアップリンク-ダウンリンク構成は、ユーザ機器UEの第1のグループによって使用されるアップリンク-ダウンリンク構成であり、UEの前記第1のグループは、動的TDDアップリンク-ダウンリンク構成を用いては構成されないUEであり、
前記第2のアップリンク-ダウンリンク構成は、UEの前記第2のグループに適用されかつUEの前記第2のグループのHARQタイミングを示すのに使用される基準アップリンク-ダウンリンク構成であるか、またはUEの前記第2のグループのアップリンク-ダウンリンクサブフレーム割当を示すのに使用されるアップリンク-ダウンリンク構成であり、
前記UEによって、第2のダウンリンクサブフレーム集合を決定するステップであって、前記第2のダウンリンクサブフレーム集合は、前記第2のアップリンク-ダウンリンク構成において前記第1のアップリンクサブフレームに関連し、前記第2のダウンリンクサブフレーム集合は、前記第1のアップリンク-ダウンリンク構成において前記第1のアップリンクサブフレームに関連しない、決定するステップと、
前記UEによって、第4のダウンリンクサブフレーム内で第2のPDCCHを受信し、前記第4のダウンリンクサブフレームが前記第2のダウンリンクサブフレーム集合に属する時に、第4のPUCCHリソースを決定するステップであって、前記第4のPUCCHリソースは、前記第2のPDCCHによってスケジューリングされたPDSCHのHARQフィードバック情報または前記第2のPDCCHによって示されるダウンリンクSPSリリースシグナリングのHARQフィードバック情報によって占められるPUCCHリソースである、受信し決定するステップと、をさらに含み、
前記第4のPUCCHリソースを決定する前記ステップは、
M2およびiを決定するステップであって、M2は、前記第2のダウンリンクサブフレーム集合内の要素の量であり、iは、前記第2のダウンリンクサブフレーム集合内の前記第4のダウンリンクサブフレームのシーケンス番号である、決定するステップと、
第2のオフセットNΔを決定するステップと、
前記第1のアップリンクサブフレーム内で、M2、i、および前記第2のオフセットNΔに従って前記第4のPUCCHリソースを決定するステップと
を含む、
リソース割当方法。
【請求項８】
UEによって、第1のダウンリンクサブフレーム集合を決定するステップであって、前記第1のダウンリンクサブフレーム集合は、第1のアップリンク-ダウンリンク構成と第2のアップリンク-ダウンリンク構成との両方において第1のアップリンクサブフレームに関連する、決定するステップであって、前記第1のダウンリンクサブフレーム集合は、ダウンリンクサブフレーム集合Aとダウンリンクサブフレーム集合Bとの積集合であり、前記ダウンリンクサブフレーム集合Aは、前記第1のアップリンク-ダウンリンク構成のHARQタイミングに従って決定された前記第1のアップリンクサブフレームに関連するダウンリンクサブフレーム集合であり、前記ダウンリンクサブフレーム集合Bは、前記第2のアップリンク-ダウンリンク構成のHARQタイミングに従って決定された前記第1のアップリンクサブフレームに関連するダウンリンクサブフレーム集合である、決定するステップと、
前記UEによって、第3のダウンリンクサブフレーム内で第1のPDCCHを受信し、前記第3のダウンリンクサブフレームが前記第1のダウンリンクサブフレーム集合に属する時に、前記第1のアップリンクサブフレーム内で、前記第1のアップリンク-ダウンリンク構成のHARQタイミングに従って第3のPUCCHリソースを決定するステップであって、前記第3のPUCCHリソースは、前記第1のPDCCHによってスケジューリングされたPDSCHのHARQフィードバック情報または前記第1のPDCCHによって示されるダウンリンクSPSリリースシグナリングのHARQフィードバック情報によって占められるPUCCHリソースである、受信し決定するステップと
を含む、リソース割当方法であって、
前記UEは、第2のグループのUEであり、UEの前記第2のグループは、動的TDDアップリンク-ダウンリンク構成を用いて構成されるUEであり、
前記第1のアップリンク-ダウンリンク構成は、ユーザ機器UEの第1のグループによって使用されるアップリンク-ダウンリンク構成であり、UEの前記第1のグループは、動的TDDアップリンク-ダウンリンク構成を用いては構成されないUEであり、
前記第2のアップリンク-ダウンリンク構成は、UEの前記第2のグループに適用されかつUEの前記第2のグループのHARQタイミングを示すのに使用される基準アップリンク-ダウンリンク構成であるか、またはUEの前記第2のグループのアップリンク-ダウンリンクサブフレーム割当を示すのに使用されるアップリンク-ダウンリンク構成であり、
前記UEによって、第2のダウンリンクサブフレーム集合を決定するステップであって、前記第2のダウンリンクサブフレーム集合は、前記第2のアップリンク-ダウンリンク構成において前記第1のアップリンクサブフレームに関連し、前記第2のダウンリンクサブフレーム集合は、前記第1のアップリンク-ダウンリンク構成において前記第1のアップリンクサブフレームに関連しない、決定するステップと、
前記UEによって、第4のダウンリンクサブフレーム内で第2のPDCCHを受信し、前記第4のダウンリンクサブフレームが前記第2のダウンリンクサブフレーム集合に属する時に、第4のPUCCHリソースを決定するステップであって、前記第4のPUCCHリソースは、前記第2のPDCCHによってスケジューリングされたPDSCHのHARQフィードバック情報または前記第2のPDCCHによって示されるダウンリンクSPSリリースシグナリングのHARQフィードバック情報によって占められるPUCCHリソースである、受信し決定するステップと、をさらに含み、
前記第4のPUCCHリソースを決定する前記ステップは、
第1のシグナリングを受信し、M2およびiを決定するステップであって、前記第1のシグナリングは、M2およびiを示し、M2は、前記第2のダウンリンクサブフレーム集合内の、それのためにPUCCHリソース領域がPDCCHリソース領域に従って予約される必要があるダウンリンクサブフレームの量であり、iは、前記第4のダウンリンクサブフレームのシーケンス番号である、受信し決定するステップと、
第2のオフセットNΔを決定するステップと、
前記第1のアップリンクサブフレーム内で、M2、i、および前記第2のオフセットNΔに従って前記第4のPUCCHリソースを決定するステップと
を含む、
リソース割当方法。
【請求項９】
前記第1のアップリンクサブフレーム内で、前記第1のアップリンク-ダウンリンク構成のHARQタイミングに従って第3のPUCCHリソースを決定する前記ステップは、
前記第1のアップリンクサブフレーム内で、M1およびjに従って前記第3のダウンリンクサブフレームの前記第3のPUCCHリソースを決定するステップであって、M1は、前記第1のアップリンク-ダウンリンク構成の前記HARQタイミングに従って決定される、前記第1のアップリンクサブフレームに関連するダウンリンクサブフレーム集合A内の要素の量であり、jは、前記ダウンリンクサブフレーム集合A内の前記第3のダウンリンクサブフレームのシーケンス番号である、決定するステップ
を含む、請求項7または8に記載の方法。
【請求項１０】
M1およびjに従って前記第3のダウンリンクサブフレームの前記第3のPUCCHリソースを決定する前記ステップは、
式
【数１８】
0006629727.tif 000345
に従って前記第3のPUCCHリソースを決定するステップであって、
【数１９】
0006629727.tif 000346
は、前記第3のPUCCHリソースであり、pxは、アンテナポート番号であり、xは、非負の整数であり、
【数２０】
0006629727.tif 000347
であり、
【数２１】
0006629727.tif 000348
は、ダウンリンクシステム帯域幅であり、
【数２２】
0006629727.tif 000349
は、リソースブロックの周波数領域サイズであり、cは、{0, 1, 2, 3}に属し、Nc≦nCCE<Nc+1になるようにされ、nCCEは、前記第1のPDCCHによって占められる第1のCCEの番号であり、
【数２３】
0006629727.tif 000350
は、前記第3のPUCCHリソースのオフセットである、決定するステップ
を含む、請求項9に記載の方法。
【請求項１１】
第2のオフセットNΔを決定する前記ステップは、
前記第2のオフセットNΔが前記第1のアップリンク-ダウンリンク構成において前記第1のアップリンクサブフレームに関連するダウンリンクサブフレームの量に1つのダウンリンクサブフレーム内で構成され得るCCEの最大量を乗じたものと等しいと決定するステップ、あるいは、
第2のシグナリングを受信し、前記第2のオフセットNΔを決定するステップであって、前記第2のシグナリングは、前記第2のオフセットNΔまたは
【数２４】
0006629727.tif 000351
を示し、
【数２５】
0006629727.tif 000352
である、受信し決定するステップ、あるいは、
第3のシグナリングを受信し、前記第2のオフセットNΔ=M1×Ncを決定するステップであって、前記第3のシグナリングは、cの値を示す、受信し決定するステップであって、
【数２６】
0006629727.tif 000353
であり、cは、{0, 1, 2, 3}に属し、Nc≦nCCE<Nc+1になるように、受信し決定するステップ
を含む、請求項10に記載の方法。
【請求項１２】
前記第1のアップリンクサブフレーム内で、M2、i、および前記第2のオフセットNΔに従って前記第4のPUCCHリソースを決定する前記ステップは、
式
【数２７】
0006629727.tif 000354
に従って前記第4のPUCCHリソースを決定するステップであって、
【数２８】
0006629727.tif 000355
は、前記第4のPUCCHリソースであり、pxは、アンテナポート番号であり、xは、非負の整数であり、
【数２９】
0006629727.tif 000356
であり、
【数３０】
0006629727.tif 000357
は、ダウンリンクシステム帯域幅であり、
【数３１】
0006629727.tif 000358
は、リソースブロックの周波数領域サイズであり、cは、{0, 1, 2, 3}に属し、
【数３２】
0006629727.tif 000359
になるようにされ、
【数３３】
0006629727.tif 000360
は、前記第2のPDCCHによって占められる第1のCCEの番号であり、
【数３４】
0006629727.tif 000361
は、前記第4のPUCCHリソースのオフセットである、決定するステップ
を含む、請求項11に記載の方法。
【請求項１３】
トランシーバ基地局BTSと基地局制御装置BSCとを含む基地局であって、前記トランシーバ基地局は、前記基地局制御装置に結合され、前記基地局制御装置は、第1のダウンリンクサブフレーム集合を決定し、前記第1のダウンリンクサブフレーム集合は、第1のアップリンク-ダウンリンク構成と第2のアップリンク-ダウンリンク構成との両方において第1のアップリンクサブフレームに関連し;前記第1のアップリンクサブフレーム内で、前記第1のアップリンク-ダウンリンク構成のHARQタイミングに従って第1のPUCCHリソース領域を決定し、前記第1のPUCCHリソース領域は、前記第1のダウンリンクサブフレーム集合のHARQフィードバック情報のために予約されたリソース領域であるように構成される、基地局であって、
前記第1のアップリンク-ダウンリンク構成は、ユーザ機器UEの第1のグループによって使用されるアップリンク-ダウンリンク構成であり、UEの前記第1のグループは、動的TDDアップリンク-ダウンリンク構成を用いては構成されないUEであり、
前記第2のアップリンク-ダウンリンク構成は、UEの第2のグループに適用され、かつUEの前記第2のグループのHARQタイミングを示すのに使用される基準アップリンク-ダウンリンク構成であり、UEの前記第2のグループは、動的TDDアップリンク-ダウンリンク構成を用いて構成されるUEであり、
前記第1のダウンリンクサブフレーム集合は、ダウンリンクサブフレーム集合Aとダウンリンクサブフレーム集合Bとの積集合であり、前記ダウンリンクサブフレーム集合Aは、前記第1のアップリンク-ダウンリンク構成のHARQタイミングに従って決定された前記第1のアップリンクサブフレームに関連するダウンリンクサブフレーム集合であり、前記ダウンリンクサブフレーム集合Bは、前記第2のアップリンク-ダウンリンク構成のHARQタイミングに従って決定された前記第1のアップリンクサブフレームに関連するダウンリンクサブフレーム集合であり、
前記基地局制御装置は、第2のダウンリンクサブフレーム集合を決定し、前記第2のダウンリンクサブフレーム集合は、前記第2のアップリンク-ダウンリンク構成において前記第1のアップリンクサブフレームに関連し、前記第2のダウンリンクサブフレーム集合は、前記第1のアップリンク-ダウンリンク構成において前記第1のアップリンクサブフレームに関連せず;前記第1のアップリンクサブフレーム内で、第2のPUCCHリソース領域を決定し、前記第2のPUCCHリソース領域は、前記第2のダウンリンクサブフレーム集合のHARQフィードバック情報のために予約されたリソース領域であるように構成され、
前記基地局制御装置は、M2およびiを決定し、M2は、前記第2のダウンリンクサブフレーム集合内の要素の量であり、iは、前記第2のダウンリンクサブフレーム集合内のダウンリンクサブフレームのシーケンス番号であり;第2のオフセットNΔを決定し;前記第1のアップリンクサブフレーム内で、M2、i、および前記第2のオフセットNΔに従って前記第2のPUCCHリソース領域を決定するようにさらに構成される、
基地局。
【請求項１４】
トランシーバ基地局BTSと基地局制御装置BSCとを含む基地局であって、前記トランシーバ基地局は、前記基地局制御装置に結合され、前記基地局制御装置は、第1のダウンリンクサブフレーム集合を決定し、前記第1のダウンリンクサブフレーム集合は、第1のアップリンク-ダウンリンク構成と第2のアップリンク-ダウンリンク構成との両方において第1のアップリンクサブフレームに関連し;前記第1のアップリンクサブフレーム内で、前記第1のアップリンク-ダウンリンク構成のHARQタイミングに従って第1のPUCCHリソース領域を決定し、前記第1のPUCCHリソース領域は、前記第1のダウンリンクサブフレーム集合のHARQフィードバック情報のために予約されたリソース領域であるように構成される、基地局であって、
前記第1のアップリンク-ダウンリンク構成は、ユーザ機器UEの第1のグループによって使用されるアップリンク-ダウンリンク構成であり、UEの前記第1のグループは、動的TDDアップリンク-ダウンリンク構成を用いては構成されないUEであり、
前記第2のアップリンク-ダウンリンク構成は、UEの第2のグループに適用され、かつUEの前記第2のグループのHARQタイミングを示すのに使用される基準アップリンク-ダウンリンク構成であり、UEの前記第2のグループは、動的TDDアップリンク-ダウンリンク構成を用いて構成されるUEであり、
前記第1のダウンリンクサブフレーム集合は、ダウンリンクサブフレーム集合Aとダウンリンクサブフレーム集合Bとの積集合であり、前記ダウンリンクサブフレーム集合Aは、前記第1のアップリンク-ダウンリンク構成のHARQタイミングに従って決定された前記第1のアップリンクサブフレームに関連するダウンリンクサブフレーム集合であり、前記ダウンリンクサブフレーム集合Bは、前記第2のアップリンク-ダウンリンク構成のHARQタイミングに従って決定された前記第1のアップリンクサブフレームに関連するダウンリンクサブフレーム集合であり、
前記基地局制御装置は、第2のダウンリンクサブフレーム集合を決定し、前記第2のダウンリンクサブフレーム集合は、前記第2のアップリンク-ダウンリンク構成において前記第1のアップリンクサブフレームに関連し、前記第2のダウンリンクサブフレーム集合は、前記第1のアップリンク-ダウンリンク構成において前記第1のアップリンクサブフレームに関連せず;前記第1のアップリンクサブフレーム内で、第2のPUCCHリソース領域を決定し、前記第2のPUCCHリソース領域は、前記第2のダウンリンクサブフレーム集合のHARQフィードバック情報のために予約されたリソース領域であるように構成され、
前記基地局制御装置は、M2およびiを決定し、第1のシグナリングを送信し、前記第1のシグナリングは、M2およびiを示し、M2は、前記第2のダウンリンクサブフレーム集合内の、それのためにPUCCHリソース領域がPDCCHリソース領域に従って予約される必要があるダウンリンクサブフレームの量であり、iは、前記第2のダウンリンクサブフレーム集合内の、それのためにPUCCHリソース領域がPDCCHリソース領域に従って予約される必要があるダウンリンクサブフレームのシーケンス番号であり;第2のオフセットNΔを決定し;前記第1のアップリンクサブフレーム内で、M2、i、および前記第2のオフセットNΔに従って前記第2のPUCCHリソース領域を決定するようにさらに構成される、
基地局。
【請求項１５】
前記基地局制御装置は、前記第1のアップリンクサブフレーム内で、M1およびjに従って前記第1のダウンリンクサブフレーム集合内のダウンリンクサブフレームの前記第1のPUCCHリソース領域を決定するようにさらに構成され、M1は、前記第1のアップリンク-ダウンリンク構成の前記HARQタイミングに従って決定される、前記第1のアップリンクサブフレームに関連するダウンリンクサブフレーム集合A内の要素の量であり、jは、前記ダウンリンクサブフレーム集合A内の、前記第1のダウンリンクサブフレーム集合内のダウンリンクサブフレームのシーケンス番号である、請求項13または14に記載の基地局。
【請求項１６】
前記基地局制御装置は、式
【数３５】
0006629727.tif 000362
に従って前記第1のPUCCHリソース領域を決定するようにさらに構成され、
【数３６】
0006629727.tif 000363
は、前記第1のPUCCHリソース領域内のPUCCHリソースであり、pxは、アンテナポート番号であり、xは、非負の整数であり、
【数３７】
0006629727.tif 000364
であり、
【数３８】
0006629727.tif 000365
は、ダウンリンクシステム帯域幅であり、
【数３９】
0006629727.tif 000366
は、リソースブロックの周波数領域サイズであり、cは、{0, 1, 2, 3}に属し、Nc≦nCCE<Nc+1になるようにされ、nCCEは、前記第1のダウンリンクサブフレーム集合内のダウンリンクサブフレーム内で送信されるPDCCHによって占められる第1のCCEの番号であり、
【数４０】
0006629727.tif 000367
は、前記第1のPUCCHリソース領域のオフセットである、請求項15に記載の基地局。
【請求項１７】
前記基地局制御装置は、前記第2のオフセットNΔが前記第1のアップリンク-ダウンリンク構成において前記第1のアップリンクサブフレームに関連するダウンリンクサブフレームの量に1つのダウンリンクサブフレーム内で構成され得るCCEの最大量を乗じたものと等しいと決定し;あるいは前記第2のオフセットNΔを構成し、第2のシグナリングを送信し、前記第2のシグナリングは、前記第2のオフセットNΔまたは
【数４１】
0006629727.tif 000368
を示し、
【数４２】
0006629727.tif 000369
であり;あるいは前記第2のオフセットNΔ=M1×Ncを構成し、第3のシグナリングを送信し、前記第3のシグナリングは、cの値を示すようにさらに構成され;
【数４３】
0006629727.tif 000370
であり、cは、{0, 1, 2, 3}に属し、Nc≦nCCE<Nc+1になる請求項16に記載の基地局。
【請求項１８】
前記基地局制御装置は、式
【数４４】
0006629727.tif 000371
に従って前記第2のPUCCHリソース領域を決定するようにさらに構成され、
【数４５】
0006629727.tif 000372
は、前記第2のPUCCHリソース領域内のPUCCHリソースであり、pxは、アンテナポート番号であり、xは、非負の整数であり、
【数４６】
0006629727.tif 000373
であり、
【数４７】
0006629727.tif 000374
は、ダウンリンクシステム帯域幅であり、
【数４８】
0006629727.tif 000375
は、リソースブロックの周波数領域サイズであり、cは、{0, 1, 2, 3}に属し、
【数４９】
0006629727.tif 000376
になるようにされ、
【数５０】
0006629727.tif 000377
は、前記第2のダウンリンクサブフレーム集合内のダウンリンクサブフレーム内で送信されるPDCCHによって占められる第1のCCEの番号であり、
【数５１】
0006629727.tif 000378
は、前記第2のPUCCHリソース領域のオフセットである、請求項17に記載の基地局。
【請求項１９】
受信器と、プロセッサと、送信器とを含むユーザ機器UEであって、前記プロセッサは、前記受信器および前記送信器に別々に結合され、
前記プロセッサは、第1のダウンリンクサブフレーム集合を決定するように構成され、前記第1のダウンリンクサブフレーム集合は、第1のアップリンク-ダウンリンク構成と第2のアップリンク-ダウンリンク構成との両方において第1のアップリンクサブフレームに関連し、前記第1のダウンリンクサブフレーム集合は、ダウンリンクサブフレーム集合Aとダウンリンクサブフレーム集合Bとの積集合であり、前記ダウンリンクサブフレーム集合Aは、前記第1のアップリンク-ダウンリンク構成のHARQタイミングに従って決定された前記第1のアップリンクサブフレームに関連するダウンリンクサブフレーム集合であり、前記ダウンリンクサブフレーム集合Bは、前記第2のアップリンク-ダウンリンク構成のHARQタイミングに従って決定された前記第1のアップリンクサブフレームに関連するダウンリンクサブフレーム集合であり、
前記受信器は、第3のダウンリンクサブフレーム内で第1のPDCCHを受信するように構成され、
前記プロセッサは、前記第3のダウンリンクサブフレームが前記第1のダウンリンクサブフレーム集合に属する時に、前記第1のアップリンクサブフレーム内で、前記第1のアップリンク-ダウンリンク構成のHARQタイミングに従って第3のPUCCHリソースを決定するようにさらに構成され、前記第3のPUCCHリソースは、前記第1のPDCCHによってスケジューリングされたPDSCHのHARQフィードバック情報または前記第1のPDCCHによって示されるダウンリンクSPSリリースシグナリングのHARQフィードバック情報によって占められるPUCCHリソースである、
ユーザ機器であって、
前記UEは、第2のグループのUEであり、UEの前記第2のグループは、動的TDDアップリンク-ダウンリンク構成を用いて構成されるUEであり、
前記第1のアップリンク-ダウンリンク構成は、ユーザ機器の第1のグループによって使用されるアップリンク-ダウンリンク構成であり、UEの前記第1のグループは、動的TDDアップリンク-ダウンリンク構成を用いては構成されないUEであり、
前記第2のアップリンク-ダウンリンク構成は、UEの前記第2のグループに適用されかつUEの前記第2のグループのHARQタイミングを示すのに使用される基準アップリンク-ダウンリンク構成であるか、またはUEの前記第2のグループのアップリンク-ダウンリンクサブフレーム割当を示すのに使用されるアップリンク-ダウンリンク構成であり、
前記プロセッサは、第2のダウンリンクサブフレーム集合を決定するようにさらに構成され、前記第2のダウンリンクサブフレーム集合は、前記第2のアップリンク-ダウンリンク構成において前記第1のアップリンクサブフレームに関連し、前記第2のダウンリンクサブフレーム集合は、前記第1のアップリンク-ダウンリンク構成において前記第1のアップリンクサブフレームに関連せず、
前記受信器は、第4のダウンリンクサブフレーム内で第2のPDCCHを受信するようにさらに構成され、
前記プロセッサは、前記第4のダウンリンクサブフレームが前記第2のダウンリンクサブフレーム集合に属する時に、第4のPUCCHリソースを決定するようにさらに構成され、前記第4のPUCCHリソースは、前記第2のPDCCHによってスケジューリングされたPDSCHのHARQフィードバック情報または前記第2のPDCCHによって示されるダウンリンクSPSリリースシグナリングのHARQフィードバック情報によって占められるPUCCHリソースであり、
前記プロセッサは、M2およびiを決定し、M2は、前記第2のダウンリンクサブフレーム集合内の要素の量であり、iは、前記第2のダウンリンクサブフレーム集合内の前記第4のダウンリンクサブフレームのシーケンス番号であり;第2のオフセットNΔを決定し;前記第1のアップリンクサブフレーム内で、M2、i、および前記第2のオフセットNΔに従って前記第4のPUCCHリソースを決定するようにさらに構成される、
ユーザ機器。
【請求項２０】
受信器と、プロセッサと、送信器とを含むユーザ機器UEであって、前記プロセッサは、前記受信器および前記送信器に別々に結合され、
前記プロセッサは、第1のダウンリンクサブフレーム集合を決定するように構成され、前記第1のダウンリンクサブフレーム集合は、第1のアップリンク-ダウンリンク構成と第2のアップリンク-ダウンリンク構成との両方において第1のアップリンクサブフレームに関連し、前記第1のダウンリンクサブフレーム集合は、ダウンリンクサブフレーム集合Aとダウンリンクサブフレーム集合Bとの積集合であり、前記ダウンリンクサブフレーム集合Aは、前記第1のアップリンク-ダウンリンク構成のHARQタイミングに従って決定された前記第1のアップリンクサブフレームに関連するダウンリンクサブフレーム集合であり、前記ダウンリンクサブフレーム集合Bは、前記第2のアップリンク-ダウンリンク構成のHARQタイミングに従って決定された前記第1のアップリンクサブフレームに関連するダウンリンクサブフレーム集合であり、
前記受信器は、第3のダウンリンクサブフレーム内で第1のPDCCHを受信するように構成され、
前記プロセッサは、前記第3のダウンリンクサブフレームが前記第1のダウンリンクサブフレーム集合に属する時に、前記第1のアップリンクサブフレーム内で、前記第1のアップリンク-ダウンリンク構成のHARQタイミングに従って第3のPUCCHリソースを決定するようにさらに構成され、前記第3のPUCCHリソースは、前記第1のPDCCHによってスケジューリングされたPDSCHのHARQフィードバック情報または前記第1のPDCCHによって示されるダウンリンクSPSリリースシグナリングのHARQフィードバック情報によって占められるPUCCHリソースである、
ユーザ機器であって、
前記UEは、第2のグループのUEであり、UEの前記第2のグループは、動的TDDアップリンク-ダウンリンク構成を用いて構成されるUEであり、
前記第1のアップリンク-ダウンリンク構成は、ユーザ機器の第1のグループによって使用されるアップリンク-ダウンリンク構成であり、UEの前記第1のグループは、動的TDDアップリンク-ダウンリンク構成を用いては構成されないUEであり、
前記第2のアップリンク-ダウンリンク構成は、UEの前記第2のグループに適用されかつUEの前記第2のグループのHARQタイミングを示すのに使用される基準アップリンク-ダウンリンク構成であるか、またはUEの前記第2のグループのアップリンク-ダウンリンクサブフレーム割当を示すのに使用されるアップリンク-ダウンリンク構成であり、
前記プロセッサは、第2のダウンリンクサブフレーム集合を決定するようにさらに構成され、前記第2のダウンリンクサブフレーム集合は、前記第2のアップリンク-ダウンリンク構成において前記第1のアップリンクサブフレームに関連し、前記第2のダウンリンクサブフレーム集合は、前記第1のアップリンク-ダウンリンク構成において前記第1のアップリンクサブフレームに関連せず、
前記受信器は、第4のダウンリンクサブフレーム内で第2のPDCCHを受信するようにさらに構成され、
前記プロセッサは、前記第4のダウンリンクサブフレームが前記第2のダウンリンクサブフレーム集合に属する時に、第4のPUCCHリソースを決定するようにさらに構成され、前記第4のPUCCHリソースは、前記第2のPDCCHによってスケジューリングされたPDSCHのHARQフィードバック情報または前記第2のPDCCHによって示されるダウンリンクSPSリリースシグナリングのHARQフィードバック情報によって占められるPUCCHリソースであり、
前記受信器は、第1のシグナリングを受信し、M2およびiを決定するようにさらに構成され、前記第1のシグナリングは、M2およびiを示し、M2は、前記第2のダウンリンクサブフレーム集合内の、それのためにPUCCHリソース領域がPDCCHリソース領域に従って予約される必要があるダウンリンクサブフレームの量であり、iは、前記第4のダウンリンクサブフレームのシーケンス番号であり、
前記プロセッサは、第2のオフセットNΔを決定し、前記第1のアップリンクサブフレーム内で、M2、i、および前記第2のオフセットNΔに従って前記第4のPUCCHリソースを決定
するようにさらに構成される
ユーザ機器。
【請求項２１】
前記プロセッサは、前記第1のアップリンクサブフレーム内で、M1およびjに従って前記第3のダウンリンクサブフレームの前記第3のPUCCHリソースを決定するようにさらに構成され、M1は、前記第1のアップリンク-ダウンリンク構成の前記HARQタイミングに従って決定される、前記第1のアップリンクサブフレームに関連するダウンリンクサブフレーム集合A内の要素の量であり、jは、前記ダウンリンクサブフレーム集合A内の前記第3のダウンリンクサブフレームのシーケンス番号である、請求項19または20に記載のユーザ機器。
【請求項２２】
前記プロセッサは、式
【数５２】
0006629727.tif 000379
に従って前記第3のPUCCHリソースを決定するようにさらに構成され、
【数５３】
0006629727.tif 000380
は、前記第3のPUCCHリソースであり、pxは、アンテナポート番号であり、xは、非負の整数であり、
【数５４】
0006629727.tif 000381
であり、
【数５５】
0006629727.tif 000382
は、ダウンリンクシステム帯域幅であり、
【数５６】
0006629727.tif 000383
は、リソースブロックの周波数領域サイズであり、cは、{0, 1, 2, 3}に属し、Nc≦nCCE<Nc+1になるようにされ、nCCEは、前記第1のPDCCHによって占められる第1のCCEの番号であり、
【数５７】
0006629727.tif 000384
は、前記第3のPUCCHリソースのオフセットである、請求項21に記載のユーザ機器。
【請求項２３】
前記プロセッサは、前記第2のオフセットNΔが前記第1のアップリンク-ダウンリンク構成において前記第1のアップリンクサブフレームに関連するダウンリンクサブフレームの量に1つのダウンリンクサブフレーム内で構成され得るCCEの最大量を乗じたものと等しいと決定するようにさらに構成され、あるいは、
前記受信器は、第2のシグナリングを受信し、前記第2のオフセットNΔを決定するようにさらに構成され、前記第2のシグナリングは、前記第2のオフセットNΔまたは
【数５８】
0006629727.tif 000385
を示し、
【数５９】
0006629727.tif 000386
であり、あるいは、
前記受信器は、第3のシグナリングを受信し、前記第2のオフセットNΔ=M1×Ncを決定するようにさらに構成され、前記第3のシグナリングは、cの値を示し、
【数６０】
0006629727.tif 000387
であり、cは、{0, 1, 2, 3}に属し、Nc≦nCCE<Nc+1になる、
請求項22に記載のユーザ機器。
【請求項２４】
前記プロセッサは、式
【数６１】
0006629727.tif 000388
に従って前記第4のPUCCHリソースを決定するようにさらに構成され、
【数６２】
0006629727.tif 000389
は、前記第4のPUCCHリソースであり、pxは、アンテナポート番号であり、xは、非負の整数であり、
【数６３】
0006629727.tif 000390
であり、
【数６４】
0006629727.tif 000391
は、ダウンリンクシステム帯域幅であり、
【数６５】
0006629727.tif 000392
は、リソースブロックの周波数領域サイズであり、cは、{0, 1, 2, 3}に属し、
【数６６】
0006629727.tif 000393
になるようにされ、
【数６７】
0006629727.tif 000394
は、前記第2のPDCCHによって占められる第1のCCEの番号であり、
【数６８】
0006629727.tif 000395
は、前記第4のPUCCHリソースのオフセットである、請求項23に記載のユーザ機器。
【発明の詳細な説明】
【技術分野】
【０００１】
本願は、通信の分野に関し、具体的には、リソース割当方法およびデバイスに関する
【背景技術】
【０００２】
現在、ロングタームエボリューション(LTE)システムにおいて、ダウンリンクサブフレームを使用することによって物理ダウンリンク共有チャネル(PDSCH)を受信した後に、ユーザ機器(UE)は、アップリンクサブフレーム内で、PDSCHに関するハイブリッド自動再送要求(HARQ)フィードバック情報を送信する必要がある。HARQフィードバック情報は、ACK(Acknowledgement、肯定応答)/NACK(否定応答)情報を含み、あるいは、DTX(Discontinuous Transmission、不連続伝送)情報をさらに含み、ここで、ACKは、PDSCHが正しく受信されることを示し、NACKは、PDSCHが不正に受信されることを示し、DTXは、PDSCHが受信されないことを示す。HARQフィードバック情報は、固定されたHARQタイミングに従ってフィードバックされる、すなわち、PDSCHとHARQフィードバック情報との間の送信インターバルは、事前に定義される。HARQタイミング関係に従って、システムは、対応するアップリンクサブフレーム内で、HARQフィードバック情報を送信するための物理アップリンク制御チャネル(PUCCH)リソース領域を予約する。HARQフィードバック情報を送信する時に、物理アップリンク共有チャネル(PUSCH)を送信する必要がない場合には、HARQフィードバック情報は、PUCCH上で搬送され、送信される。
【０００３】
LTE TDDシステムにおいて、レガシUEによって使用されるアップリンク-ダウンリンク構成は、準静的な形で構成され、構成は、少なくとも640ミリ秒(ms)おきに1回変化し、より後に公表されたUEのアップリンク-ダウンリンク構成は、動的に変化することができ、たとえば、アップリンク-ダウンリンク構成は、10msから40msおきに1回変化する。
【０００４】
TDDシステムにおいては、異なるHARQタイミングが、異なるアップリンク-ダウンリンク構成について定義され、PUCCHリソース領域は、HARQタイミングに従って決定される。レガシUEおよびより後に公表されたUEとのシステム互換性に関して、異なるアップリンク-ダウンリンク構成が、レガシUEおよびより後に公表されたUEについて使用される時に、PUCCHリソース領域がより後に公表されたUEにどのように割り当てられるのかという問題は、従来技術において未解決である。
【発明の概要】
【課題を解決するための手段】
【０００５】
本願は、2タイプのUEと互換のシステムにおける、より後に公表されたUEへのPUCCHリソース領域の割当を実施することができる、リソース割当方法およびデバイスを提供するという技術的問題を主に解決する。
【０００６】
前述の問題を解決するために、本願の第1の態様は、リソース割当方法を提供し、ここで、この方法は、第1のダウンリンクサブフレーム集合を決定するステップであって、第1のダウンリンクサブフレーム集合は、第1のアップリンク-ダウンリンク構成と第2のアップリンク-ダウンリンク構成との両方において第1のアップリンクサブフレームに関連する、決定するステップと、第1のアップリンクサブフレーム内で、第1のアップリンク-ダウンリンク構成のHARQタイミングに従って第1のPUCCHリソース領域を決定するステップであって、第1のPUCCHリソース領域は、第1のダウンリンクサブフレーム集合のHARQフィードバック情報のために予約されたリソース領域である、決定するステップとを含む。
【０００７】
第1の態様に関連して、本願の第1の態様の第1の可能な実施の形において、第1のアップリンク-ダウンリンク構成は、ユーザ機器UEの第1のグループによって使用されるアップリンク-ダウンリンク構成であり、UEの第1のグループは、動的TDDアップリンク-ダウンリンク構成能力を有しないUE、動的TDDアップリンク-ダウンリンク構成を用いては構成されないUE、またはレガシUEであり、第2のアップリンク-ダウンリンク構成は、UEの第2のグループに適用される、UEの第2のグループのHARQタイミングを示すのに使用される、基準アップリンク-ダウンリンク構成、またはUEの第2のグループのアップリンク-ダウンリンクサブフレーム割当を示すのに使用されるアップリンク-ダウンリンク構成であり、UEの第2のグループは、動的TDDアップリンク-ダウンリンク構成能力を有するUE、動的TDDアップリンク-ダウンリンク構成を用いて構成されるUE、またはより後に公表されたUEである。
【０００８】
第1の態様または第1の態様の第1の可能な実施の形に関連して、本願の第1の態様の第2の可能な実施の形において、第1のアップリンクサブフレーム内で、第1のアップリンク-ダウンリンク構成のHARQタイミングに従って第1のPUCCHリソース領域を決定するステップは、具体的には、第1のアップリンクサブフレーム内で、M1およびjに従って第1のダウンリンクサブフレーム集合内のダウンリンクサブフレームの第1のPUCCHリソース領域を決定するステップであって、M1は、第1のアップリンク-ダウンリンク構成のHARQタイミングに従って決定される、第1のアップリンクサブフレームに関連するダウンリンクサブフレーム集合A内の要素の量であり、jは、ダウンリンクサブフレーム集合A内の、第1のダウンリンクサブフレーム集合内のダウンリンクサブフレームのシーケンス番号である、決定するステップである。
【０００９】
第1の態様の第2の可能な実施の形に関連して、本願の第1の態様の第3の可能な実施の形において、M1およびjに従って第1のダウンリンクサブフレーム集合内のダウンリンクサブフレームの第1のPUCCHリソース領域を決定するステップは、式
【００１０】
【数１】
0006629727.tif 000002
【００１１】
に従って第1のPUCCHリソース領域を決定するステップであって、
【００１２】
【数２】
0006629727.tif 000003
【００１３】
は、第1のPUCCHリソース領域内のPUCCHリソースであり、pxは、アンテナポート番号であり、xは、非負の整数であり、
【００１４】
【数３】
0006629727.tif 000004
【００１５】
であり、
【００１６】
【数４】
0006629727.tif 000005
【００１７】
は、ダウンリンクシステム帯域幅であり、
【００１８】
【数５】
0006629727.tif 000006
【００１９】
は、リソースブロックの周波数領域サイズであり、cは、{0, 1, 2, 3}に属し、Nc≦nCCE<Nc+1になるようにされ、nCCEは、第1のダウンリンクサブフレーム集合内のダウンリンクサブフレーム内で送信されるPDCCHによって占められる第1のCCEの番号であり、
【００２０】
【数６】
0006629727.tif 000007
【００２１】
は、第1のPUCCHリソース領域のオフセットである、決定するステップを特に含む。
【００２２】
第1の態様または第1の態様の第1から第3の可能な実施の形に関連して、本願の第1の態様の第4の可能な実施の形において、この方法は、第2のダウンリンクサブフレーム集合を決定するステップであって、第2のダウンリンクサブフレーム集合は、第2のアップリンク-ダウンリンク構成において第1のアップリンクサブフレームに関連し、第2のダウンリンクサブフレーム集合は、第1のアップリンク-ダウンリンク構成において第1のアップリンクサブフレームに関連しない、決定するステップと、第1のアップリンクサブフレーム内で、第2のPUCCHリソース領域を決定するステップであって、第2のPUCCHリソース領域は、第2のダウンリンクサブフレーム集合のHARQフィードバック情報のために予約されたリソース領域である、決定するステップとをさらに含む。
【００２３】
第1の態様の第4の可能な実施の形に関連して、本願の第1の態様の第5の可能な実施の形において、第1のアップリンクサブフレーム内で、第2のPUCCHリソース領域を決定するステップは、M2およびiを決定するステップであって、M2は、第2のダウンリンクサブフレーム集合内の要素の量であり、iは、第2のダウンリンクサブフレーム集合内の、第2のダウンリンクサブフレーム集合内のダウンリンクサブフレームのシーケンス番号である、決定するステップと、第2のオフセットNΔを決定するステップと、第1のアップリンクサブフレーム内で、M2、i、および第2のオフセットNΔに従って第2のPUCCHリソース領域を決定するステップとを含む。
【００２４】
第1の態様の第4の可能な実施の形に関連して、本願の第1の態様の第6の可能な実施の形において、第1のアップリンクサブフレーム内で、第2のPUCCHリソース領域を決定するステップは、M2およびiを決定し、第1のシグナリングを送信するステップであって、第1のシグナリングは、M2およびiを示し、M2は、第2のダウンリンクサブフレーム集合内の、それのためにPUCCHリソース領域がPDCCHリソース領域に従って予約される必要があるダウンリンクサブフレームの量であり、iは、第2のダウンリンクサブフレーム集合内の、それのためにPUCCHリソース領域がPDCCHリソース領域に従って予約される必要があるダウンリンクサブフレームのシーケンス番号である、決定し送信するステップと、第2のオフセットNΔを決定するステップと、第1のアップリンクサブフレーム内で、M2、i、および第2のオフセットNΔに従って第2のPUCCHリソース領域を決定するステップとを含む。
【００２５】
第1の態様の第1から第6の可能な実施の形に関連して、本願の第1の態様の第7の可能な実施の形において、第2のオフセットNΔを決定するステップは、第2のオフセットNΔが第1のアップリンク-ダウンリンク構成において第1のアップリンクサブフレームに関連するダウンリンクサブフレームの量に1つのダウンリンクサブフレーム内で構成され得るCCEの最大量を乗じたものと等しいと決定するステップ、あるいは、
第2のオフセットNΔを構成し、第2のシグナリングを送信するステップであって、第2のシグナリングは、第2のオフセットNΔまたは
【００２６】
【数７】
0006629727.tif 000008
【００２７】
を示し、
【００２８】
【数８】
0006629727.tif 000009
【００２９】
である、構成し送信するステップ、あるいは、
第2のオフセットNΔ=M1×Ncを構成し、第3のシグナリングを送信するステップであって、第3のシグナリングは、cの値を示す、構成し送信するステップ
を含む。
【００３０】
第1の態様の第1から第7の可能な実施の形に関連して、本願の第1の態様の第8の可能な実施の形において、第1のアップリンクサブフレーム内で、M2、i、および第2のオフセットNΔに従って第2のPUCCHリソース領域を決定するステップは、式
【００３１】
【数９】
0006629727.tif 000010
【００３２】
に従って第2のPUCCHリソース領域を決定するステップであって、
【００３３】
【数１０】
0006629727.tif 000011
【００３４】
は、第2のPUCCHリソース領域内のPUCCHリソースであり、pxは、アンテナポート番号であり、xは、非負の整数であり、
【００３５】
【数１１】
0006629727.tif 000012
【００３６】
であり、
【００３７】
【数１２】
0006629727.tif 000013
【００３８】
は、ダウンリンクシステム帯域幅であり、
【００３９】
【数１３】
0006629727.tif 000014
【００４０】
は、リソースブロックの周波数領域サイズであり、cは、{0, 1, 2, 3}に属し、
【００４１】
【数１４】
0006629727.tif 000015
【００４２】
になるようにされ、
【００４３】
【数１５】
0006629727.tif 000016
【００４４】
は、第2のダウンリンクサブフレーム集合内のダウンリンクサブフレーム内で送信されるPDCCHによって占められる第1のCCEの番号であり、
【００４５】
【数１６】
0006629727.tif 000017
【００４６】
は、第2のPUCCHリソース領域のオフセットである、決定するステップを含む。
【００４７】
前述の問題を解決するために、本願の第2の態様は、リソース割当方法を提供し、ここで、この方法は、UEによって、第1のダウンリンクサブフレーム集合を決定するステップであって、第1のダウンリンクサブフレーム集合は、第1のアップリンク-ダウンリンク構成と第2のアップリンク-ダウンリンク構成との両方において第1のアップリンクサブフレームに関連する、決定するステップと、UEによって、第3のダウンリンクサブフレーム内で第1のPDCCHを受信し、第3のダウンリンクサブフレームが第1のダウンリンクサブフレーム集合に属する時に、第1のアップリンクサブフレーム内で、第1のアップリンク-ダウンリンク構成のHARQタイミングに従って第3のPUCCHリソースを決定するステップであって、第3のPUCCHリソースは、第1のPDCCHによってスケジューリングされたPDSCHのHARQフィードバック情報または第1のPDCCHによって示されるダウンリンクSPSリリースシグナリングのHARQフィードバック情報によって占められるPUCCHリソースである、受信し決定するステップとを含む。
【００４８】
第2の態様に関連して、本願の第2の態様の第1の可能な実施の形において、UEは、第2のグループのUEであり、UEの第2のグループは、動的TDDアップリンク-ダウンリンク構成能力を有するUE、動的TDDアップリンク-ダウンリンク構成を用いて構成されるUE、またはより後に公表されたUEであり、第1のアップリンク-ダウンリンク構成は、ユーザ機器UEの第1のグループによって使用されるアップリンク-ダウンリンク構成であり、UEの第1のグループは、動的TDDアップリンク-ダウンリンク構成能力を有しないUE、動的TDDアップリンク-ダウンリンク構成を用いては構成されないUE、またはレガシUEであり、第2のアップリンク-ダウンリンク構成は、UEの第2のグループに適用される、UEの第2のグループのHARQタイミングを示すのに使用される、基準アップリンク-ダウンリンク構成、またはUEの第2のグループのアップリンク-ダウンリンクサブフレーム割当を示すのに使用されるアップリンク-ダウンリンク構成である。
【００４９】
第2の態様または第2の態様の第1の可能な実施の形に関連して、本願の第2の態様の第2の可能な実施の形において、第1のアップリンクサブフレーム内で、第1のアップリンク-ダウンリンク構成のHARQタイミングに従って第3のPUCCHリソースを決定するステップは、第1のアップリンクサブフレーム内で、M1およびjに従って第3のダウンリンクサブフレームの第3のPUCCHリソースを決定するステップであって、M1は、第1のアップリンク-ダウンリンク構成のHARQタイミングに従って決定される、第1のアップリンクサブフレームに関連するダウンリンクサブフレーム集合A内の要素の量であり、jは、ダウンリンクサブフレーム集合A内の第3のダウンリンクサブフレームのシーケンス番号である、決定するステップを含む。
【００５０】
第2の態様の第2の可能な実施の形に関連して、本願の第2の態様の第3の可能な実施の形において、M1およびjに従って第3のダウンリンクサブフレームの第3のPUCCHリソースを決定するステップは、式
【００５１】
【数１７】
0006629727.tif 000018
【００５２】
に従って第3のPUCCHリソースを決定するステップであって、
【００５３】
【数１８】
0006629727.tif 000019
【００５４】
は、第3のPUCCHリソースであり、pxは、アンテナポート番号であり、xは、非負の整数であり、
【００５５】
【数１９】
0006629727.tif 000020
【００５６】
であり、
【００５７】
【数２０】
0006629727.tif 000021
【００５８】
は、ダウンリンクシステム帯域幅であり、
【００５９】
【数２１】
0006629727.tif 000022
【００６０】
は、リソースブロックの周波数領域サイズであり、cは、{0, 1, 2, 3}に属し、Nc≦nCCE<Nc+1になるようにされ、nCCEは、第1のPDCCHによって占められる第1のCCEの番号であり、
【００６１】
【数２２】
0006629727.tif 000023
【００６２】
は、第3のPUCCHリソースのオフセットである、決定するステップを含む。
【００６３】
第2の態様または第2の態様の第1から第3の可能な実施の形に関連して、本願の第2の態様の第4の可能な実施の形において、この方法は、UEによって、第2のダウンリンクサブフレーム集合を決定するステップであって、第2のダウンリンクサブフレーム集合は、第2のアップリンク-ダウンリンク構成において第1のアップリンクサブフレームに関連し、第2のダウンリンクサブフレーム集合は、第1のアップリンク-ダウンリンク構成において第1のアップリンクサブフレームに関連しない、決定するステップと、UEによって、第4のダウンリンクサブフレーム内で第2のPDCCHを受信し、第4のダウンリンクサブフレームが第2のダウンリンクサブフレーム集合に属する時に、第4のPUCCHリソースを決定するステップであって、第4のPUCCHリソースは、第2のPDCCHによってスケジューリングされたPDSCHのHARQフィードバック情報または第2のPDCCHによって示されるダウンリンクSPSリリースシグナリングのHARQフィードバック情報によって占められるPUCCHリソースである、受信し決定するステップとをさらに含む。
【００６４】
第2の態様の第4の可能な実施の形に関連して、本願の第2の態様の第5の可能な実施の形において、第4のPUCCHリソースを決定するステップは、M2およびiを決定するステップであって、M2は、第2のダウンリンクサブフレーム集合内の要素の量であり、iは、第2のダウンリンクサブフレーム集合内の第4のダウンリンクサブフレームのシーケンス番号である、決定するステップと、第2のオフセットNΔを決定するステップと、第1のアップリンクサブフレーム内で、M2、i、および第2のオフセットNΔに従って第4のPUCCHリソースを決定するステップとを含む。
【００６５】
第2の態様の第4の可能な実施の形に関連して、本願の第2の態様の第6の可能な実施の形において、第4のPUCCHリソースを決定するステップは、第1のシグナリングを受信し、M2およびiを決定するステップであって、第1のシグナリングは、M2およびiを示し、M2は、第2のダウンリンクサブフレーム集合内の、それのためにPUCCHリソース領域がPDCCHリソース領域に従って予約される必要があるダウンリンクサブフレームの量であり、iは、第4のダウンリンクサブフレームのシーケンス番号である、受信し決定するステップと、第2のオフセットNΔを決定するステップと、第1のアップリンクサブフレーム内で、M2、i、および第2のオフセットNΔに従って第4のPUCCHリソースを決定するステップとを含む。
【００６６】
第2の態様の第5または第6の可能な実施の形に関連して、本願の第2の態様の第7の可能な実施の形において、第2のオフセットNΔを決定するステップは、第2のオフセットNΔが第1のアップリンク-ダウンリンク構成において第1のアップリンクサブフレームに関連するダウンリンクサブフレームの量に1つのダウンリンクサブフレーム内で構成され得るCCEの最大量を乗じたものと等しいと決定するステップ、あるいは、第2のシグナリングを受信し、第2のオフセットNΔを決定するステップであって、第2のシグナリングは、第2のオフセットNΔまたは
【００６７】
【数２３】
0006629727.tif 000024
【００６８】
を示し、
【００６９】
【数２４】
0006629727.tif 000025
【００７０】
である、受信し決定するステップ、あるいは、第3のシグナリングを受信し、第2のオフセットNΔ=M1×Ncを決定するステップであって、第3のシグナリングは、cの値を示す、受信し決定するステップを含む。
【００７１】
第2の態様の第5から第7の可能な実施の形に関連して、本願の第2の態様の第8の可能な実施の形において、第1のアップリンクサブフレーム内で、M2、i、および第2のオフセットNΔに従って第4のPUCCHリソースを決定するステップは、式
【００７２】
【数２５】
0006629727.tif 000026
【００７３】
に従って第4のPUCCHリソースを決定するステップであって、
【００７４】
【数２６】
0006629727.tif 000027
【００７５】
は、第4のPUCCHリソースであり、pxは、アンテナポート番号であり、xは、非負の整数であり、
【００７６】
【数２７】
0006629727.tif 000028
【００７７】
であり、
【００７８】
【数２８】
0006629727.tif 000029
【００７９】
は、ダウンリンクシステム帯域幅であり、
【００８０】
【数２９】
0006629727.tif 000030
【００８１】
は、リソースブロックの周波数領域サイズであり、cは、{0, 1, 2, 3}に属し、
【００８２】
【数３０】
0006629727.tif 000031
【００８３】
になるようにされ、
【００８４】
【数３１】
0006629727.tif 000032
【００８５】
は、第2のPDCCHによって占められる第1のCCEの番号であり、
【００８６】
【数３２】
0006629727.tif 000033
【００８７】
は、第4のPUCCHリソースのオフセットである、決定するステップを含む。
【００８８】
前述の問題を解決するために、本願の第3の態様は、基地局を提供し、ここで、この基地局は、第1の決定モジュールと第1の割当モジュールとを含み、第1の決定モジュールは、第1の決定モジュールが第1のダウンリンクサブフレーム集合を第1の割当モジュールに送るようにするために、第1のダウンリンクサブフレーム集合を決定するように構成され、第1のダウンリンクサブフレーム集合は、第1のアップリンク-ダウンリンク構成と第2のアップリンク-ダウンリンク構成との両方において第1のアップリンクサブフレームに関連し、第1の割当モジュールは、第1のダウンリンクサブフレーム集合を受け取り、第1のアップリンクサブフレーム内で、第1のアップリンク-ダウンリンク構成のHARQタイミングに従って第1のPUCCHリソース領域を決定するように構成され、第1のPUCCHリソース領域は、第1のダウンリンクサブフレーム集合のHARQフィードバック情報のために予約されたリソース領域である。
【００８９】
第3の態様に関連して、本願の第3の態様の第1の可能な実施の形において、第1のアップリンク-ダウンリンク構成は、ユーザ機器UEの第1のグループによって使用されるアップリンク-ダウンリンク構成であり、UEの第1のグループは、動的TDDアップリンク-ダウンリンク構成能力を有しないUE、動的TDDアップリンク-ダウンリンク構成を用いては構成されないUE、またはレガシUEであり、第2のアップリンク-ダウンリンク構成は、UEの第2のグループに適用される、UEの第2のグループのHARQタイミングを示すのに使用される、基準アップリンク-ダウンリンク構成、またはUEの第2のグループのアップリンク-ダウンリンクサブフレーム割当を示すのに使用されるアップリンク-ダウンリンク構成であり、UEの第2のグループは、動的TDDアップリンク-ダウンリンク構成能力を有するUE、動的TDDアップリンク-ダウンリンク構成を用いて構成されるUE、またはより後に公表されたUEである。
【００９０】
第3の態様または第3の態様の第1の可能な実施の形に関連して、本願の第3の態様の第2の可能な実施の形において、第1の割当モジュールは、第1のアップリンクサブフレーム内で、M1およびjに従って第1のダウンリンクサブフレーム集合内のダウンリンクサブフレームの第1のPUCCHリソース領域を決定するように特に構成され、M1は、第1のアップリンク-ダウンリンク構成のHARQタイミングに従って決定される、第1のアップリンクサブフレームに関連するダウンリンクサブフレーム集合A内の要素の量であり、jは、ダウンリンクサブフレーム集合A内の、第1のダウンリンクサブフレーム集合内のダウンリンクサブフレームのシーケンス番号である。
【００９１】
第3の態様の第2の可能な実施の形に関連して、本願の第3の態様の第3の可能な実施の形において、第1の割当モジュールは、式
【００９２】
【数３３】
0006629727.tif 000034
【００９３】
に従って第1のPUCCHリソース領域を決定するように特に構成され、
【００９４】
【数３４】
0006629727.tif 000035
【００９５】
は、第1のPUCCHリソース領域内のPUCCHリソースであり、pxは、アンテナポート番号であり、xは、非負の整数であり、
【００９６】
【数３５】
0006629727.tif 000036
【００９７】
であり、
【００９８】
【数３６】
0006629727.tif 000037
【００９９】
は、ダウンリンクシステム帯域幅であり、
【０１００】
【数３７】
0006629727.tif 000038
【０１０１】
は、リソースブロックの周波数領域サイズであり、cは、{0, 1, 2, 3}に属し、Nc≦nCCE<Nc+1になるようにされ、nCCEは、第1のダウンリンクサブフレーム集合内のダウンリンクサブフレーム内で送信されるPDCCHによって占められる第1のCCEの番号であり、
【０１０２】
【数３８】
0006629727.tif 000039
【０１０３】
は、第1のPUCCHリソース領域のオフセットである。
【０１０４】
第3の態様または第3の態様の第1から第3の可能な実施の形に関連して、本願の第3の態様の第4の可能な実施の形において、基地局は、第2の決定モジュールと第2の割当モジュールとをさらに含み、第2の決定モジュールは、第2の決定モジュールが、第2のダウンリンクサブフレーム集合を第2の割当モジュールに送るようにするために、第2のダウンリンクサブフレーム集合を決定するように構成され、第2のダウンリンクサブフレーム集合は、第2のアップリンク-ダウンリンク構成において第1のアップリンクサブフレームに関連し、第2のダウンリンクサブフレーム集合は、第1のアップリンク-ダウンリンク構成において第1のアップリンクサブフレームに関連せず、第2の割当モジュールは、第2のダウンリンクサブフレーム集合を受け取り、第1のアップリンクサブフレーム内で、第2のPUCCHリソース領域を決定するように構成され、第2のPUCCHリソース領域は、第2のダウンリンクサブフレーム集合のHARQフィードバック情報のために予約されたリソース領域である。
【０１０５】
第3の態様の第4の可能な実施の形に関連して、本願の第3の態様の第5の可能な実施の形において、第2の割当モジュールは、第1の決定ユニットと、第2の決定ユニットと、割当ユニットとをさらに含み、第1の決定ユニットは、第1の決定ユニットがM2およびiを割当ユニットに送るようにするために、M2およびiを決定するようにさらに構成され、M2は、第2のダウンリンクサブフレーム集合内の要素の量であり、iは、第2のダウンリンクサブフレーム集合内の、第2のダウンリンクサブフレーム集合内のダウンリンクサブフレームのシーケンス番号であり、第2の決定ユニットは、第2の決定ユニットが第2のオフセットを割当ユニットに送るようにするために、第2のオフセットNΔを決定するように構成され、割当ユニットは、M2、i、およびNΔを受け取り、第1のアップリンクサブフレーム内で、M2、i、および第2のオフセットNΔに従って第2のPUCCHリソース領域を決定するようにさらに構成される。
【０１０６】
第3の態様の第4の可能な実施の形に関連して、本願の第3の態様の第6の可能な実施の形において、第2の割当モジュールは、第1の決定ユニット、第2の決定ユニット、および割当ユニットをさらに含み、第1の決定ユニットは、第1の決定ユニットが第2のダウンリンクサブフレーム集合を割当ユニットに送るようにするために、M2およびiを決定し、第1のシグナリングを送信するようにさらに構成され、第1のシグナリングは、M2およびiを示し、M2は、第2のダウンリンクサブフレーム集合内の、それのためにPUCCHリソース領域がPDCCHリソース領域に従って予約される必要があるダウンリンクサブフレームの量であり、iは、第2のダウンリンクサブフレーム集合内の、それのためにPUCCHリソース領域がPDCCHリソース領域に従って予約される必要があるダウンリンクサブフレームのシーケンス番号であり、割当ユニットは、第2の決定ユニットが第2のオフセットを割当ユニットに送るようにするために、第2のオフセットNΔを決定するように構成され、割当ユニットは、M2、i、およびNΔを受け取り、第1のアップリンクサブフレーム内で、M2、i、および第2のオフセットNΔに従って第2のPUCCHリソース領域を決定するようにさらに構成される。
【０１０７】
第3の態様の第5または第6の可能な実施の形に関連して、本願の第3の態様の第7の可能な実施の形において、第2の決定ユニットは、第2のオフセットNΔが第1のアップリンク-ダウンリンク構成において第1のアップリンクサブフレームに関連するダウンリンクサブフレームの量に1つのダウンリンクサブフレーム内で構成され得るCCEの最大量を乗じたものと等しいと決定するように構成され、あるいは、第2の決定ユニットは、第2のオフセットNΔを構成し、第2のシグナリングを送信するように構成され、第2のシグナリングは、第2のオフセットNΔまたは
【０１０８】
【数３９】
0006629727.tif 000040
【０１０９】
を示し、
【０１１０】
【数４０】
0006629727.tif 000041
【０１１１】
であり、あるいは、第2の決定ユニットは、第2のオフセットNΔ=M1×Ncを構成し、第3のシグナリングを送信するように構成され、第3のシグナリングは、cの値を示す。
【０１１２】
第3の態様の第5から第7の可能な実施の形に関連して、本願の第3の態様の第8の可能な実施の形において、第2の割当モジュールは、式
【０１１３】
【数４１】
0006629727.tif 000042
【０１１４】
に従って第2のPUCCHリソース領域を決定するようにさらに構成され、
【０１１５】
【数４２】
0006629727.tif 000043
【０１１６】
は、第2のPUCCHリソース領域内のPUCCHリソースであり、pxは、アンテナポート番号であり、xは、非負の整数であり、
【０１１７】
【数４３】
0006629727.tif 000044
【０１１８】
であり、
【０１１９】
【数４４】
0006629727.tif 000045
【０１２０】
は、ダウンリンクシステム帯域幅であり、
【０１２１】
【数４５】
0006629727.tif 000046
【０１２２】
は、リソースブロックの周波数領域サイズであり、cは、{0, 1, 2, 3}に属し、
【０１２３】
【数４６】
0006629727.tif 000047
【０１２４】
になるようにされ、
【０１２５】
【数４７】
0006629727.tif 000048
【０１２６】
は、第2のダウンリンクサブフレーム集合内のダウンリンクサブフレーム内で送信されるPDCCHによって占められる第1のCCEの番号であり、
【０１２７】
【数４８】
0006629727.tif 000049
【０１２８】
は、第2のPUCCHリソース領域のオフセットである。
【０１２９】
前述の問題を解決するために、本願の第4の態様は、ユーザ機器を提供し、ここで、このユーザ機器は、第1の決定モジュールと第1の割当モジュールとを含み、第1の決定モジュールは、第1の決定モジュールが第1のダウンリンクサブフレーム集合を第1の割当モジュールに送るようにするために、第1のダウンリンクサブフレーム集合を決定するように構成され、第1のダウンリンクサブフレーム集合は、第1のアップリンク-ダウンリンク構成と第2のアップリンク-ダウンリンク構成との両方において第1のアップリンクサブフレームに関連し、第1の割当モジュールは、第1のダウンリンクサブフレーム集合を受け取り、第3のダウンリンクサブフレーム内で第1のPDCCHを受信し、第3のダウンリンクサブフレームが第1のダウンリンクサブフレーム集合に属する時に、第1のアップリンクサブフレーム内で、第1のアップリンク-ダウンリンク構成のHARQタイミングに従って第3のPUCCHリソースを決定するように構成され、第3のPUCCHリソースは、第1のPDCCHによってスケジューリングされたPDSCHのHARQフィードバック情報または第1のPDCCHによって示されるダウンリンクSPSリリースシグナリングのHARQフィードバック情報によって占められるPUCCHリソースである。
【０１３０】
第4の態様に関連して、本願の第4の態様の第1の可能な実施の形において、UEは、第2のグループのUEであり、UEの第2のグループは、動的TDDアップリンク-ダウンリンク構成能力を有するUE、動的TDDアップリンク-ダウンリンク構成を用いて構成されるUE、またはより後に公表されたUEであり、第1のアップリンク-ダウンリンク構成は、ユーザ機器UEの第1のグループによって使用されるアップリンク-ダウンリンク構成であり、UEの第1のグループは、動的TDDアップリンク-ダウンリンク構成能力を有しないUE、動的TDDアップリンク-ダウンリンク構成を用いては構成されないUE、またはレガシUEであり、第2のアップリンク-ダウンリンク構成は、UEの第2のグループに適用される、UEの第2のグループのHARQタイミングを示すのに使用される、基準アップリンク-ダウンリンク構成、またはUEの第2のグループのアップリンク-ダウンリンクサブフレーム割当を示すのに使用されるアップリンク-ダウンリンク構成である。
【０１３１】
第4の態様または第4の態様の第1の可能な実施の形に関連して、本願の第4の態様の第2の可能な実施の形において、第1の割当モジュールは、第1のアップリンクサブフレーム内で、M1およびjに従って第3のダウンリンクサブフレームの第3のPUCCHリソースを決定するようにさらに構成され、M1は、第1のアップリンク-ダウンリンク構成のHARQタイミングに従って決定される、第1のアップリンクサブフレームに関連するダウンリンクサブフレーム集合A内の要素の量であり、jは、ダウンリンクサブフレーム集合A内の第3のダウンリンクサブフレームのシーケンス番号である。
【０１３２】
第4の態様の第2の可能な実施の形に関連して、本願の第4の態様の第3の可能な実施の形において、第1の割当モジュールは、式
【０１３３】
【数４９】
0006629727.tif 000050
【０１３４】
に従って第3のPUCCHリソースを決定するようにさらに構成され、
【０１３５】
【数５０】
0006629727.tif 000051
【０１３６】
は、第3のPUCCHリソースであり、pxは、アンテナポート番号であり、xは、非負の整数であり、
【０１３７】
【数５１】
0006629727.tif 000052
【０１３８】
であり、
【０１３９】
【数５２】
0006629727.tif 000053
【０１４０】
は、ダウンリンクシステム帯域幅であり、
【０１４１】
【数５３】
0006629727.tif 000054
【０１４２】
は、リソースブロックの周波数領域サイズであり、cは、{0, 1, 2, 3}に属し、Nc≦nCCE<Nc+1になるようにされ、nCCEは、第1のPDCCHによって占められる第1のCCEの番号であり、
【０１４３】
【数５４】
0006629727.tif 000055
【０１４４】
は、第3のPUCCHリソースのオフセットである。
【０１４５】
第4の態様または第4の態様の第1から第3の可能な実施の形に関連して、本願の第4の態様の第4の可能な実施の形において、ユーザ機器は、第2の決定モジュールと第2の割当モジュールとをさらに含み、第2の決定モジュールは、第2の決定モジュールが第2のダウンリンクサブフレーム集合を第2の割当モジュールに送るようにするために、第2のダウンリンクサブフレーム集合を決定するように構成され、第2のダウンリンクサブフレーム集合は、第2のアップリンク-ダウンリンク構成において第1のアップリンクサブフレームに関連し、第2のダウンリンクサブフレーム集合は、第1のアップリンク-ダウンリンク構成において第1のアップリンクサブフレームに関連せず、第2の割当モジュールは、第2のダウンリンクサブフレーム集合を受け取り、第4のダウンリンクサブフレーム内で第2のPDCCHを受信し、第4のダウンリンクサブフレームが第2のダウンリンクサブフレーム集合に属する時に、第4のPUCCHリソースを決定するように構成され、第4のPUCCHリソースは、第2のPDCCHによってスケジューリングされたPDSCHのHARQフィードバック情報または第2のPDCCHによって示されるダウンリンクSPSリリースシグナリングのHARQフィードバック情報によって占められるPUCCHリソースである。
【０１４６】
第4の態様の第4の可能な実施の形に関連して、本願の第4の態様の第5の可能な実施の形において、第2の割当モジュールは、第1の決定ユニットと、第2の決定ユニットと、割当ユニットとを含み、第1の決定ユニットは、第1の決定ユニットがM2およびiを割当ユニットに送るようにするために、M2およびiを決定するように構成され、M2は、第2のダウンリンクサブフレーム集合内の要素の量であり、iは、第2のダウンリンクサブフレーム集合内の第4のダウンリンクサブフレームのシーケンス番号であり、第2の決定ユニットは、第2の決定ユニットが第2のオフセットNΔを割当ユニットに送るようにするために、第2のオフセットNΔを決定するように構成され、割当ユニットは、M2、i、およびNΔを受け取り、第1のアップリンクサブフレーム内で、M2、i、および第2のオフセットNΔに従って第4のPUCCHリソースを決定するように構成される。
【０１４７】
第4の態様の第4の可能な実施の形に関連して、本願の第4の態様の第6の可能な実施の形において、第2の割当モジュールは、第1の決定ユニットと、第2の決定ユニットと、割当ユニットとを含み、第1の決定ユニットは、第1の決定ユニットがM2およびiを割当ユニットに送るようにするために、第1のシグナリングを受信し、M2およびiを決定するように構成され、第1のシグナリングは、M2およびiを示し、M2は、第2のダウンリンクサブフレーム集合内の、それのためにPUCCHリソース領域がPDCCHリソース領域に従って予約される必要があるダウンリンクサブフレームの量であり、iは、第4のダウンリンクサブフレームのシーケンス番号であり、第2の決定ユニットは、第2の決定ユニットが第2のオフセットNΔを割当ユニットに送るようにするために、第2のオフセットNΔを決定するように構成され、割当ユニットは、M2、i、およびNΔを受け取り、第1のアップリンクサブフレーム内で、M2、i、および第2のオフセットNΔに従って第4のPUCCHリソースを決定するように構成される。
【０１４８】
第4の態様の第5または第6の可能な実施の形に関連して、本願の第4の態様の第7の可能な実施の形において、第2の決定ユニットは、第2のオフセットNΔが第1のアップリンク-ダウンリンク構成において第1のアップリンクサブフレームに関連するダウンリンクサブフレームの量に1つのダウンリンクサブフレーム内で構成され得るCCEの最大量を乗じたものと等しいと決定するようにさらに構成され、あるいは、第2の決定ユニットは、第2のシグナリングを受信し、第2のオフセットNΔを決定するようにさらに構成され、第2のシグナリングは、第2のオフセットNΔまたは
【０１４９】
【数５５】
0006629727.tif 000056
【０１５０】
を示し、
【０１５１】
【数５６】
0006629727.tif 000057
【０１５２】
であり、あるいは、第2の決定ユニットは、第3のシグナリングを受信し、第2のオフセットNΔ=M1×Ncを決定するようにさらに構成され、第3のシグナリングは、cの値を示す。
【０１５３】
第4の態様の第7の可能な実施の形に関連して、本願の第4の態様の第8の可能な実施の形において、第2の割当モジュールは、式
【０１５４】
【数５７】
0006629727.tif 000058
【０１５５】
に従って第4のPUCCHリソースを決定するようにさらに構成され、
【０１５６】
【数５８】
0006629727.tif 000059
【０１５７】
は、第4のPUCCHリソースであり、pxは、アンテナポート番号であり、xは、非負の整数であり、
【０１５８】
【数５９】
0006629727.tif 000060
【０１５９】
であり、
【０１６０】
【数６０】
0006629727.tif 000061
【０１６１】
は、ダウンリンクシステム帯域幅であり、
【０１６２】
【数６１】
0006629727.tif 000062
【０１６３】
は、リソースブロックの周波数領域サイズであり、cは、{0, 1, 2, 3}に属し、
【０１６４】
【数６２】
0006629727.tif 000063
【０１６５】
になるようにされ、
【０１６６】
【数６３】
0006629727.tif 000064
【０１６７】
は、第2のPDCCHによって占められる第1のCCEの番号であり、
【０１６８】
【数６４】
0006629727.tif 000065
【０１６９】
は、第4のPUCCHリソースのオフセットである。
【０１７０】
前述の問題を解決するために、本願の第5の態様は、基地局を提供し、ここで、この基地局は、トランシーバ基地局(base transceiver station)BTSと基地局制御装置BSCとを含み、トランシーバ基地局は、基地局制御装置に結合され、基地局制御装置は、第1のダウンリンクサブフレーム集合を決定し、第1のダウンリンクサブフレーム集合は、第1のアップリンク-ダウンリンク構成と第2のアップリンク-ダウンリンク構成との両方において第1のアップリンクサブフレームに関連し;第1のアップリンクサブフレーム内で、第1のアップリンク-ダウンリンク構成のHARQタイミングに従って第1のPUCCHリソース領域を決定し、第1のPUCCHリソース領域は、第1のダウンリンクサブフレーム集合のHARQフィードバック情報のために予約されたリソース領域であるように構成される。
【０１７１】
第5の態様に関連して、本願の第5の態様の第1の可能な実施の形において、第1のアップリンク-ダウンリンク構成は、ユーザ機器UEの第1のグループによって使用されるアップリンク-ダウンリンク構成であり、UEの第1のグループは、動的TDDアップリンク-ダウンリンク構成能力を有しないUE、動的TDDアップリンク-ダウンリンク構成を用いては構成されないUE、またはレガシUEであり、第2のアップリンク-ダウンリンク構成は、UEの第2のグループに適用される、UEの第2のグループのHARQタイミングを示すのに使用される、基準アップリンク-ダウンリンク構成、またはUEの第2のグループのアップリンク-ダウンリンクサブフレーム割当を示すのに使用されるアップリンク-ダウンリンク構成であり、UEの第2のグループは、動的TDDアップリンク-ダウンリンク構成能力を有するUE、動的TDDアップリンク-ダウンリンク構成を用いて構成されるUE、またはより後に公表されたUEである。
【０１７２】
第5の態様または第5の態様の第1の可能な実施の形に関連して、本願の第5の態様の第2の可能な実施の形において、基地局制御装置は、第1のアップリンクサブフレーム内で、M1およびjに従って第1のダウンリンクサブフレーム集合内のダウンリンクサブフレームの第1のPUCCHリソース領域を決定するようにさらに構成され、M1は、第1のアップリンク-ダウンリンク構成のHARQタイミングに従って決定される、第1のアップリンクサブフレームに関連するダウンリンクサブフレーム集合A内の要素の量であり、jは、ダウンリンクサブフレーム集合A内の、第1のダウンリンクサブフレーム集合内のダウンリンクサブフレームのシーケンス番号である。
【０１７３】
第5の態様の第2の可能な実施の形に関連して、本願の第5の態様の第3の可能な実施の形において、基地局制御装置は、式
【０１７４】
【数６５】
0006629727.tif 000066
【０１７５】
に従って第1のPUCCHリソース領域を決定するようにさらに構成され、
【０１７６】
【数６６】
0006629727.tif 000067
【０１７７】
は、第1のPUCCHリソース領域内のPUCCHリソースであり、pxは、アンテナポート番号であり、xは、非負の整数であり、
【０１７８】
【数６７】
0006629727.tif 000068
【０１７９】
であり、
【０１８０】
【数６８】
0006629727.tif 000069
【０１８１】
は、ダウンリンクシステム帯域幅であり、
【０１８２】
【数６９】
0006629727.tif 000070
【０１８３】
は、リソースブロックの周波数領域サイズであり、cは、{0, 1, 2, 3}に属し、Nc≦nCCE<Nc+1になるようにされ、nCCEは、第1のダウンリンクサブフレーム集合内のダウンリンクサブフレーム内で送信されるPDCCHによって占められる第1のCCEの番号であり、
【０１８４】
【数７０】
0006629727.tif 000071
【０１８５】
は、第1のPUCCHリソース領域のオフセットである。
【０１８６】
第5の態様または第5の態様の第1から第3の可能な実施の形に関連して、本願の第5の態様の第4の可能な実施の形において、基地局制御装置は、第2のダウンリンクサブフレーム集合を決定し、第2のダウンリンクサブフレーム集合は、第2のアップリンク-ダウンリンク構成において第1のアップリンクサブフレームに関連し、第2のダウンリンクサブフレーム集合は、第1のアップリンク-ダウンリンク構成において第1のアップリンクサブフレームに関連せず;第1のアップリンクサブフレーム内で、第2のPUCCHリソース領域を決定し、第2のPUCCHリソース領域は、第2のダウンリンクサブフレーム集合のHARQフィードバック情報のために予約されたリソース領域であるようにさらに構成される。
【０１８７】
第5の態様の第4の可能な実施の形に関連して、本願の第5の態様の第5の可能な実施の形において、基地局制御装置は、M2およびiを決定し、M2は、第2のダウンリンクサブフレーム集合内の要素の量であり、iは、第2のダウンリンクサブフレーム集合内の、第2のダウンリンクサブフレーム集合内のダウンリンクサブフレームのシーケンス番号であり;第2のオフセットNΔを決定し;第1のアップリンクサブフレーム内で、M2、i、および第2のオフセットNΔに従って第2のPUCCHリソース領域を決定するようにさらに構成される。
【０１８８】
第5の態様の第4の可能な実施の形に関連して、本願の第5の態様の第6の可能な実施の形において、基地局制御装置は、M2およびiを決定し、第1のシグナリングを送信し、第1のシグナリングは、M2およびiを示し、M2は、第2のダウンリンクサブフレーム集合内の、それのためにPUCCHリソース領域がPDCCHリソース領域に従って予約される必要があるダウンリンクサブフレームの量であり、iは、第2のダウンリンクサブフレーム集合内の、それのためにPUCCHリソース領域がPDCCHリソース領域に従って予約される必要があるダウンリンクサブフレームのシーケンス番号であり;第2のオフセットNΔを決定し;第1のアップリンクサブフレーム内で、M2、i、および第2のオフセットNΔに従って第2のPUCCHリソース領域を決定するようにさらに構成される。
【０１８９】
第5の態様の第5または第6の可能な実施の形に関連して、本願の第5の態様の第7の可能な実施の形において、基地局制御装置は、第2のオフセットNΔが第1のアップリンク-ダウンリンク構成において第1のアップリンクサブフレームに関連するダウンリンクサブフレームの量に1つのダウンリンクサブフレーム内で構成され得るCCEの最大量を乗じたものと等しいと決定し;あるいは第2のオフセットNΔを構成し、第2のシグナリングを送信し、第2のシグナリングは、第2のオフセットNΔまたは
【０１９０】
【数７１】
0006629727.tif 000072
【０１９１】
を示し、
【０１９２】
【数７２】
0006629727.tif 000073
【０１９３】
であり;あるいは第2のオフセットNΔ=M1×Ncを構成し、第3のシグナリングを送信し、第3のシグナリングは、cの値を示すようにさらに構成される。
【０１９４】
第5の態様の第5から第7の可能な実施の形に関連して、本願の第5の態様の第8の可能な実施の形において、基地局制御装置は、式
【０１９５】
【数７３】
0006629727.tif 000074
【０１９６】
に従って第2のPUCCHリソース領域を決定するようにさらに構成され、
【０１９７】
【数７４】
0006629727.tif 000075
【０１９８】
は、第2のPUCCHリソース領域内のPUCCHリソースであり、pxは、アンテナポート番号であり、xは、非負の整数であり、
【０１９９】
【数７５】
0006629727.tif 000076
【０２００】
であり、
【０２０１】
【数７６】
0006629727.tif 000077
【０２０２】
は、ダウンリンクシステム帯域幅であり、
【０２０３】
【数７７】
0006629727.tif 000078
【０２０４】
は、リソースブロックの周波数領域サイズであり、cは、{0, 1, 2, 3}に属し、
【０２０５】
【数７８】
0006629727.tif 000079
【０２０６】
になるようにされ、
【０２０７】
【数７９】
0006629727.tif 000080
【０２０８】
は、第2のダウンリンクサブフレーム集合内のダウンリンクサブフレーム内で送信されるPDCCHによって占められる第1のCCEの番号であり、
【０２０９】
【数８０】
0006629727.tif 000081
【０２１０】
は、第2のPUCCHリソース領域のオフセットである。
【０２１１】
前述の問題を解決するために、本願の第6の態様は、ユーザ機器を提供し、ここで、このユーザ機器は、受信器と、プロセッサと、送信器とを含み、プロセッサは、受信器および送信器に別々に結合され、プロセッサは、第1のダウンリンクサブフレーム集合を決定するように構成され、第1のダウンリンクサブフレーム集合は、第1のアップリンク-ダウンリンク構成と第2のアップリンク-ダウンリンク構成との両方において第1のアップリンクサブフレームに関連し、受信器は、第3のダウンリンクサブフレーム内で第1のPDCCHを受信するように構成され、プロセッサは、第3のダウンリンクサブフレームが第1のダウンリンクサブフレーム集合に属する時に、第1のアップリンクサブフレーム内で、第1のアップリンク-ダウンリンク構成のHARQタイミングに従って第3のPUCCHリソースを決定するようにさらに構成され、第3のPUCCHリソースは、第1のPDCCHによってスケジューリングされたPDSCHのHARQフィードバック情報または第1のPDCCHによって示されるダウンリンクSPSリリースシグナリングのHARQフィードバック情報によって占められるPUCCHリソースである。
【０２１２】
第6の態様に関連して、本願の第6の態様の第1の可能な実施の形において、UEは、第2のグループのUEであり、UEの第2のグループは、動的TDDアップリンク-ダウンリンク構成能力を有するUE、動的TDDアップリンク-ダウンリンク構成を用いて構成されるUE、またはより後に公表されたUEであり、第1のアップリンク-ダウンリンク構成は、ユーザ機器UEの第1のグループによって使用されるアップリンク-ダウンリンク構成であり、UEの第1のグループは、動的TDDアップリンク-ダウンリンク構成能力を有しないUE、動的TDDアップリンク-ダウンリンク構成を用いては構成されないUE、またはレガシUEであり、第2のアップリンク-ダウンリンク構成は、UEの第2のグループに適用される、UEの第2のグループのHARQタイミングを示すのに使用される、基準アップリンク-ダウンリンク構成、またはUEの第2のグループのアップリンク-ダウンリンクサブフレーム割当を示すのに使用されるアップリンク-ダウンリンク構成である。
【０２１３】
第6の態様または第6の態様の第1の可能な実施の形に関連して、本願の第6の態様の第2の可能な実施の形において、プロセッサは、第1のアップリンクサブフレーム内で、M1およびjに従って第3のダウンリンクサブフレームの第3のPUCCHリソースを決定するようにさらに構成され、M1は、第1のアップリンク-ダウンリンク構成のHARQタイミングに従って決定される、第1のアップリンクサブフレームに関連するダウンリンクサブフレーム集合A内の要素の量であり、jは、ダウンリンクサブフレーム集合A内の第3のダウンリンクサブフレームのシーケンス番号である。
【０２１４】
第6の態様の第2の可能な実施の形に関連して、本願の第6の態様の第3の可能な実施の形において、プロセッサは、式
【０２１５】
【数８１】
0006629727.tif 000082
【０２１６】
に従って第3のPUCCHリソースを決定するようにさらに構成され、
【０２１７】
【数８２】
0006629727.tif 000083
【０２１８】
は、第3のPUCCHリソースであり、pxは、アンテナポート番号であり、xは、非負の整数であり、
【０２１９】
【数８３】
0006629727.tif 000084
【０２２０】
であり、
【０２２１】
【数８４】
0006629727.tif 000085
【０２２２】
は、ダウンリンクシステム帯域幅であり、
【０２２３】
【数８５】
0006629727.tif 000086
【０２２４】
は、リソースブロックの周波数領域サイズであり、cは、{0, 1, 2, 3}に属し、Nc≦nCCE<Nc+1になるようにされ、nCCEは、第1のPDCCHによって占められる第1のCCEの番号であり、
【０２２５】
【数８６】
0006629727.tif 000087
【０２２６】
は、第3のPUCCHリソースのオフセットである。
【０２２７】
第6の態様または第6の態様の第1から第3の可能な実施の形に関連して、本願の第6の態様の第4の可能な実施の形において、プロセッサは、第2のダウンリンクサブフレーム集合を決定するようにさらに構成され、第2のダウンリンクサブフレーム集合は、第2のアップリンク-ダウンリンク構成において第1のアップリンクサブフレームに関連し、第2のダウンリンクサブフレーム集合は、第1のアップリンク-ダウンリンク構成において第1のアップリンクサブフレームに関連せず、受信器は、第4のダウンリンクサブフレーム内で第2のPDCCHを受信するようにさらに構成され、プロセッサは、第4のダウンリンクサブフレームが第2のダウンリンクサブフレーム集合に属する時に、第4のPUCCHリソースを決定するようにさらに構成され、第4のPUCCHリソースは、第2のPDCCHによってスケジューリングされたPDSCHのHARQフィードバック情報または第2のPDCCHによって示されるダウンリンクSPSリリースシグナリングのHARQフィードバック情報によって占められるPUCCHリソースである。
【０２２８】
第6の態様の第4の可能な実施の形に関連して、本願の第6の態様の第5の可能な実施の形において、プロセッサは、M2およびiを決定し、M2は、第2のダウンリンクサブフレーム集合内の要素の量であり、iは、第2のダウンリンクサブフレーム集合内の第4のダウンリンクサブフレームのシーケンス番号であり;第2のオフセットNΔを決定し;第1のアップリンクサブフレーム内で、M2、i、および第2のオフセットNΔに従って第4のPUCCHリソースを決定するようにさらに構成される。
【０２２９】
第6の態様の第4の可能な実施の形に関連して、本願の第6の態様の第6の可能な実施の形において、受信器は、第1のシグナリングを受信し、M2およびiを決定するようにさらに構成され、第1のシグナリングは、M2およびiを示し、M2は、第2のダウンリンクサブフレーム集合内の、それのためにPUCCHリソース領域がPDCCHリソース領域に従って予約される必要があるダウンリンクサブフレームの量であり、iは、第4のダウンリンクサブフレームのシーケンス番号であり、プロセッサは、第2のオフセットNΔを決定し、第1のアップリンクサブフレーム内で、M2、i、および第2のオフセットNΔに従って第4のPUCCHリソースを決定するようにさらに構成される。
【０２３０】
第6の態様の第5または第6の可能な実施の形に関連して、本願の第6の態様の第7の可能な実施の形において、プロセッサは、第2のオフセットNΔが第1のアップリンク-ダウンリンク構成において第1のアップリンクサブフレームに関連するダウンリンクサブフレームの量に1つのダウンリンクサブフレーム内で構成され得るCCEの最大量を乗じたものと等しいと決定するようにさらに構成され、あるいは、受信器は、第2のシグナリングを受信し、第2のオフセットNΔを決定するようにさらに構成され、第2のシグナリングは、第2のオフセットNΔまたは
【０２３１】
【数８７】
0006629727.tif 000088
【０２３２】
を示し、
【０２３３】
【数８８】
0006629727.tif 000089
【０２３４】
であり、あるいは、受信器は、第3のシグナリングを受信し、第2のオフセットNΔ=M1×Ncを決定するようにさらに構成され、第3のシグナリングは、cの値を示す。
【０２３５】
第6の態様の第5から第7の可能な実施の形に関連して、本願の第6の態様の第8の可能な実施の形において、プロセッサは、式
【０２３６】
【数８９】
0006629727.tif 000090
【０２３７】
に従って第4のPUCCHリソースを決定するようにさらに構成され、
【０２３８】
【数９０】
0006629727.tif 000091
【０２３９】
は、第4のPUCCHリソースであり、pxは、アンテナポート番号であり、xは、非負の整数であり、
【０２４０】
【数９１】
0006629727.tif 000092
【０２４１】
であり、
【０２４２】
【数９２】
0006629727.tif 000093
【０２４３】
は、ダウンリンクシステム帯域幅であり、
【０２４４】
【数９３】
0006629727.tif 000094
【０２４５】
は、リソースブロックの周波数領域サイズであり、cは、{0, 1, 2, 3}に属し、
【０２４６】
【数９４】
0006629727.tif 000095
【０２４７】
になるようにされ、
【０２４８】
【数９５】
0006629727.tif 000096
【０２４９】
は、第2のPDCCHによって占められる第1のCCEの番号であり、
【０２５０】
【数９６】
0006629727.tif 000097
【０２５１】
は、第4のPUCCHリソースのオフセットである。
【０２５２】
前述の解決策において、第1のダウンリンクサブフレーム集合は、アップリンク-ダウンリンク構成を使用することによって別々に決定され、第1のアップリンク-ダウンリンク構成の下の要素の量およびシーケンス番号は、より後に公表されたUEの第1のダウンリンクサブフレーム集合内のすべてのダウンリンクサブフレームについて使用され、その結果、2タイプのUEと互換のシステム内で、より後に公表されたUEへのPUCCHリソース領域の割当を実施するために、同一の第1のPUCCHリソース領域が割り当てられるようになる。
【０２５３】
さらに、PUCCHリソース領域が、UEの第2のグループに割り当てられる時に、UEの第2のグループおよびUEの第1のグループの同一のHARQタイミングを有するダウンリンクサブフレームに関して、基地局は、UEの第1のグループのマッピングルールに従ってPUCCHリソース領域を決定し、UEの第1のグループとは異なるHARQタイミングを有するダウンリンクサブフレームについて、基地局は、UEの第1のグループのPUCCHリソース領域のオーバーラップがないことを保証するために、新しいマッピングルールに従ってPUCCHリソース領域を決定し、したがって、この方法は、基地局の実施の複雑さを回避するだけではなく、PUCCHリソースオーバーヘッドをも減らす。
【図面の簡単な説明】
【０２５４】
【図１】アップリンクサブフレーム内でダウンリンクサブフレームにPUCCHリソース領域を割り当てる実施の形を示す概略図である。
【図２】アップリンクサブフレーム内でダウンリンクサブフレームにPUCCHリソース領域を割り当てるもう1つの実施の形を示す概略図である。
【図３】本願によるリソース割当システムの実施の形を示す概略構造図である。
【図４】本願によるリソース割当方法の第1の実施の形を示す流れ図である。
【図５】本願によるリソース割当方法の第1の実施の形における解決策1における第2のPUCCHリソース領域の第1のアップリンクサブフレーム内での決定を示す流れ図である。
【図６】本願による、アップリンク-ダウンリンク構成0がUEの第1のグループによって使用され、アップリンク-ダウンリンク構成1がUEの第2のグループによって使用される、割当の後に入手される結果を示す概略図である。
【図７】本願による、アップリンク-ダウンリンク構成1がUEの第1のグループによって使用され、アップリンク-ダウンリンク構成2がUEの第2のグループによって使用される、割当の後に入手される結果を示す概略図である。
【図８】本願による、アップリンク-ダウンリンク構成2がUEの第1のグループによって使用され、アップリンク-ダウンリンク構成3がUEの第2のグループによって使用される、割当の後に入手される結果を示す概略図である。
【図９】本願による、リソース割当方法の第1の実施の形における解決策2における、第1のアップリンクサブフレーム内での第2のPUCCHリソース領域の決定を示す流れ図である。
【図１０】本願による、リソース割当方法の第2の実施の形を示す流れ図である。
【図１１】本願による、リソース割当方法の第2の実施の形における解決策1における第4のPUCCHリソースの決定を示す流れ図である。
【図１２】本願による、リソース割当方法の第2の実施の形における解決策2における第4のPUCCHリソースの決定を示す流れ図である。
【図１３】本願によるリソース割当方法の第3の実施の形を示す流れ図である。
【図１４】本願によるリソース割当方法の第4の実施の形を示す流れ図である。
【図１５】本願による基地局の第1の実施の形を示す概略構造図である。
【図１６】本願によるユーザ機器の第1の実施の形を示す概略構造図である。
【図１７】本願による基地局の第2の実施の形を示す概略構造図である。
【図１８】本願によるユーザ機器の第2の実施の形を示す概略構造図である。
【図１９】本願による基地局の第3の実施の形を示す概略構造図である。
【図２０】本願によるユーザ機器の第3の実施の形を示す概略構造図である。
【図２１】本願による基地局の第4の実施の形を示す概略構造図である。
【図２２】本願によるユーザ機器の第4の実施の形を示す概略構造図である。
【発明を実施するための形態】
【０２５５】
以下の説明では、限定ではなく例示のために、特定のシステム構造、インターフェース、および技術などの特定の詳細が、本願の完全な理解を行うために提供される。しかし、当業者は、本願が、これらの特定の詳細を伴わない他の実施の形において実践され得ることを知るに違いない。他の場合には、本願が不必要な詳細によって不明瞭にされることなく説明されるようにするために、周知の装置、回路、および方法の詳細な説明は、省略される。
【０２５６】
あるシステムにおける時間領域は、無線フレームから構成される。無線フレームは、システムフレーム番号(SFN)nfを使用することによって識別される。SFNは、循環的な形で周期的に無線フレームに付番するためのものである。たとえば、10ビットが、SFNをマークするのに使用され、nf=0、1、2、…、1023である、すなわち、無線フレームは、0から1023までの番号を付けられ、その後、もう一度0から番号を付けられ始める。各無線フレームは、その長さが1msである10個のサブフレームを含み、各無線フレーム内のサブフレームは、サブフレーム番号nsbfを使用することによって識別され、nsbf=0、1、2、…、9である。したがって、システムにおいて、1つのサブフレームは、システムフレーム番号nfと、各無線フレーム内のサブフレーム番号nsbfとを使用することによって識別される。同一のことが、下で言及されるサブフレーム(アップリンクサブフレームおよびダウンリンクサブフレームを含む)にあてはまる。
【０２５７】
現在のTDDシステムは、7つのアップリンク-ダウンリンク構成をサポートし、各アップリンク-ダウンリンク構成の特定構成の形は、次の表に示されている。
【０２５８】
【表１】
0006629727.tif 000098
【０２５９】
Uは、アップリンクサブフレームを表し、Dは、ダウンリンクサブフレームを表し、Sは、ダウンリンク送信に主に使用される特殊サブフレームを表す。本発明において、特殊サブフレームおよびダウンリンクサブフレームは、集合的にダウンリンクサブフレームと呼ばれる。無線フレームの前述の説明から、そのサブフレーム番号が0から9までであるサブフレームが1つの無線フレームを形成することがわかる。レガシUEに関して、システムは、ブロードキャスト情報を使用することによって現在のアップリンク-ダウンリンク構成を通知し、構成は、少なくとも640ミリ秒(ms)おきに1回変化する。より後に公表されたUEに関して、システムは、異なるアップリンク-ダウンリンク構成を動的に通知することができる。
【０２６０】
HARQタイミングは、PDSCH(PDCCHを使用することによってスケジューリングされるPDSCH、PDCCHおよびPDSCHは、同一のダウンリンクサブフレーム内で送信される)とHARQフィードバック情報との間の送信タイミング関係を指し、あるいは、ダウンリンク準永続スケジューリングリリースPDCCHバリデーション(SPS Release PDCCH Validation、Semi-Persistent Scheduling Release PDCCH Validation)シグナリング(略してダウンリンクSPSリリースシグナリングと称する場合がある)とHARQフィードバック情報との間の送信タイミング関係をさらに含む。TDDシステムは、異なるアップリンク-ダウンリンク構成について異なるHARQタイミングを定義する。Table 2(表2)に示されているように、本明細書で議論される「異なるHARQタイミング」は、2つのケースを含み、一方のケースでは、HARQタイミングの異なる量が、異なるアップリンク-ダウンリンク構成について定義され、たとえば、4つのダウンリンクサブフレームに関するHARQタイミングが、構成0について定義され、6つのダウンリンクサブフレームに関するHARQタイミングが、構成1について定義される。他方のケースでは、同一のダウンリンクサブフレーム(同一のサブフレーム番号を有するダウンリンクサブフレームを指す)が、異なるアップリンク-ダウンリンク構成において異なるHARQタイミングを有し、たとえば、アップリンク-ダウンリンク構成0において、ダウンリンクサブフレーム0のHARQフィードバック情報は、アップリンクサブフレーム4内で送信され、アップリンク-ダウンリンク構成1において、ダウンリンクサブフレーム0のHARQフィードバック情報は、アップリンクサブフレーム7内で送信される。具体的には、基地局は、ダウンリンクサブフレームn-k内で、PDSCHまたはダウンリンクSPSリリースPDCCHバリデーションシグナリングをUEに送信し、UEは、アップリンクサブフレームn内で、PDSCHのHARQフィードバック情報またはダウンリンクSPSリリースPDCCHバリデーションシグナリングを基地局に送信する。本発明において、説明の簡単さのために、ダウンリンクサブフレームn-kがアップリンクサブフレームnに関連すると短く説明される場合がある。ダウンリンクサブフレームn-kは、アップリンクサブフレームnから逆方向(すなわち、より前)にカウントしてk番目のサブフレームである、すなわち、時間順序に従って、ダウンリンクサブフレームn-kは、最初に現れ、カウントされたk番目のサブフレームは、アップリンクサブフレームnであり、ここで、k∈Kであり、Kは、M個の要素を含む集合であり、この集合は、ダウンリンクアソシエーション集合と呼ばれ、この集合に含まれる要素のインデックスは、{k0,k1,…,kM-1}であり、Mは、ダウンリンクアソシエーション集合内の要素の量である。異なるアップリンク-ダウンリンク構成に関して、異なるダウンリンクアソシエーション集合Kが、異なるアップリンクサブフレーム内で決定される可能性がある。
【０２６１】
したがって、アップリンク-ダウンリンク構成が決定された後に、各アップリンク-ダウンリンク構成におけるHARQタイミングが、次の表に示されているように、対応して決定され得る。
【０２６２】
【表２】
0006629727.tif 000099
【０２６３】
たとえば、アップリンク-ダウンリンク構成0において、そのサブフレーム番号が2であるアップリンクサブフレームは、逆方向にカウントして6番目のサブフレームすなわち、前の無線フレームの、そのサブフレーム番号が6であるダウンリンクサブフレームのHARQフィードバック情報を送信するのに使用される。したがって、前の無線フレームの、そのサブフレーム番号が6であるダウンリンクサブフレームは、現在の無線フレームの、そのサブフレーム番号が2であるアップリンクサブフレームに関連する、すなわち、PUCCHリソース領域が、前の無線フレームの、そのサブフレーム番号が6であるダウンリンクサブフレームに割り当てられるのは、現在の無線フレームの、そのサブフレーム番号が2であるアップリンクサブフレーム内でなければならない。アップリンク-ダウンリンク構成1において、そのサブフレーム番号が2であるアップリンクサブフレームは、逆方向にカウントして6番目のサブフレームおよび逆方向にカウントして7番目のサブフレームすなわち、前の無線フレームの、そのサブフレーム番号が6であるダウンリンクサブフレームおよび前の無線フレームの、そのサブフレーム番号が5であるダウンリンクサブフレームのHARQフィードバック情報を送信するのに使用される。したがって、前の無線フレームの、そのサブフレーム番号が6であるダウンリンクサブフレームおよび前の無線フレームの、そのサブフレーム番号が5であるダウンリンクサブフレームは、現在の無線フレームの、そのサブフレーム番号が2であるアップリンクサブフレームに関連する、すなわち、PUCCHリソース領域が、前の無線フレームの、そのサブフレーム番号が6であるダウンリンクサブフレームおよび前の無線フレームの、そのサブフレーム番号が5であるダウンリンクサブフレームに割り当てられるのは、現在の無線フレームの、そのサブフレーム番号が2であるアップリンクサブフレーム内でなければならない。
【０２６４】
既存のシステムにおいて、HARQフィードバック情報を搬送するPUCCHリソースが、PDCCHによって占められる制御チャネル要素(CCE)に従って決定される時に、アップリンクサブフレームn内でPUCCHリソースを決定するプロセスは、次の通りである。
【０２６５】
第1に、Nc≦nCCE<Nc+1にする、cの1つの値が、{0, 1, 2, 3}から選択され、ここで、nCCEは、ダウンリンクサブフレームn-km内で送信されるPDCCHによって使用される第1のCCEの番号であり、
【０２６６】
【数９７】
0006629727.tif 000100
【０２６７】
であり、
【０２６８】
【数９８】
0006629727.tif 000101
【０２６９】
は、ダウンリンクシステム帯域幅であり、
【０２７０】
【数９９】
0006629727.tif 000102
【０２７１】
は、リソースブロック(RB)の周波数領域サイズすなわち、含まれる副搬送波の量であり、kmは、アップリンクサブフレームn内のダウンリンクアソシエーション集合K内の1つの要素であり、mは、ダウンリンクサブフレーム集合内の、ダウンリンクサブフレーム集合内のダウンリンクサブフレームの、アソシエーション領域インデックスすなわちシーケンス番号である。
【０２７２】
次に、PUCCHリソースが決定される。1つのアンテナポートだけが構成される時には、アンテナポートp0上のPUCCHリソースは、
【０２７３】
【数１００】
0006629727.tif 000103
【０２７４】
である。2つのアンテナポートが構成される時には、アンテナポートp1上のPUCCHリソースは、
【０２７５】
【数１０１】
0006629727.tif 000104
【０２７６】
である。
【０２７７】
【数１０２】
0006629727.tif 000105
【０２７８】
は、上位レイヤシグナリングを使用することによって構成され、Mは、ダウンリンクアソシエーション集合内の要素の量すなわち、ダウンリンクサブフレーム集合内の要素の量である。
【０２７９】
複数のCCEが、DLサブフレームごとに構成され、異なるCCEは、異なるPUCCHリソースに対応し、したがって、あるULサブフレーム内で、複数のPUCCHリソースが、そのULサブフレームに関連するDLサブフレームのために予約され、これらの複数のPUCCHリソースは、1つのPUCCH領域を形成する、すなわち、1つのULサブフレーム内で、1つのPUCCHリソース領域が、そのULサブフレームに関連するDLサブフレームのために予約される。前述のプロセスからわかるように、mが異なる時すなわち、異なるダウンリンクサブフレームについて、予約されるPUCCHリソース領域は、異なる。さらに、各ダウンリンクサブフレーム内の制御チャネルは、C個の領域に分割され、これに対応して、各ダウンリンクサブフレームに対応するPUCCHリソース領域も、C個の領域に分割される。複数のダウンリンクサブフレームが、1つのアップリンクサブフレームに関連する時には、複数のダウンリンクサブフレームに対応するPUCCHリソース領域が、図1に例示的に示されているように、交互に交替する形で配置される。
【０２８０】
しかし、システムが、レガシUEとより後に公表されたUEとの両方と互換である必要がある時には、そのような問題が発生し、図1に示されているように、アップリンク-ダウンリンク構成0が、レガシUEによって使用されると仮定される。現在の無線フレームの、そのサブフレーム番号が2であるアップリンクサブフレーム内では、PUCCHリソース領域は、前の無線フレームの、そのサブフレーム番号が6であるダウンリンクサブフレームに割り当てられる。アップリンク-ダウンリンク構成1は、より後に公表されたUEによって使用される。現在の無線フレームの、そのサブフレーム番号が2であるアップリンクサブフレーム内では、PUCCHリソース領域は、前の無線フレームの、そのサブフレーム番号が6および5であるダウンリンクサブフレームに別々に割り当てられる。レガシUEに関して、Mは1であり、そのサブフレーム番号が6であるダウンリンクサブフレームのシーケンス番号は、0であり、より後に公表されたUEに関して、Mは2であり、そのサブフレーム番号が5であるダウンリンクサブフレームのシーケンス番号は、0であり、そのサブフレーム番号が6であるダウンリンクサブフレームのシーケンス番号は、1である。式の他のパラメータは、すべてが同一であり、Mおよびmだけが異なる。したがって、割当の結果は、この図に示されており、2つのバージョンのUEに割り当てられるPUCCHリソース領域は、オーバーラップを有する。この形で、基地局が、オーバーラップしたPUCCHリソース領域から異なるバージョンのUEに構成された異なるPUCCHリソースを区別することができるようにするために、PDCCHスケジューリングアルゴリズムの複雑さが、不可避的に作成される必要があり、これが、基地局の動作効率の低下を引き起こす。
【０２８１】
スケジューリングアルゴリズムの複雑さを減らすために、リソース構成方法を提供することができる。図2に示されているように、オフセットが、UEの第2のグループのPUCCHリソース領域に与えられ、その結果、第2のグループのPUCCHリソース領域および第1のグループのPUCCHリソース領域が、完全に交互に交替するようにされる。しかし、この形では、2つのPUCCHリソース領域が、そのサブフレーム番号が6であるダウンリンクサブフレームに割り当てられ、1つのPUCCHリソース領域が、レガシUEに割り当てられ、1つのPUCCHリソース領域も、より後に公表されたUEに割り当てられ、リソースの浪費を引き起こすことと同等である。同一のアップリンクサブフレーム内で、PUCCHリソース領域がレガシUE内で割り当てられる必要があるダウンリンクサブフレームと、PUCCHリソースがより後に公表されたUEに割り当てられる必要があるダウンリンクサブフレームとが、より多くの量の共通のダウンリンクサブフレームを有する時に、浪費がより深刻になる。
【０２８２】
前述の2つのシナリオの分析を介して、本発明は、アルゴリズムの増やされた複雑さおよびリソースの浪費という問題を回避することができる、以下の実施形態を提供する。
【０２８３】
図3を参照すると、図3は、本願によるリソース割当システムの実施の形の概略構造図を示す。この実施の形のリソース割当システムは、基地局110、UEの第1のグループ120、およびUEの第2のグループ130を含む。基地局110のシステムは、UEの第1のグループ120とUEの第2のグループ130との両方と互換とすることができる。基地局110は、UEの第1のグループ120およびUEの第2のグループ130と別々に通信することができる。UEの第1のグループ120は、第1のアップリンク-ダウンリンク構成を使用し、UEの第1のグループ120は、動的TDDアップリンク-ダウンリンク構成能力を有しないUEであり、あるいは、基地局による動的TDDアップリンク-ダウンリンク構成を用いては構成されないUEであり、あるいは、レガシUEすなわち、後方互換UE(legacy UE)、たとえばLTE Release-8/9/10/11をサポートするUEである。UEの第2のグループのHARQタイミングを示すのに使用される基準アップリンク-ダウンリンク構成またはUEの第2のグループのアップリンク-ダウンリンクサブフレーム割当を示すのに使用される第2のアップリンク-ダウンリンク構成であり、UEの第2のグループ130は、動的TDDアップリンク-ダウンリンク構成能力を有するUE、基地局による動的TDDアップリンク-ダウンリンク構成を用いて構成されるUE、またはより後に公表されたUE、たとえば、LTE Release-12をサポートしもしくはLTE Release-12より後のリリースをサポートするUEである。
【０２８４】
図4は、本願によるリソース割当方法の第1の実施の形の流れ図である。この実施の形は、基地局が実行エンティティとして使用される例を使用することによって説明される。図4に示されているように、この実施形態における方法は、以下を含むことができる。
【０２８５】
S101:基地局が、第1のアップリンク-ダウンリンク構成および第2のアップリンク-ダウンリンク構成を構成する。
【０２８６】
基地局は、UE能力、サービス要件、リリース情報、または類似物に従って、2つのUEグループを決定する。たとえば、UEの第1のグループは、動的TDDアップリンク-ダウンリンク構成を有しないUEであり、UEの第2のグループは、動的TDDアップリンク-ダウンリンク構成能力を有するUEであり、あるいは、UEの第1のグループは、基地局による動的TDDアップリンク-ダウンリンク構成を用いては構成されないUEであり、UEの第2のグループは、基地局による動的TDDアップリンク-ダウンリンク構成を用いて構成されたUEであり、あるいは、UEの第1のグループは、レガシUEすなわち、後方互換UE(legacy UE)、たとえば、LTE Release-8/9/10/11をサポートするUEであり、UEの第2のグループは、より後に公表されたUE、たとえば、LTE Release-12をサポートするか、LTE Release-12以降のリリースをサポートするUEである。
【０２８７】
基地局は、UEの第1のグループの第1のアップリンク-ダウンリンク構成を構成する、すなわち、第1のアップリンク-ダウンリンク構成は、UEの第1のグループに適用されるアップリンク-ダウンリンク構成である。基地局は、上位レイヤシグナリングを使用することによって、好ましくは、SIB1(システム情報ブロック1)を使用することによって、第1のアップリンク-ダウンリンク構成のUEの第1のグループを通知することができる。上位レイヤシグナリングは、物理レイヤシグナリングに対する相対的なものであり、上位レイヤからのものであるシグナリングであり、より少ない送信周波数を有し、無線リソース制御(RRC)シグナリング、媒体アクセス制御(MAC)シグナリング、および類似物を含む。
【０２８８】
基地局は、UEの第2のグループの第2のアップリンク-ダウンリンク構成を構成する、すなわち、第2のアップリンク-ダウンリンク構成は、UEの第2のグループに適用されるアップリンク-ダウンリンク構成である。第2のアップリンク-ダウンリンク構成は、アップリンク-ダウンリンクサブフレーム割当を示すのに使用され得、言い換えると、アップリンク-ダウンリンクデータを送信するのに使用され得るサブフレームを示すのに使用され得る。それに対応して、第2のアップリンク-ダウンリンク構成は、相対的に動的な形で変化し、基地局は、物理レイヤシグナリングを使用することによって、第2のアップリンク-ダウンリンク構成についてUEの第2のグループに通知することができる。代替案では、好ましくは、第2のアップリンク-ダウンリンク構成は、基準アップリンク-ダウンリンク構成(reference UL-DL configuration)であり、基準アップリンク-ダウンリンク構成は、UEのHARQタイミングを決定するのに使用される。動的TDDアップリンク-ダウンリンク構成の応用シナリオにおいて、アップリンク-ダウンリンク構成は、動的に変化することができ、これに対応して、HARQタイミングも動的に変化する。この形で、アップリンク-ダウンリンク構成が変化しつつある期間内に、いくつかのダウンリンクパケットに関するHARQフィードバック情報が送信され得ないことが引き起こされる。したがって、基準アップリンク-ダウンリンク構成が導入され、アップリンク-ダウンリンク構成が変化する場合であっても、UEは、この構成に従ってHARQタイミングをも決定し、これによって、ダウンリンクパケットに関するHARQフィードバック情報が、アップリンク-ダウンリンク構成が変化しつつある期間内に送信され得ないという問題を回避する。好ましくは、基準アップリンク-ダウンリンク構成は、ダウンリンクサブフレームの量が、アップリンクサブフレームの量より多い構成、たとえば、アップリンク-ダウンリンク構成5またはアップリンク-ダウンリンク構成2である。基準アップリンク-ダウンリンク構成を構成する、3つの方法がある。1.基地局は、上位レイヤシグナリング(たとえば、RRCシグナリング)を使用することによって、第2のアップリンク-ダウンリンク構成についてUEの第2のグルー
プに通知することができる。2.基準アップリンク-ダウンリンク構成が、アップリンク-ダウンリンク構成5またはアップリンク-ダウンリンク構成2であることが、標準規格において事前に定義されている。3.基準アップリンク-ダウンリンク構成を決定するルールが、標準規格において事前に定義され、基地局とUEとの両方が、このルールに従って基準アップリンク-ダウンリンク構成を決定する。たとえば、スイッチングの前と後との2つのアップリンク-ダウンリンク構成の両方が、5msのダウンリンクからアップリンクへのスイッチングポイント期間(switching point period)に属する時には、アップリンク-ダウンリンク構成2が、基準アップリンク-ダウンリンク構成として使用され、スイッチングの前後の2つのアップリンク-ダウンリンク構成のいずれかが、10msのダウンリンクからアップリンクへのスイッチングポイント期間に属する時には、アップリンク-ダウンリンク構成5が、基準アップリンク-ダウンリンク構成として使用される。
【０２８９】
通信中に、UEの第1のグループおよびUEの第2のグループによって使用される第1のアップリンク-ダウンリンク構成および第2のアップリンク-ダウンリンク構成が、同一のアップリンク-ダウンリンク構成である場合には、UEの第1のグループおよびUEの第2のグループに割り当てられるPUCCHリソース領域は、同一であり、オーバーラップしたPUCCHリソース領域およびリソースの浪費という問題は、存在しない。第1のアップリンク-ダウンリンク構成が、UEの第1のグループによって使用され、第2のアップリンク-ダウンリンク構成が、UEの第2のグループによって使用される(Table 1(表1)に示されたアップリンク-ダウンリンク構成0が、UEの第1のグループによって使用され、Table 1(表1)に示されたアップリンク-ダウンリンク構成1が、UEの第2のグループによって使用されると仮定する)時には、Table 2(表2)を参照すると、UEの第1のグループに関して、そのサブフレーム番号が2であるアップリンクサブフレーム内で、PUCCHリソース領域が、前の無線フレームの、そのサブフレーム番号が6であるダウンリンクサブフレームに割り当てられる必要があり、UEの第2のグループに関して、そのサブフレーム番号が2であるアップリンクサブフレーム内で、PUCCHリソース領域が、前の無線フレームの、そのサブフレーム番号が5および6であるダウンリンクサブフレームに割り当てられる必要がある。すなわち、第1のアップリンク-ダウンリンク構成がそれによって使用されるUEの第1のグループに関連する第1のアップリンクサブフレームのダウンリンクサブフレーム集合は、{6}であり、第2のアップリンク-ダウンリンク構成がそれによって使用されるUEの第2のグループに関連する第1のアップリンクサブフレームのダウンリンクサブフレーム集合は、{5, 6}である。
【０２９０】
UEの第1のグループに関して、PUCCHリソース領域割当を、既存のアルゴリズムに従って実行することができる。UEの第2のグループに関して、PUCCHリソース領域割当を、以下に従って実行することができる。
【０２９１】
S102:基地局が、第1のダウンリンクサブフレーム集合を決定し、第1のダウンリンクサブフレーム集合は、第1のアップリンク-ダウンリンク構成と第2のアップリンク-ダウンリンク構成との両方において第1のアップリンクサブフレームに関連する。
【０２９２】
異なるHARQタイミングが、異なるアップリンク-ダウンリンク構成に関して定義されるが、いくつかのダウンリンクサブフレームに関して、それでも、同一のHARQタイミングが、2つのアップリンク-ダウンリンク構成内に存在する。したがって、基地局は、その後にルールに従ってPUCCHリソース領域を予約するために、1つのサブフレーム集合が、これらのダウンリンクサブフレームを含むと決定する。
【０２９３】
したがって、基地局は、第1のダウンリンクサブフレーム集合を決定し、第1のダウンリンクサブフレーム集合は、第1のアップリンク-ダウンリンク構成と第2のアップリンク-ダウンリンク構成との両方において第1のアップリンクサブフレームに関連する。基地局は、第1のアップリンク-ダウンリンク構成のHARQタイミングに従って、第1のアップリンクサブフレームに関連するダウンリンクサブフレーム集合Aを決定し、次に、基地局は、第2のアップリンク-ダウンリンク構成のHARQタイミングに従って、第1のアップリンクサブフレームに関連するダウンリンクサブフレーム集合Bを決定し、最後に、基地局は、第1のダウンリンクサブフレーム集合が、ダウンリンクサブフレーム集合Aとダウンリンクサブフレーム集合Bとの積集合であると決定する。たとえば、そのサブフレーム番号が2であるアップリンクサブフレームに関して、第1のダウンリンクサブフレーム集合は、集合{6}と集合{5, 6}との積集合すなわち、集合{6}である。同様に、アップリンク-ダウンリンク構成1が、UEの第1のグループによって使用され、アップリンク-ダウンリンク構成2が、UEの第2のグループによって使用される場合に、第1のダウンリンクサブフレーム集合は、集合{5, 6}と集合{4, 5, 8, 6}との積集合すなわち集合{5, 6}である。アップリンク-ダウンリンク構成2が、UEの第1のグループによって使用され、アップリンク-ダウンリンク構成3が、UEの第2のグループによって使用される場合に、第1のダウンリンクサブフレーム集合は、集合{4, 5, 8, 6}と集合{5, 6, 1}との積集合すなわち集合{5, 6}である。
【０２９４】
S103:基地局が、第2のダウンリンクサブフレーム集合を決定し、第2のダウンリンクサブフレーム集合は、第2のアップリンク-ダウンリンク構成において第1のアップリンクサブフレームに関連し、第2のダウンリンクサブフレーム集合は、第1のアップリンク-ダウンリンク構成において第1のアップリンクサブフレームに関連しない。
【０２９５】
基地局は、第2のダウンリンクサブフレーム集合を決定し、ここで、第2のダウンリンクサブフレーム集合は、第1のアップリンクサブフレームに関連し、第2のアップリンク-ダウンリンク構成のHARQタイミングに従って決定される、ダウンリンクサブフレーム集合内の第1のダウンリンクサブフレーム集合の補集合である。したがって、基地局は、第1のアップリンク-ダウンリンク構成に従って、第1のアップリンクサブフレームに関連するダウンリンクサブフレーム集合Aを決定し、次に、基地局は、第2の第1のアップリンク-ダウンリンク構成に従って、第1のアップリンクサブフレームに関連するダウンリンクサブフレーム集合Bを決定し、最後に、基地局は、第2のダウンリンクサブフレーム集合が、ダウンリンクサブフレーム集合Aの補集合
【０２９６】
【数１０３】
0006629727.tif 000106
【０２９７】
とダウンリンクサブフレーム集合Bとの積集合であると決定する。すなわち、第2のダウンリンクサブフレーム集合内に含まれるダウンリンクサブフレームは、ダウンリンクサブフレーム集合Aには属さないが、ダウンリンクサブフレーム集合Bには属する。たとえば、そのサブフレーム番号が2であるアップリンクサブフレームに関して、第2のダウンリンクサブフレーム集合は、集合{5, 6}内の第1のダウンリンクサブフレーム集合{6}の補集合すなわち集合{5}である。同様に、アップリンク-ダウンリンク構成1がUEの第1のグループによって使用され、アップリンク-ダウンリンク構成2がUEの第2のグループによって使用される場合に、第2のダウンリンクサブフレーム集合は、集合{4, 5, 8, 6}内の第1のダウンリンクサブフレーム集合{5, 6}の補集合すなわち集合{4, 8}である。アップリンク-ダウンリンク構成2がUEの第1のグループによって使用され、アップリンク-ダウンリンク構成3がUEの第2のグループによって使用される場合に、第2のダウンリンクサブフレーム集合は、集合{5, 6, 1}内の第1のダウンリンクサブフレーム集合{5, 6}の補集合すなわち集合{1}である。
【０２９８】
S104:基地局が、第1のアップリンクサブフレーム内で、第1のアップリンク-ダウンリンク構成のHARQタイミングに従って第1のPUCCHリソース領域を決定し、第1のPUCCHリソース領域は、第1のダウンリンクサブフレーム集合のHARQフィードバック情報のために予約されたリソース領域である。
【０２９９】
第1のダウンリンクサブフレーム集合のHARQフィードバック情報は、第1のダウンリンクサブフレーム集合内のダウンリンクサブフレーム内で送信されるPDSCHまたはダウンリンクSPSリリースシグナリングのHARQフィードバック情報を指す。
【０３００】
第1のダウンリンクサブフレーム集合に関して、基地局は、第1のアップリンク-ダウンリンク構成のHARQタイミングに従ってUEの第2のグループのPUCCHリソース領域を決定する。具体的には、基地局は、M1およびjに従って第1のダウンリンクサブフレーム集合に第1のPUCCHリソース領域を割り当て、ここで、M1は、第1のアップリンク-ダウンリンク構成のHARQタイミングに従って決定され、第1のアップリンクサブフレームに関連するダウンリンクサブフレーム集合A内の要素の量であり、jは、ダウンリンクサブフレーム集合A内の、第1のダウンリンクサブフレーム集合内のダウンリンクサブフレームのシーケンス番号である。この形で、第1のダウンリンクサブフレーム集合に関して、基地局は、UEの第1のグループおよびUEの第2のグループに関して同一のPUCCHリソース領域を構成し、これは、基地局の実施の複雑さを回避するたけではなく、PUCCHリソースオーバーヘッドをも減らす。
【０３０１】
具体的には、基地局は、式
【０３０２】
【数１０４】
0006629727.tif 000107
【０３０３】
に従って第1のダウンリンクサブフレーム集合内のダウンリンクサブフレームにPUCCHリソース領域を割り当て、ここで、
【０３０４】
【数１０５】
0006629727.tif 000108
【０３０５】
は、第1のPUCCHリソース領域内のPUCCHリソースであり、pxは、アンテナポート番号であり、アンテナポートがp0である時には、x=0であり、アンテナポートがp1である時には、x=1であり、より多くのアンテナポートがある時には、同様であり、M1は、第1のアップリンク-ダウンリンク構成に従って決定される、第1のアップリンクサブフレームに関連するダウンリンクサブフレーム集合A内の要素の量であり、jは、ダウンリンクサブフレーム集合A内の、第1のダウンリンクサブフレーム集合内のダウンリンクサブフレームのシーケンス番号であり、
【０３０６】
【数１０６】
0006629727.tif 000109
【０３０７】
であり、
【０３０８】
【数１０７】
0006629727.tif 000110
【０３０９】
は、ダウンリンクシステム帯域幅であり、
【０３１０】
【数１０８】
0006629727.tif 000111
【０３１１】
は、リソースブロックの周波数領域サイズであり、cは、{0, 1, 2, 3}に属し、Nc≦nCCE<Nc+1になるようにされ、nCCEは、第1のダウンリンクサブフレーム集合内のダウンリンクサブフレーム内で送信されるPDCCHによって占められる第1のCCEの番号であり、
【０３１２】
【数１０９】
0006629727.tif 000112
【０３１３】
は、第1のPUCCHリソース領域のオフセットであり、上位レイヤシグナリングを使用することによって構成される、すなわち、UEの第1のグループに関して構成されるリソースオフセットである。
【０３１４】
したがって、UEの第1のグループおよびUEの第2のグループに関して、第1のダウンリンクサブフレーム集合のPUCCHリソースを決定するのに使用されるパラメータM1およびjの値は、同一である。したがって、UEの第1のグループおよびUEの第2のグループに関して、同一のダウンリンクサブフレームに割り当てられるPUCCHリソース領域は、同一である。
【０３１５】
たとえば、第1のダウンリンクサブフレーム集合が{6}であり、第1のアップリンク-ダウンリンク構成内で第1のアップリンクサブフレームに関連するダウンリンクサブフレーム集合が{6}である時には、ダウンリンクサブフレーム6のシーケンス番号は、0である。同様に、第1のダウンリンクサブフレーム集合が{5, 6}であり、第1のアップリンク-ダウンリンク構成内で第1のアップリンクサブフレームに関連するダウンリンクサブフレーム集合が{5, 6}である時には、第1のアップリンク-ダウンリンク構成内で第1のアップリンクサブフレームに関連するダウンリンクサブフレーム集合内のダウンリンクサブフレーム5のシーケンス番号は、0であり、第1のアップリンク-ダウンリンク構成内で第1のアップリンクサブフレームに関連するダウンリンクサブフレーム集合内のダウンリンクサブフレーム6のシーケンス番号は、1である。第1のダウンリンクサブフレーム集合が{5, 6}であり、第1のアップリンク-ダウンリンク構成内で第1のアップリンクサブフレームに関連するダウンリンクサブフレーム集合が{4, 5, 8, 6}である時には、ダウンリンクサブフレーム5のシーケンス番号は、1であり、ダウンリンクサブフレーム6のシーケンス番号は、3である。
【０３１６】
S105:基地局が、第1のアップリンクサブフレーム内で、第2のPUCCHリソース領域を決定し、第2のPUCCHリソース領域は、第2のダウンリンクサブフレーム集合のHARQフィードバック情報のために予約されたリソース領域である。
【０３１７】
ステップS105は、2つの解決策を使用することによって実施され得る。
【０３１８】
解決策1において、図5を参照すると、図5は、本願によるリソース割当方法の第1の実施の形における解決策1における第2のPUCCHリソース領域の第1のアップリンクサブフレーム内での決定の流れ図である。第2のPUCCHリソース領域の設計目的は、次の2つのポイントを含む。1.UEの第1のグループに関して決定されるPUCCHリソース領域とのオーバーラップを回避する。2.第2のPUCCHリソース領域が相対的に少ない量のリソースを占めるようにする。前述の2つの目的を達成するために、第2のPUCCHリソース領域の決定は、2つのステップすなわちステップS1051およびステップS1053を含むことができる。
【０３１９】
S1051:基地局が、M2およびiを決定し、M2は、第2のダウンリンクサブフレーム集合内の要素の量であり、iは、第2のダウンリンクサブフレーム集合内の、第2のダウンリンクサブフレーム集合内のダウンリンクサブフレームのシーケンス番号である。
【０３２０】
S1053:基地局が、第2のPUCCHリソース領域のオフセットを決定し、オフセットは、第2のダウンリンクサブフレーム集合に割り当てられるPUCCHリソース領域およびUEの第1のグループに割り当てられるPUCCHリソース領域が完全に交互に交替するようにする。
【０３２１】
オフセットを決定する方法は、オフセットを、第1のアップリンク-ダウンリンク構成内の第1のアップリンクサブフレームに関連するダウンリンクサブフレームの量と1つのダウンリンクサブフレーム内で構成され得るCCEの最大量との積と等しくすることである。あるダウンリンクサブフレームに対応するPDCCHリソース領域内に含まれるOFDMシンボルの最大量は、3または4とすることができ、これは、システムの帯域幅によって具体的に決定される。帯域幅が相対的に大きい時には、シンボルの最大量を3とすることができ、帯域幅が相対的に小さい時には、シンボルの最大量を4とすることができる。OFDM(Orthogonal Frequency Division Multiplexing)シンボルの最大量に従って決定されるCCEの量は、第1のダウンリンクサブフレーム集合に割り当てられるPUCCHリソース領域と第2のダウンリンクサブフレーム集合に割り当てられるPUCCHリソース領域とが完全に交互に交替するようにするのに十分なオフセットを保証することができるが、PUCCHリソース領域によって占められるOFDMシンボルの量が動的に変化し得るので、少数のリソースが浪費される可能性がある。
【０３２２】
別の方法では、オフセットは、第1のアップリンク-ダウンリンク構成内の第1のアップリンクサブフレームに関連するダウンリンクサブフレームの量に1つのダウンリンクサブフレーム内で実際に構成されるCCEの量を乗じたものと等しくされる。たとえば、1つのダウンリンクサブフレームに対応するPUCCHリソース領域内に含まれるOFDMシンボルの最大量を、3とすることができるが、実際には、2つのOFDMシンボルだけが、現在構成されている。この形で、実際の構成に従って、第1のダウンリンクサブフレーム集合に割り当てられるPUCCHリソース領域および第2のダウンリンクサブフレーム集合に割り当てられるPUCCHリソース領域は、交互に交替するようにされ、これによって、リソースオーバーヘッドが減らされる。
【０３２３】
具体的には、前述の2つの方法を、オフセットを決定する以下の4つの方法にさらに分類することができる。
【０３２４】
方法1:ルールが、標準規格において事前に決定され、このルールは、UEの第1のグループとUEの第2のグループとに関して構成されるPUCCHリソース領域が、衝突しないことを保証し、これによって、基地局の実施の複雑さを回避する必要がある。たとえば、PDCCH領域が、最大4つのOFDMシンボルを占め、NΔ=M1×N4であり、M1が、第1のアップリンク-ダウンリンク構成に従って決定され、第1のアップリンクサブフレームに関連するダウンリンクサブフレーム集合内の要素の量を表し、あるいは、ダウンリンクシステム帯域幅に従って区別が行われ得、ここで、ダウンリンクシステム帯域幅は、10RB以下であり、PDCCH領域が、最大4つのOFDMシンボルN4を占め、あるいは、PDCCH領域が、最大3つのOFDMシンボルN3を占め、したがって、オフセットNΔが、以下の式に従って決定され得ると仮定される。
【０３２５】
【数１１０】
0006629727.tif 000113
【０３２６】
方法2:NΔは、上位レイヤシグナリングを使用することによって構成され得、あるいは動的TDDアップリンク-ダウンリンク構成のシナリオを考慮して、NΔは、物理レイヤシグナリングを使用して構成され得る。UEの第1のグループに関して、1つのオフセット
【０３２７】
【数１１１】
0006629727.tif 000114
【０３２８】
が、上位レイヤシグナリングを使用することによっても構成され、これに対応して、第2のダウンリンクサブフレーム集合に関して、実際のオフセットが、
【０３２９】
【数１１２】
0006629727.tif 000115
【０３３０】
であり、したがって、オプションで、
【０３３１】
【数１１３】
0006629727.tif 000116
【０３３２】
が、上位レイヤシグナリングを使用することによって構成され、あるいは、物理レイヤシグナリングを使用することによって構成されることに留意されたい。
【０３３３】
方法3:同様に、NΔ=M1×Ncであり、cの値は、上位レイヤシグナリングを使用することによって構成され得、あるいは、動的TDDアップリンク-ダウンリンク構成のシナリオを考慮して、cの値は、物理レイヤシグナリングを使用することによって構成され得る。たとえば、PDCCH領域が、実際に2つのOFDMシンボルを占める時に、基地局は、c=2を構成することができる。
【０３３４】
方法2または3によって、基地局は、より柔軟になり、基地局は、PDCCH領域によって実際に占められるOFDMシンボルの量に従ってNΔまたは
【０３３５】
【数１１４】
0006629727.tif 000117
【０３３６】
を柔軟に構成することができ、ここで、PUCCH領域によって実際に占められるOFDMシンボルの量が、4または3未満である時に、PUCCHリソースオーバーヘッドを、さらに減らすことができる。
【０３３７】
S1055:第1のアップリンクサブフレーム内で、基地局は、M2、i、およびオフセットNΔに従って、第2のPUCCHリソース領域を決定する。
【０３３８】
具体的には、基地局110は、式
【０３３９】
【数１１５】
0006629727.tif 000118
【０３４０】
に従って、第2のダウンリンクサブフレーム集合内のダウンリンクサブフレームにPUCCHリソース領域を割り当て、ここで、
【０３４１】
【数１１６】
0006629727.tif 000119
【０３４２】
は、第2のPUCCHリソース領域内のPUCCHリソースであり、pxは、アンテナポート番号であり、アンテナポートがp0である時には、x=0であり、アンテナポートがp1である時には、x=1であり、M2は、第2のダウンリンクサブフレーム集合内の要素の量であり、iは、第2のダウンリンクサブフレーム集合内の、第2のダウンリンクサブフレーム集合内のダウンリンクサブフレームのシーケンス番号であり、
【０３４３】
【数１１７】
0006629727.tif 000120
【０３４４】
であり、
【０３４５】
【数１１８】
0006629727.tif 000121
【０３４６】
は、ダウンリンクシステム帯域幅であり、
【０３４７】
【数１１９】
0006629727.tif 000122
【０３４８】
は、リソースブロックの周波数領域サイズであり、cは、{0, 1, 2, 3}に属し、
【０３４９】
【数１２０】
0006629727.tif 000123
【０３５０】
になるようにされ、
【０３５１】
【数１２１】
0006629727.tif 000124
【０３５２】
は、第2のダウンリンクサブフレーム集合内のダウンリンクサブフレーム内で送信されるPDCCHによって占められる第1のCCEの番号であり、
【０３５３】
【数１２２】
0006629727.tif 000125
【０３５４】
は、第2のPUCCHリソース領域のオフセットである。
【０３５５】
図6を参照すると、Table 1(表1)に示されたアップリンク-ダウンリンク構成0がUEの第1のグループ120によって使用され、Table 1(表1)に示されたアップリンク-ダウンリンク構成1がUEの第2のグループによって使用される場合に、割当の後の結果が、図6に示されている。
【０３５６】
図7を参照すると、Table 1(表1)に示されたアップリンク-ダウンリンク構成1がUEの第1のグループ120によって使用され、Table 1(表1)に示されたアップリンク-ダウンリンク構成2がUEの第2のグループによって使用される場合に、割当の後の結果が、図7に示されている。
【０３５７】
図8を参照すると、Table 1(表1)に示されたアップリンク-ダウンリンク構成2がUEの第1のグループ120によって使用され、Table 1(表1)に示されたアップリンク-ダウンリンク構成3がUEの第2のグループによって使用される場合に、割当の後の結果が、図8に示されている。
【０３５８】
オプションの解決策として、解決策2は、より柔軟である。図9を参照すると、図9は、本願による、リソース割当方法の第1の実施の形における解決策2において、第1のアップリンクサブフレーム内での第2のPUCCHリソース領域の決定の流れ図である。
【０３５９】
第2のダウンリンクサブフレーム集合は、2タイプのサブフレームを含むことができ、一方は、PDCCH領域がその中で構成されるダウンリンクサブフレームであり、他方は、PDCCH領域がその中で構成されないダウンリンクサブフレームである。PDCCH領域がその中で構成されないダウンリンクサブフレームに関して、次の2つのケースが含まれる。1.PDCCH領域がその中で構成されないが、ePDCCH(enhanced PDCCH)領域がその中で構成されるダウンリンクサブフレーム、ここで、このタイプのサブフレーム内では、PUCCHリソースが既存の解決策におけるPUCCHリソースへのePDCCHリソースのマッピングのルールに従って予約され、2.偽ダウンリンクサブフレーム(false downlink subframe)すなわち、ダウンリンクサブフレームが、現在はアップリンクサブフレームまたは空のサブフレームになるように構成されており、ここで、第2のアップリンク-ダウンリンク構成が基準アップリンク-ダウンリンク構成である時には、構成は、実際の形のアップリンク-ダウンリンク割当を示すことができず、したがって、第2のダウンリンクサブフレーム集合内のいくつかのサブフレームが、アップリンクサブフレームまたはデータを送信しない空のサブフレームとして構成され得る。したがって、PUCCH領域が、それでも、PDCCH領域が構成されないサブフレームのために予約される必要がある場合には、PUCCHリソースの浪費が引き起こされる。解決策2は、この問題を解決するためのものであり、具体的には、下記の3つのステップを含む。
【０３６０】
S1052:基地局が、M3およびi'を決定し、ここで、M3は、第2のダウンリンクサブフレーム集合内の、その中でPDCCH領域が構成されるダウンリンクサブフレームの量であり、i'は、第2のダウンリンクサブフレーム集合内の、その中でPDCCH領域が構成されるダウンリンクサブフレームのシーケンス番号であり、あるいは、M3は、第2のダウンリンクサブフレーム集合内の、PDCCHリソース領域がPDCCHリソース領域に従ってそれのために予約される必要があるダウンリンクサブフレームの量であり、i'は、第2のダウンリンクサブフレーム集合内の、PDCCHリソース領域がPDCCHリソース領域に従ってそれのために予約される必要があるダウンリンクサブフレームのシーケンス番号である。
【０３６１】
オプションで、基地局は、上位レイヤシグナリングまたは物理レイヤシグナリングを使用することによって、M3およびi'の値についてUEの第2のグループに通知することができる。
【０３６２】
S1054:基地局が、第2のPUCCHリソース領域のオフセットNΔを決定し、ここで、このオフセットは、第2のダウンリンクサブフレーム集合に割り当てられたPUCCHリソース領域とUEの第1のグループに割り当てられたPUCCHリソース領域とを完全に交互に交替させる。
【０３６３】
詳細についてはS1053を参照されたく、これをここで説明することはしない。
【０３６４】
S1056:第1のアップリンクサブフレーム内で、基地局が、M3、i'、およびオフセットNΔに従って第2のPUCCHリソース領域を決定する。
【０３６５】
具体的には、基地局は、式
【０３６６】
【数１２３】
0006629727.tif 000126
【０３６７】
に従って第2のダウンリンクサブフレーム集合内のダウンリンクサブフレームにPUCCHリソース領域を割り当て、ここで、
【０３６８】
【数１２４】
0006629727.tif 000127
【０３６９】
は、第2のPUCCHリソース領域内のPUCCHリソースであり、pxは、アンテナポート番号であり、ここで、アンテナポートがp0である時にはx=0であり、アンテナポートがp1である時にはx=1であり、
【０３７０】
【数１２５】
0006629727.tif 000128
【０３７１】
であり、
【０３７２】
【数１２６】
0006629727.tif 000129
【０３７３】
は、ダウンリンクシステム帯域幅であり、
【０３７４】
【数１２７】
0006629727.tif 000130
【０３７５】
は、リソースブロックの周波数領域サイズであり、cは、{0, 1, 2, 3}に属し、
【０３７６】
【数１２８】
0006629727.tif 000131
【０３７７】
になるようにされ、
【０３７８】
【数１２９】
0006629727.tif 000132
【０３７９】
は、第2のダウンリンクサブフレーム集合内のダウンリンクサブフレーム内で送信されるPDCCHによって占められる最初のCCEの番号であり、
【０３８０】
【数１３０】
0006629727.tif 000133
【０３８１】
は、第2のPDCCHリソース領域のオフセットである。
【０３８２】
この方法が使用された後に、たとえば、第2のダウンリンクサブフレーム集合は、{ダウンリンクサブフレーム4、ダウンリンクサブフレーム8}であるが、PDCCH領域は、ダウンリンクサブフレーム8内で構成されない。この形で、基地局は、M3=1を構成することができ、ダウンリンクサブフレーム4は、i'=0に対応する。たとえば、第2のダウンリンクサブフレーム集合は、{ダウンリンクサブフレーム9、ダウンリンクサブフレーム0、ダウンリンクサブフレーム3、ダウンリンクサブフレーム7、ダウンリンクサブフレーム1}であるが、PDCCH領域は、ダウンリンクサブフレーム9およびダウンリンクサブフレーム3内で構成されない。この形で、基地局は、M3=3を構成することができ、ダウンリンクサブフレーム0は、i'=0に対応し、ダウンリンクサブフレーム7は、i'=1に対応し、ダウンリンクサブフレーム1は、i'=2に対応する。
【０３８３】
ステップS101が、最初に行われ、これにステップS102およびステップS103が続き、最後にステップS104およびステップS105が続くことに留意されたい。ステップS102とステップS103との間に特定のタイミング関係がない可能性があり、ステップS102およびステップS103が、同期式に実行されてもよく、あるいは順次実行されてもよく、あるいはステップS102のみまたはステップS103のみが実行されてもよい。同様に、ステップS104とステップS105との間の特定のタイミング関係がない可能性があり、ステップS104およびステップS105が、同期式に実行されてもよく、あるいは順次実行されてもよく、あるいはステップS104のみまたはステップS105のみが実行されてもよい。図4から図6からわかるように、この実施形態において提供されるリソース割当方法において、PUCCHリソース領域がUEの第2のグループに割り当てられる時に、UEの第2のグループおよびUEの第1のグループと同一のHARQタイミングを有するダウンリンクサブフレームに関して、基地局は、UEの第1のグループのマッピングルールに従ってPUCCHリソース領域を決定し、UEの第1のグループのHARQタイミングとは異なるHARQタイミングを有するダウンリンクサブフレームに関して、基地局は、UEの第1のグループのPUCCHリソース領域とのオーバーラップがないことを保証するために、新しいマッピングルールに従ってPUCCHリソース領域を決定し、したがって、この方法は、基地局の実施の複雑さを回避するだけではなく、PUCCHリソースオーバーヘッドをも減らす。
【０３８４】
図10を参照すると、図10は、本願による、リソース割当方法の第2の実施の形の流れ図である。この実施形態は、UEが実行するエンティティとして使用される例を使用することによって説明される。図10に示されているように、この実施形態における方法は、下記を含むことができる。
【０３８５】
S201:UEが、第1のアップリンク-ダウンリンク構成と第2のアップリンク-ダウンリンク構成とを獲得する。
【０３８６】
UEは、ステップS101で説明された第2のグループのUEである、すなわち、UEの第2のグループは、動的TDDアップリンク-ダウンリンク構成能力を有するUEであり、あるいは、UEの第2のグループは、基地局による動的TDDアップリンク-ダウンリンク構成を用いて構成されたUEであり、あるいは、UEの第2のグループは、より後に公表されたUE、たとえば、LTE Release-12をサポートするUEまたはLTE Release-12より後のリリースをサポートするUEである。
【０３８７】
第1のアップリンク-ダウンリンク構成は、UEの第1のグループに適用されるアップリンク-ダウンリンク構成である。UEは、第2のグループのUEであるが、第1のアップリンク-ダウンリンク構成が、UEの第1のグループのメンバに対応して獲得され得る、すなわち、UEは、上位レイヤシグナリングを受信することによって、好ましくはSIB1を受信することによって、第1のアップリンク-ダウンリンク構成を獲得する。
【０３８８】
第2のアップリンク-ダウンリンク構成は、UEの第2のグループに適用されるアップリンク-ダウンリンク構成である。第2のアップリンク-ダウンリンク構成は、アップリンク-ダウンリンクサブフレーム割当を示すのに使用され得、これに対応して、UEは、物理レイヤシグナリングを受信することによって第2のアップリンク-ダウンリンク構成を獲得することができる。代替案では、好ましくは、第2のアップリンク-ダウンリンク構成は、基準アップリンク-ダウンリンク構成(reference UL-DL configuration)であり、基準アップリンク-ダウンリンク構成は、UEのHARQタイミングを決定するのに使用される。UEは、上位レイヤシグナリング(たとえば、RRCシグナリング)を受信することによって第2のアップリンク-ダウンリンク構成を獲得することができ、あるいは、基準アップリンク-ダウンリンク構成がアップリンク-ダウンリンク構成5またはアップリンク-ダウンリンク構成2であることが標準規格において事前に定義され、あるいは、基準アップリンク-ダウンリンク構成を決定するルールが、標準規格において事前に定義され、基地局とUEとの両方が、このルールに従って基準アップリンク-ダウンリンク構成を決定する。たとえば、スイッチングの前後の2つのアップリンク-ダウンリンク構成の両方が、5msのダウンリンクからアップリンクへのスイッチングポイント期間に属する時に、アップリンク-ダウンリンク構成2が、基準アップリンク-ダウンリンク構成として使用され、スイッチングの前後の2つのアップリンク-ダウンリンク構成のいずれかが、10msのダウンリンクからアップリンクへのスイッチングポイント期間に属する時には、アップリンク-ダウンリンク構成5が、基準アップリンク-ダウンリンク構成として使用される。
【０３８９】
S202:UEが、第1のダウンリンクサブフレーム集合を決定し、第1のダウンリンクサブフレーム集合は、第1のアップリンク-ダウンリンク構成と第2のアップリンク-ダウンリンク構成との両方において第1のアップリンクサブフレームに関連する。
【０３９０】
異なるHARQタイミングが、異なるアップリンク-ダウンリンク構成について定義されるが、いくつかのダウンリンクサブフレームに関して、それでも、同一のHARQタイミングが、2つのアップリンク-ダウンリンク構成内に存在する。したがって、UEは、UEの第1のグループによって使用されるルールに従ってPUCCHリソース領域をその後に予約するために、あるサブフレーム集合がこれらのダウンリンクサブフレームを含むと決定する。
【０３９１】
特定の詳細は、基地局側での実施形態1のS102の詳細と同一であり、ここでは繰り返さない。
【０３９２】
S203:UEが、第2のダウンリンクサブフレーム集合を決定し、第2のダウンリンクサブフレーム集合は、第2のアップリンク-ダウンリンク構成において第1のアップリンクサブフレームに関連し、第2のダウンリンクサブフレーム集合は、第1のアップリンク-ダウンリンク構成において第1のアップリンクサブフレームに関連しない。
【０３９３】
UEは、第2のダウンリンクサブフレーム集合を決定し、ここで、第2のダウンリンクサブフレーム集合は、第2のアップリンク-ダウンリンク構成に従って決定され、第1のサブフレームに関連する、ダウンリンクサブフレーム内の第1のダウンリンクサブフレーム集合の補集合である。
【０３９４】
特定の詳細は、基地局側での実施形態1のステップS103の詳細と同一であり、ここでは繰り返さない。
【０３９５】
S204:UEは、第3のダウンリンクサブフレーム内で第1のPDCCHを受信し、第3のダウンリンクサブフレームが第1のダウンリンクサブフレーム集合に属する時に、第1のアップリンクサブフレーム内で、第1のアップリンク-ダウンリンク構成のHARQタイミングに従って第3のPUCCHリソースを決定し、第3のPUCCHリソースは、第1のPDCCHによってスケジューリングされたPDSCHのHARQフィードバック情報または第1のPDCCHによって示されるダウンリンクSPSリリースシグナリングのHARQフィードバック情報によって占められるPUCCHリソースである。
【０３９６】
第1のダウンリンクサブフレーム集合内のダウンリンクサブフレームに関して、UEは、第1のアップリンク-ダウンリンク構成のHARQタイミングに従ってPUCCHリソース領域を決定する。具体的には、UEは、M1およびjに従って第3のダウンリンクサブフレームの第3のPUCCHリソースを決定し、ここで、M1は、第1のアップリンク-ダウンリンク構成のHARQタイミングに従って決定される、第1のアップリンクサブフレームに関連するダウンリンクサブフレーム集合A内の要素の量であり、jは、ダウンリンクサブフレーム集合A内の第3のダウンリンクサブフレームのシーケンス番号である。
【０３９７】
具体的には、UEは、式
【０３９８】
【数１３１】
0006629727.tif 000134
【０３９９】
に従って第3のダウンリンクサブフレームにPUCCHリソースを割り当て、ここで、
【０４００】
【数１３２】
0006629727.tif 000135
【０４０１】
は、第3のPUCCHリソースであり、pxは、アンテナポート番号であり、アンテナポートがp0である時には、x=0であり、アンテナポートがp1である時には、x=1であり、M1は、第1のアップリンク-ダウンリンク構成に従って決定される、第1のアップリンクサブフレームに関連するダウンリンクサブフレーム集合A内の要素の量であり、jは、ダウンリンクサブフレーム集合A内の第3のダウンリンクサブフレームのシーケンス番号であり、
【０４０２】
【数１３３】
0006629727.tif 000136
【０４０３】
であり、
【０４０４】
【数１３４】
0006629727.tif 000137
【０４０５】
は、ダウンリンクシステム帯域幅であり、
【０４０６】
【数１３５】
0006629727.tif 000138
【０４０７】
は、リソースブロックの周波数領域サイズであり、cは、{0, 1, 2, 3}に属し、Nc≦nCCE<Nc+1になるようにされ、nCCEは、第1のPDCCHによって占められる第1のCCEの番号であり、
【０４０８】
【数１３６】
0006629727.tif 000139
【０４０９】
は、第3のPUCCHリソースのオフセットであり、上位レイヤシグナリングを使用することによって構成される、すなわち、UEの第1のグループに関して構成されるリソースオフセットである。
【０４１０】
この形で、第1のダウンリンクサブフレーム集合に関して、同一のPUCCHリソース領域が、UEの第1のグループとUEの第2のグループとの両方について構成され、異なるUEのPDCCHによって占められるCCEは、異なり、したがって、決定されるPUCCHリソースも、異なり、これは、基地局の実施の複雑さを回避するだけではなく、PUCCHリソースオーバーヘッドをも減らす。
【０４１１】
S205:UEが、第4のダウンリンクサブフレーム内で第2のPDCCHを受信し、第4のダウンリンクサブフレームが第2のダウンリンクサブフレーム集合に属する時に、第4のPUCCHリソースを決定し、第4のPUCCHリソースは、第2のPDCCHによってスケジューリングされたPDSCHのHARQフィードバック情報または第2のPDCCHによって示されるダウンリンクSPSリリースシグナリングのHARQフィードバック情報によって占められるPUCCHリソースである。
【０４１２】
ステップS205は、2つの解決策を使用することによって実施され得る。
【０４１３】
解決策1において、図11を参照すると、図11は、本願による、リソース割当方法の第2の実施の形における解決策1における第4のPUCCHリソースの決定の流れ図である。第4のPUCCHリソースの決定は、2つのステップを含むことができる。
【０４１４】
S2051:UEが、M2およびiを決定し、M2は、第2のダウンリンクサブフレーム集合内の要素の量であり、iは、第2のダウンリンクサブフレーム集合内の第4のダウンリンクサブフレームのシーケンス番号である。
【０４１５】
S2053:UEが、オフセットNΔを決定し、ここで、このオフセットは、第2のダウンリンクサブフレーム集合に割り当てられたPUCCHリソース領域とUEの第1のグループに割り当てられたPUCCHリソース領域とを完全に交互に交替させる。
【０４１６】
オフセットを決定する方法は、オフセットを、第1のアップリンク-ダウンリンク構成において第1のアップリンクサブフレームに関連するダウンリンクサブフレームの量に1つのダウンリンクサブフレーム内で構成され得るCCEの最大量を乗じたものと等しくすることである。
【０４１７】
別の方法においては、オフセットは、第1のアップリンク-ダウンリンク構成において第1のアップリンクサブフレームに関連するダウンリンクサブフレームの量に1つのダウンリンクサブフレーム内で実際に構成されるCCEの量を乗じたものと等しくされる。
【０４１８】
具体的には、これらの方法を、オフセットを決定するための以下の4つの方法に分類することができる。
【０４１９】
方法1:ルールが、標準規格において決定され、このルールは、UEの第1のグループとUEの第2のグループとに関して構成されるPUCCHリソース領域が、衝突しないことを保証し、これによって、基地局の実施の複雑さを回避する必要がある。たとえば、PDCCH領域が、最大4つのOFDMシンボルを占め、NΔ=M1×N4であり、M1が、第1のアップリンク-ダウンリンク構成に従って決定され、第1のアップリンクサブフレームに関連するダウンリンクサブフレーム集合内の要素の量を表し、あるいは、ダウンリンクシステム帯域幅に従って区別が行われ得、ここで、ダウンリンクシステム帯域幅は、10RB以下であり、PDCCH領域が、最大4つのOFDMシンボルN4を占め、あるいは、PDCCH領域が、最大3つのOFDMシンボルN3を占め、したがって、オフセットNΔが、以下の式に従って決定され得ると仮定される。
【０４２０】
【数１３７】
0006629727.tif 000140
【０４２１】
方法2:UEは、上位レイヤシグナリングまたは物理レイヤシグナリングを受信し、ここで、上位レイヤシグナリングまたは物理レイヤシグナリングは、NΔを示す。UEの第1のグループに関して、1つのオフセット
【０４２２】
【数１３８】
0006629727.tif 000141
【０４２３】
が、上位レイヤシグナリングを使用することによっても構成され、これに対応して、第2のダウンリンクサブフレーム集合に関して、実際のオフセットが、
【０４２４】
【数１３９】
0006629727.tif 000142
【０４２５】
であり、したがって、オプションで、UEが、上位レイヤシグナリングまたは物理レイヤシグナリングを受信し、ここで、上位レイヤシグナリングまたは物理レイヤシグナリングは、
【０４２６】
【数１４０】
0006629727.tif 000143
【０４２７】
を示す。
【０４２８】
方法3:同様に、NΔ=M1×Ncであり、UEは、上位レイヤシグナリングまたは物理レイヤシグナリングを受信し、ここで、上位レイヤシグナリングまたは物理レイヤシグナリングは、cの値を示す。
【０４２９】
S2055:UEが、第1のアップリンクサブフレーム内で、M2、i、およびオフセットNΔに従って第4のPUCCHリソースを決定する。
【０４３０】
具体的には、UEは、式
【０４３１】
【数１４１】
0006629727.tif 000144
【０４３２】
に従って第4のダウンリンクサブフレームにPUCCHリソースを割り当て、ここで、
【０４３３】
【数１４２】
0006629727.tif 000145
【０４３４】
は、第2のPUCCHリソース領域内の第4のPUCCHリソースであり、pxは、アンテナポート番号であり、アンテナポートがp0である時には、x=0であり、アンテナポートがp1である時には、x=1であり、M2は、第2のダウンリンクサブフレーム集合内の要素の量であり、iは、第2のダウンリンクサブフレーム集合内の第4のダウンリンクサブフレームのシーケンス番号であり、
【０４３５】
【数１４３】
0006629727.tif 000146
【０４３６】
であり、
【０４３７】
【数１４４】
0006629727.tif 000147
【０４３８】
は、ダウンリンクシステム帯域幅であり、
【０４３９】
【数１４５】
0006629727.tif 000148
【０４４０】
は、リソースブロックの周波数領域サイズであり、cは、{0, 1, 2, 3}に属し、
【０４４１】
【数１４６】
0006629727.tif 000149
【０４４２】
になるようにされ、
【０４４３】
【数１４７】
0006629727.tif 000150
【０４４４】
は、第2のPDCCHによって占められる第1のCCEの番号であり、
【０４４５】
【数１４８】
0006629727.tif 000151
【０４４６】
は、第4のPUCCHリソースのオフセットである。
【０４４７】
解決策2は、より柔軟である。図12を参照すると、図12は、本願による、リソース割当方法の第2の実施の形における解決策2における第4のPUCCHリソースの決定の流れ図である。具体的には、以下の3つのステップが含まれる。
【０４４８】
S2052:M3およびi'を決定し、ここで、M3は、第2のダウンリンクサブフレーム集合内の、その中でPDCCH領域が構成されるダウンリンクサブフレームの量であり、i'は、第4のダウンリンクサブフレームのシーケンス番号であり、あるいは、M3は、第2のダウンリンクサブフレーム集合内の、PDCCHリソース領域がPDCCHリソース領域に従ってそれのために予約される必要があるダウンリンクサブフレームの量であり、i'は、第4のダウンリンクサブフレームのシーケンス番号である。
【０４４９】
オプションで、UEは、基地局によって送信される上位レイヤシグナリングまたは物理レイヤシグナリングを受信することによって、M3およびi'の値を獲得する。
【０４５０】
S2054:第2のPUCCHリソース領域のオフセットNΔを決定し、ここで、このオフセットは、第2のダウンリンクサブフレーム集合に割り当てられたPUCCHリソース領域とUEの第1のグループに割り当てられたPUCCHリソース領域とを完全に交互に交替させる。
【０４５１】
詳細についてはS2053を参照されたく、これをここで説明することはしない。
【０４５２】
S2056:第1のアップリンクサブフレーム内で、UEが、M3、i'、およびオフセットNΔに従って第4のPUCCHリソースを決定する。
【０４５３】
具体的には、UEは、式
【０４５４】
【数１４９】
0006629727.tif 000152
【０４５５】
に従って第4のダウンリンクサブフレームにPUCCHリソースを割り当て、ここで、
【０４５６】
【数１５０】
0006629727.tif 000153
【０４５７】
は、第2のPUCCHリソース領域内の第4のPUCCHリソースであり、pxは、アンテナポート番号であり、アンテナポートがp0である時には、x=0であり、アンテナポートがp1である時には、x=1であり、
【０４５８】
【数１５１】
0006629727.tif 000154
【０４５９】
であり、
【０４６０】
【数１５２】
0006629727.tif 000155
【０４６１】
は、ダウンリンクシステム帯域幅であり、
【０４６２】
【数１５３】
0006629727.tif 000156
【０４６３】
は、リソースブロックの周波数領域サイズであり、cは、{0, 1, 2, 3}に属し、
【０４６４】
【数１５４】
0006629727.tif 000157
【０４６５】
になるようにされ、
【０４６６】
【数１５５】
0006629727.tif 000158
【０４６７】
は、第2のPDCCHによって占められる第1のCCEの番号であり、
【０４６８】
【数１５６】
0006629727.tif 000159
【０４６９】
は、第4のPUCCHリソースのオフセットである。
【０４７０】
この方法が使用された後に、たとえば、第2のダウンリンクサブフレーム集合は、{ダウンリンクサブフレーム4、ダウンリンクサブフレーム8}であるが、PDCCH領域は、ダウンリンクサブフレーム8内で構成されない。この形で、基地局は、M3=1を構成することができ、ダウンリンクサブフレーム4は、i'=0に対応する。たとえば、第2のダウンリンクサブフレーム集合は、{ダウンリンクサブフレーム9、ダウンリンクサブフレーム0、ダウンリンクサブフレーム3、ダウンリンクサブフレーム7、ダウンリンクサブフレーム1}であるが、PDCCH領域は、ダウンリンクサブフレーム9およびダウンリンクサブフレーム3内で構成されない。この形で、基地局は、M3=3を構成することができ、ダウンリンクサブフレーム0は、i'=0に対応し、ダウンリンクサブフレーム7は、i'=1に対応し、ダウンリンクサブフレーム1は、i'=2に対応する。
【０４７１】
ステップS201が、最初に行われ、これにステップS202およびステップS203が続き、最後にステップS204およびステップS205が続くことに留意されたい。ステップS202とステップS203との間に特定のタイミング関係がない可能性があり、S202およびステップS203が、同期式に実行されてもよく、あるいは順次実行されてもよく、あるいはステップS202のみまたはステップS203のみが実行されてもよい。同様に、ステップS204とステップS205との間の特定のタイミング関係がない可能性があり、ステップS204およびステップS205が、同期式に実行されてもよく、あるいは順次実行されてもよく、あるいはステップS204のみまたはステップS205のみが実行されてもよい。
【０４７２】
この実施形態において提供されるリソース割当方法において、PUCCHリソース領域がUEの第2のグループに割り当てられる時に、UEの第2のグループおよびUEの第1のグループと同一のHARQタイミングを有するダウンリンクサブフレームに関して、基地局は、UEの第1のグループのマッピングルールに従ってPUCCHリソース領域を決定し、UEの第1のグループのHARQタイミングとは異なるHARQタイミングを有するダウンリンクサブフレームに関して、基地局は、UEの第1のグループのPUCCHリソース領域とのオーバーラップがないことを保証するために、新しいマッピングルールに従ってPUCCHリソース領域を決定し、したがって、この方法は、基地局の実施の複雑さを回避するだけではなく、PUCCHリソースオーバーヘッドをも減らす。
【０４７３】
図13を参照すると、図13は、本願によるリソース割当方法の第3の実施の形の流れ図である。この実施形態は、基地局が実行エンティティとして使用される例を使用することによって説明される。図13に示されているように、この実施形態における方法は、以下のステップを含むことができる。
【０４７４】
S301:基地局が、第2のアップリンク-ダウンリンク構成を構成する。
【０４７５】
第1のアップリンク-ダウンリンク構成は、ユーザ機器UEの第1のグループによって使用されるアップリンク-ダウンリンク構成であり、UEの第1のグループは、動的TDDアップリンク-ダウンリンク構成能力を有しないUE、動的TDDアップリンク-ダウンリンク構成を用いては構成されないUE、またはレガシUEであり、
第2のアップリンク-ダウンリンク構成は、UEの第2のグループに適用される、UEの第2のグループのHARQタイミングを示すのに使用される、基準アップリンク-ダウンリンク構成、またはUEの第2のグループのアップリンク-ダウンリンクサブフレーム割当を示すのに使用されるアップリンク-ダウンリンク構成であり、UEの第2のグループは、動的TDDアップリンク-ダウンリンク構成能力を有するUE、動的TDDアップリンク-ダウンリンク構成を用いて構成されるUE、またはより後に公表されたUEである。
【０４７６】
特定の詳細は、実施形態1におけるS101の詳細と同一であり、ここでは繰り返さない。
【０４７７】
S302:基地局が、第2のアップリンク-ダウンリンク構成のHARQタイミングに従って第5のダウンリンクサブフレームを決定し、ここで、第5のダウンリンクサブフレームは、第1のアップリンクサブフレームに関連する。
【０４７８】
第5のダウンリンクサブフレームは、第1のアップリンクサブフレームに関連する、すなわち、第5のダウンリンクサブフレーム内で送信されるPDSCHのHARQフィードバック情報(PDCCHによってスケジューリングされる)またはダウンリンクSPSリリースシグナリングは、第1のアップリンクサブフレーム内で搬送される。複数のダウンリンクサブフレームのHARQフィードバック情報が、第2のアップリンク-ダウンリンク構成のHARQタイミングに従って第1のアップリンクサブフレーム内で送信される必要がある場合がある。本明細書で議論される第5のダウンリンクサブフレームは、複数のダウンリンクサブフレームのうちの任意のダウンリンクサブフレームとすることができ、一般性を有する。たとえば、第2のアップリンク-ダウンリンク構成は、構成1であり、第2のアップリンク-ダウンリンク構成のHARQタイミングに従って、そのサブフレーム番号が5および6であるダウンリンクサブフレームのHARQフィードバック情報は、両方とも、そのサブフレーム番号が2であるアップリンクサブフレーム内でフィードバックされ、したがって、第5のダウンリンクサブフレームを、ダウンリンクサブフレーム5とすることができ、あるいは、ダウンリンクサブフレーム6とすることができる。
【０４７９】
S303:基地局が、第5のダウンリンクサブフレームのPUCCHリソースパラメータを構成し、ここで、PUCCHリソースパラメータは、M、m、および
【０４８０】
【数１５７】
0006629727.tif 000160
【０４８１】
を含み、あるいは、PUCCHリソースパラメータは、M、m、およびNΔを含む。
【０４８２】
基地局は、現在のサブフレーム構成状況に従って適応的にMを構成することができ、ここで、Mは、正の整数である。Mは、第5のダウンリンクサブフレームに対応するPUCCHリソース領域の離散レベルを示す。上で議論したように、あるダウンリンクサブフレーム集合が複数のダウンリンクサブフレームを有する時に、その複数のダウンリンクサブフレームのPUCCHリソース領域は、交互に交替する形で分散される。たとえば、第5のダウンリンクサブフレームに対応するPUCCHリソース領域は、3つの片または4つの片に分割され、基地局が、M=1を構成する時には、PUCCHリソース領域の3つの片または4つの片は、連続し、基地局が、M>1を構成する時には、PUCCHリソース領域の3つの片または4つの片は、離散的であり、ここで、Mのより大きい値は、より高い離散レベルを示す。
【０４８３】
mは、第5のダウンリンクサブフレームのシーケンス番号であり、ここで、mは、非負の整数であり、Mより小さい。たとえば、M=1の時には、基地局は、第5のダウンリンクサブフレームのシーケンス番号が0であることだけを構成することができ、M=2の時には、基地局は、第5のダウンリンクサブフレームのシーケンス番号が0または1であることを構成することができる。
【０４８４】
【数１５８】
0006629727.tif 000161
【０４８５】
は、第5のダウンリンクサブフレームに対応するPUCCHリソース領域のオフセットであり、
【０４８６】
【数１５９】
0006629727.tif 000162
【０４８７】
は、非負の整数であり、NΔは、非負の整数であり、
【０４８８】
【数１６０】
0006629727.tif 000163
【０４８９】
は、UEの第1のグループのために構成されたPUCCHリソースのオフセットである。基地局は、
【０４９０】
【数１６１】
0006629727.tif 000164
【０４９１】
またはNΔを適応的に構成することができ、あるいは、実施形態1のステップS1052で与えられる方法を使用することによって、
【０４９２】
【数１６２】
0006629727.tif 000165
【０４９３】
またはNΔを構成することができる。
【０４９４】
S304:基地局が、第4のシグナリングを送信し、ここで、第4のシグナリングは、PUCCHリソースパラメータを示し、あるいは、第4のシグナリングは、M、m、および
【０４９５】
【数１６３】
0006629727.tif 000166
【０４９６】
のうちの少なくとも1つのパラメータを示し、あるいは、第4のシグナリングは、M、m、およびNΔのうちの少なくとも1つのパラメータを示す。
【０４９７】
第4のシグナリングは、上位レイヤシグナリングとすることができ、あるいは、物理レイヤシグナリングとすることができる。第4のシグナリングが、物理レイヤシグナリングである時に、第4のシグナリングは、PDCCH/ePDCCHを使用することによって搬送され、たとえば、第4のシグナリングおよびアップリンク-ダウンリンクサブフレーム構成を示すためのシグナリングが、1つのPDCCHを共有することができる。
【０４９８】
S305:基地局が、M、m、および
【０４９９】
【数１６４】
0006629727.tif 000167
【０５００】
に従って、第1のアップリンクサブフレーム内に配置される第5のPUCCHリソース領域を決定し、ここで、第5のPUCCHリソース領域は、第5のダウンリンクサブフレームに関するHARQフィードバック情報のために予約されるリソース領域である。
【０５０１】
具体的には、基地局は、式
【０５０２】
【数１６５】
0006629727.tif 000168
【０５０３】
に従って第5のPUCCHリソース領域を決定し、ここで、
【０５０４】
【数１６６】
0006629727.tif 000169
【０５０５】
は、第5のPUCCHリソース領域内のPUCCHリソースであり、pxは、アンテナポート番号であり、xは、非負の整数であり、
【０５０６】
【数１６７】
0006629727.tif 000170
【０５０７】
であり、
【０５０８】
【数１６８】
0006629727.tif 000171
【０５０９】
は、ダウンリンクシステム帯域幅であり、
【０５１０】
【数１６９】
0006629727.tif 000172
【０５１１】
は、リソースブロックの周波数領域サイズであり、cは、{0, 1, 2, 3}に属し、Nc≦nCCE<Nc+1になるようにされ、nCCEは、第5のダウンリンクサブフレーム内で送信されるPDCCHによって占められる第1のCCEの番号であり、
【０５１２】
【数１７０】
0006629727.tif 000173
【０５１３】
は、第5のPUCCHリソース領域のオフセットである。
【０５１４】
この実施形態において提供されるリソース割当方法において、基地局は、構成のより高い柔軟性を有し、現在のサブフレーム構成状況とデータスケジューリング状況とに従って、基地局は、M、m、および
【０５１５】
【数１７１】
0006629727.tif 000174
【０５１６】
のうちの少なくとも1つのパラメータを適応的に構成することができ、これは、基地局の実施の複雑さを増やすのを回避するだけではなく、予約されるPUCCHリソースを大幅に減らすこともできる。たとえば、システム内のUEの第1のグループが、非常に少ない量を有するか、UEの第1グループが、限られたダウンリンクサブフレーム内でのみ送信を実行する(たとえば、UEの第1のグループが、ダウンリンクサブフレーム0、1、5、および6内で送信を実行する可能性があるが、基地局が、サブフレーム0内でのみUEの第1のグループをスケジューリングする)時には、基地局は、UEの第2のグループのために予約されるPUCCHリソース領域とUEの第1のグループのために予約されるPUCCHリソース領域とが部分的にオーバーラップしまたは完全にオーバーラップすることを可能にするために、M、m、および
【０５１７】
【数１７２】
0006629727.tif 000175
【０５１８】
のうちの少なくとも1つのパラメータを構成することができる。
【０５１９】
図14を参照すると、図14は、本願によるリソース割当方法の第4の実施の形の流れ図である。この実施形態は、UEが実行エンティティとして使用される例を使用することによって説明され、図14に示されているように、この実施形態における方法は、以下のステップを含むことができる。
【０５２０】
S401:UEが、第2のアップリンク-ダウンリンク構成を獲得する。
【０５２１】
UEは、第2のグループのUEであり、UEの第2のグループは、動的TDDアップリンク-ダウンリンク構成能力を有するUEであり、あるいは、UEの第2のグループは、基地局によって動的TDDアップリンク-ダウンリンク構成を用いて構成されるUEであり、あるいは、UEの第2のグループは、より後に公表されたUE、たとえばLTE Release-12をサポートするかLTE Release-12より後のリリースをサポートするUEである。
【０５２２】
第1のアップリンク-ダウンリンク構成は、UEの第1のグループに適用されるアップリンク-ダウンリンク構成である。このUEは、第2のグループのUEであるが、第1のアップリンク-ダウンリンク構成は、UEの第1のグループの形に従って、すなわち、上位レイヤシグナリングを受信することによって、獲得され得、好ましくは、UEは、SIB1を受信することによって、第1のアップリンク-ダウンリンク構成を獲得する。
【０５２３】
第2のアップリンク-ダウンリンク構成は、UEの第2のグループに適用されるアップリンク-ダウンリンク構成である。第2のアップリンク-ダウンリンク構成は、アップリンク-ダウンリンクサブフレーム割り当てを示すのに使用され得、これに対応して、UEは、物理レイヤシグナリングを受信することによって、第2のアップリンク-ダウンリンク構成を獲得することができる。代替案では、好ましくは、第2のアップリンク-ダウンリンク構成は、基準アップリンク-ダウンリンク構成(reference UL-DL configuration)であり、基準アップリンク-ダウンリンク構成は、UEのHARQタイミングを決定するのに使用される。UEは、上位レイヤシグナリング(たとえば、RRCシグナリング)を受信することによって第2のアップリンク-ダウンリンク構成を獲得することができ、あるいは、基準アップリンク-ダウンリンク構成がアップリンク-ダウンリンク構成5またはアップリンク-ダウンリンク構成2であることが標準規格において事前に定義され、あるいは、基準アップリンク-ダウンリンク構成を決定するルールが、標準規格において事前に定義され、基地局とUEとの両方が、このルールに従って基準アップリンク-ダウンリンク構成を決定する。たとえば、スイッチングの前後の2つのアップリンク-ダウンリンク構成の両方が、5msのダウンリンクからアップリンクへのスイッチングポイント期間に属する時に、アップリンク-ダウンリンク構成2が、基準アップリンク-ダウンリンク構成として使用され、スイッチングの前後の2つのアップリンク-ダウンリンク構成のいずれかが、10msのダウンリンクからアップリンクへのスイッチングポイント期間に属する時には、アップリンク-ダウンリンク構成5が、基準アップリンク-ダウンリンク構成として使用される。
【０５２４】
S402:UEが、第2のアップリンク-ダウンリンク構成のHARQタイミングに従って第5のダウンリンクサブフレームを決定し、ここで、第5のダウンリンクサブフレームは、第1のアップリンクサブフレームに関連する。
【０５２５】
第5のダウンリンクサブフレームは、第1のアップリンクサブフレームに関連する、すなわち、第5のダウンリンクサブフレーム内で送信されるPDSCHのHARQフィードバック情報(PDCCHによってスケジューリングされる)またはダウンリンクSPSリリースシグナリングは、第1のアップリンクサブフレーム内で搬送される。特定の詳細は、実施形態3におけるS301の詳細と同一であり、ここでは繰り返さない。
【０５２６】
S403:UEが、基地局によって送信された第4のシグナリングを受信し、第5のダウンリンクサブフレームのPUCCHリソースパラメータを決定し、ここで、PUCCHリソースパラメータは、M、m、および
【０５２７】
【数１７３】
0006629727.tif 000176
【０５２８】
を含み、または、PUCCHリソースパラメータは、M、m、およびNΔを含み、第4のシグナリングは、PUCCHリソースパラメータを示し、または、第4のシグナリングは、M、m、および
【０５２９】
【数１７４】
0006629727.tif 000177
【０５３０】
のうちの少なくとも1つのパラメータを示し、または、第4のシグナリングは、M、m、およびNΔのうちの少なくとも1つのパラメータを示す。
【０５３１】
第4のシグナリングは、上位レイヤシグナリングとすることができ、あるいは、物理レイヤシグナリングとすることができる。第4のシグナリングが、物理レイヤシグナリングである時に、第4のシグナリングは、PDCCH/ePDCCHを使用することによって搬送され、たとえば、第4のシグナリングおよびアップリンク-ダウンリンクサブフレーム構成を示すためのシグナリングが、1つのPDCCHを共有することができる。
【０５３２】
UEは、第4のシグナリングに従って第5のダウンリンクサブフレームのPUCCHリソースパラメータを決定し、第4のシグナリング内に含まれないPUCCHリソースパラメータは、事前定義のルール、たとえば実施形態2において説明されたルールに従って、UEによって決定される。
【０５３３】
S404:UEが、第5のダウンリンクサブフレーム内で第3のPDCCHを受信し、M、m、および
【０５３４】
【数１７５】
0006629727.tif 000178
【０５３５】
に従って、第1のアップリンクサブフレーム内に配置される第5のPUCCHリソースを決定し、ここで、第5のPUCCHリソースは、第3のPDCCHによってスケジューリングされたPDSCHのHARQフィードバック情報または第3のPDCCHによって示されたダウンリンクSPSリリースシグナリングのHARQフィードバック情報によって占められるPUCCHリソースである。
【０５３６】
具体的には、基地局は、式
【０５３７】
【数１７６】
0006629727.tif 000179
【０５３８】
に従って第5のPUCCHリソースを決定し、ここで、
【０５３９】
【数１７７】
0006629727.tif 000180
【０５４０】
は、第5のPUCCHリソースリソースであり、pxは、アンテナポート番号であり、xは、非負の整数であり、
【０５４１】
【数１７８】
0006629727.tif 000181
【０５４２】
であり、
【０５４３】
【数１７９】
0006629727.tif 000182
【０５４４】
は、ダウンリンクシステム帯域幅であり、
【０５４５】
【数１８０】
0006629727.tif 000183
【０５４６】
は、リソースブロックの周波数領域サイズであり、cは、{0, 1, 2, 3}に属し、Nc≦nCCE<Nc+1になるようにされ、nCCEは、第3のPDCCHによって占められる第1のCCEの番号であり、
【０５４７】
【数１８１】
0006629727.tif 000184
【０５４８】
は、第5のPUCCHリソースのオフセットである。
【０５４９】
この実施形態において提供されるリソース割り当て方法、基地局は、構成のより高い柔軟性を有し、現在のサブフレーム構成状況とデータスケジューリング状況とに従って、基地局は、M、m、および
【０５５０】
【数１８２】
0006629727.tif 000185
【０５５１】
のうちの少なくとも1つのパラメータを適応的に構成することができ、これは、基地局の実施の複雑さを増やすのを回避するだけではなく、予約されるPUCCHリソースを大幅に減らすこともできる。
【０５５２】
図15を参照すると、図15は、本願による基地局の第1の実施の形の概略構造図である。この実施の形における基地局は、第1の決定モジュール210、第1の割当モジュール220、第2の決定モジュール230、および第2の割当モジュール240を含む。
【０５５３】
第1の決定モジュール210は、第1のダウンリンクサブフレーム集合を決定するように構成され、ここで、第1のダウンリンクサブフレーム集合は、第1のアップリンク-ダウンリンク構成と第2のアップリンク-ダウンリンク構成との両方において第1のアップリンクサブフレームに関連する。
【０５５４】
たとえば、基地局は、UE能力、サービス要件、リリース情報、または類似物に従って2つのUEグループを決定する。たとえば、UEの第1のグループは、動的TDDアップリンク-ダウンリンク構成能力を有しないUEであり、UEの第2のグループは、動的TDDアップリンク-ダウンリンク構成能力を有するUEであり、または、UEの第1のグループは、動的TDDアップリンク-ダウンリンク構成を用いては構成されないUEであり、UEの第2のグループは、基地局によって動的TDDアップリンク-ダウンリンク構成を用いて構成されるUEであり、または、UEの第1のグループは、レガシUEすなわち、後方互換UE(legacy UE)、たとえば、LTE Release-8/9/10/11をサポートするUEであり、UEの第2のグループは、より後に公表されたUE、たとえば、LTE Release-12をサポートしもしくはLTE Release-12より後のリリースをサポートするUEである。
【０５５５】
基地局は、UEの第1のグループのために第1のアップリンク-ダウンリンク構成を構成する、すなわち、第1のアップリンク-ダウンリンク構成は、UEの第1のグループに適用されるアップリンク-ダウンリンク構成である。基地局は、上位レイヤシグナリングを使用することによって、好ましくはSIB1(システム情報ブロック1)を使用することによって、第1のアップリンク-ダウンリンク構成についてUEの第1のグループに通知することができる。上位レイヤシグナリングは、物理レイヤシグナリングに対する相対的なものであり、上位レイヤからの、より低い送信頻度を有するシグナリングであり、無線リソース制御(RRC)シグナリング、媒体アクセス制御(MAC)シグナリング、および類似物を含む。
【０５５６】
基地局は、UEの第2のグループのために第2のアップリンク-ダウンリンク構成を構成する、すなわち、第2のアップリンク-ダウンリンク構成は、UEの第2のグループに適用されるアップリンク-ダウンリンク構成である。第2のアップリンク-ダウンリンク構成は、アップリンク-ダウンリンクサブフレーム割当を示すのに使用され得、言い換えると、アップリンク-ダウンリンクデータを送信するのに使用され得るサブフレームを示すのに使用され得る。これに対応して、第2のアップリンク-ダウンリンク構成は、相対的に動的な形で変化し、基地局は、物理レイヤシグナリングを使用することによって、第2のアップリンク-ダウンリンク構成についてUEの第2のグループに通知することができる。代替案では、好ましくは、第2のアップリンク-ダウンリンク構成は、基準アップリンク-ダウンリンク構成(reference UL-DL configuration)であり、基準アップリンク-ダウンリンク構成は、UEのHARQタイミングを決定するのに使用される。動的TDDアップリンク-ダウンリンク構成の応用シナリオにおいて、アップリンク-ダウンリンク構成は、動的に変化することができ、これに対応して、HARQタイミングも、動的に変化する。この形で、アップリンク-ダウンリンク構成が変化しつつある期間内に、いくつかのダウンリンクパケットに関するHARQフィードバック情報が送信され得ないことが引き起こされ、したがって、基準アップリンク-ダウンリンク構成が導入され、アップリンク-ダウンリンク構成が変化する場合であっても、UEは、この構成に従ってHARQタイミングをも決定し、これによって、ダウンリンクパケットに関するHARQフィードバック情報が、アップリンク-ダウンリンク構成が変化しつつある期間内に送信され得ないという問題を回避する。好ましくは、基準アップリンク-ダウンリンク構成は、ダウンリンクサブフレームの量が、アップリンクサブフレームの量より多い構成、たとえば、アップリンク-ダウンリンク構成5またはアップリンク-ダウンリンク構成2である。基準アップリンク-ダウンリンク構成を構成する、3つの方法がある。1.基地局は、上位レイヤシグナリング(たとえば、RRCシグナリング)を使用することによって、第2のアップリンク-ダウンリンク構成についてUEの第2の
グループに通知することができる。2.基準アップリンク-ダウンリンク構成が、アップリンク-ダウンリンク構成5またはアップリンク-ダウンリンク構成2であることが、標準規格において事前に定義されている。3.基準アップリンク-ダウンリンク構成を決定するルールが、標準規格において事前に定義され、基地局とUEとの両方が、このルールに従って基準アップリンク-ダウンリンク構成を決定する。たとえば、スイッチングの前と後との2つのアップリンク-ダウンリンク構成の両方が、5msのダウンリンクからアップリンクへのスイッチングポイント期間に属する時には、アップリンク-ダウンリンク構成2が、基準アップリンク-ダウンリンク構成として使用され、スイッチングの前後の2つのアップリンク-ダウンリンク構成のいずれかが、10msのダウンリンクからアップリンクへのスイッチングポイント期間に属する時には、アップリンク-ダウンリンク構成5が、基準アップリンク-ダウンリンク構成として使用される。
【０５５７】
UEの第1のグループに関して、PUCCHリソース領域割当を、既存のアルゴリズムに従って実行することができる。UEの第2のグループに関して、PUCCHリソース領域割当を、以下に従って実行することができる。
【０５５８】
異なるHARQタイミングが、異なるアップリンク-ダウンリンク構成に関して定義されるが、いくつかのダウンリンクサブフレームに関して、それでも、同一のHARQタイミングが、2つのアップリンク-ダウンリンク構成内に存在する。したがって、基地局は、その後にルールに従ってPUCCHリソース領域を予約するために、1つのサブフレーム集合が、これらのダウンリンクサブフレームを含むと決定する。
【０５５９】
したがって、基地局は、第1のダウンリンクサブフレーム集合を決定し、第1のダウンリンクサブフレーム集合は、第1のアップリンク-ダウンリンク構成と第2のアップリンク-ダウンリンク構成との両方において第1のアップリンクサブフレームに関連する。基地局は、第1のアップリンク-ダウンリンク構成のHARQタイミングに従って、第1のアップリンクサブフレームに関連するダウンリンクサブフレーム集合Aを決定し、次に、基地局は、第2のアップリンク-ダウンリンク構成のHARQタイミングに従って、第1のアップリンクサブフレームに関連するダウンリンクサブフレーム集合Bを決定し、最後に、第1の決定モジュール210は、第1のダウンリンクサブフレーム集合が、ダウンリンクサブフレーム集合Aとダウンリンクサブフレーム集合Bとの積集合であると決定する。
【０５６０】
第1の決定モジュール210は、第1のダウンリンクサブフレーム集合を第1の割当モジュール220に送る。
【０５６１】
第1の割当モジュール220は、第1のダウンリンクサブフレーム集合を受け取り、第1のアップリンクサブフレーム内で、第1のアップリンク-ダウンリンク構成のHARQタイミングに従って第1のPUCCHリソース領域を決定するように構成され、第1のPUCCHリソース領域は、第1のダウンリンクサブフレーム集合のHARQフィードバック情報のために予約されたリソース領域である。
【０５６２】
たとえば、第1のダウンリンクサブフレーム集合のHARQフィードバック情報は、第1のダウンリンクサブフレーム集合内のダウンリンクサブフレーム内で送信されるPDSCHのHARQフィードバック情報またはダウンリンクSPSリリースシグナリングを指す。
【０５６３】
第1のダウンリンクサブフレーム集合に関して、第1の割当モジュール220は、第1のアップリンク-ダウンリンク構成のHARQタイミングに従って、UEの第2のグループのPUCCHリソース領域を決定する。具体的には、第1の割当モジュール220は、M1およびjに従って第1のダウンリンクサブフレーム集合に第1のPUCCHリソース領域を割り当て、ここで、M1は、第1のアップリンク-ダウンリンク構成のHARQタイミングに従って決定される、第1のアップリンクサブフレームに関連するダウンリンクサブフレーム集合A内の要素の量であり、jは、ダウンリンクサブフレーム集合A内の、第1のダウンリンクサブフレーム集合内のダウンリンクサブフレームのシーケンス番号である。この形で、第1のダウンリンクサブフレーム集合に関して、基地局は、UEの第1のグループとUEの第2のグループとの両方に関して同一のPUCCHリソース領域を構成し、これは、基地局の実施の複雑さを回避するだけではなく、PUCCHリソースオーバーヘッドをも減らす。
【０５６４】
具体的には、第1の割当モジュール220は、式
【０５６５】
【数１８３】
0006629727.tif 000186
【０５６６】
に従って第1のダウンリンクサブフレーム集合内のダウンリンクサブフレームにPUCCHリソース領域を割り当て、ここで、
【０５６７】
【数１８４】
0006629727.tif 000187
【０５６８】
は、第1のPUCCHリソース領域内のPUCCHリソースであり、pxは、アンテナポート番号であり、アンテナポートがp0である時には、x=0であり、アンテナポートがp1である時には、x=1であり、より多くのアンテナポートがある時には、同様であり、M1は、第1のアップリンク-ダウンリンク構成に従って決定される、第1のアップリンクサブフレームに関連するダウンリンクサブフレーム集合A内の要素の量であり、jは、ダウンリンクサブフレーム集合A内の、第1のダウンリンクサブフレーム集合内のダウンリンクサブフレームのシーケンス番号であり、
【０５６９】
【数１８５】
0006629727.tif 000188
【０５７０】
であり、
【０５７１】
【数１８６】
0006629727.tif 000189
【０５７２】
は、ダウンリンクシステム帯域幅であり、
【０５７３】
【数１８７】
0006629727.tif 000190
【０５７４】
は、リソースブロックの周波数領域サイズであり、cは、{0, 1, 2, 3}に属し、Nc≦nCCE<Nc+1になるようにされ、nCCEは、第1のダウンリンクサブフレーム集合内のダウンリンクサブフレーム内で送信されるPDCCHによって占められる第1のCCEの番号であり、
【０５７５】
【数１８８】
0006629727.tif 000191
【０５７６】
は、第1のPUCCHリソース領域のオフセットであり、上位レイヤシグナリングによって構成される、すなわち、UEの第1のグループに関して構成されるリソースオフセットである。
【０５７７】
したがって、UEの第1のグループおよびUEの第2のグループに関して、第1のダウンリンクサブフレーム集合のPUCCHリソースを決定するのに使用されるパラメータM1およびjの値は、同一である。したがって、UEの第1のグループおよびUEの第2のグループに関して、同一のダウンリンクサブフレームに割り当てられるPUCCHリソース領域は、同一である。
【０５７８】
第2の決定モジュール230は、第2のダウンリンクサブフレーム集合を決定するように構成され、第2のダウンリンクサブフレーム集合は、第2のアップリンク-ダウンリンク構成において第1のアップリンクサブフレームに関連し、第2のダウンリンクサブフレーム集合は、第1のアップリンク-ダウンリンク構成において第1のアップリンクサブフレームに関連しない。
【０５７９】
たとえば、基地局は、第1のアップリンク-ダウンリンク構成に従って、第1のアップリンクサブフレームに関連するダウンリンクサブフレーム集合Aを決定し、次に、基地局は、第2の第1のアップリンク-ダウンリンク構成に従って、第1のアップリンクサブフレームに関連するダウンリンクサブフレーム集合Bを決定し、最後に、第2の決定モジュール230は、第2のダウンリンクサブフレーム集合が、ダウンリンクサブフレーム集合Aの補集合
【０５８０】
【数１８９】
0006629727.tif 000192
【０５８１】
とダウンリンクサブフレーム集合Bとの積集合であると決定する。すなわち、第2のダウンリンクサブフレーム集合内に含まれるダウンリンクサブフレームは、ダウンリンクサブフレーム集合Aには属さないが、ダウンリンクサブフレーム集合Bには属する。
【０５８２】
第2の決定モジュール230は、第2のダウンリンクサブフレーム集合を第2の割当モジュール240に送る。
【０５８３】
第2の割当モジュール240は、第2のダウンリンクサブフレーム集合を受け取り、第1のアップリンクサブフレーム内で、第2のPUCCHリソース領域を決定するように構成され、第2のPUCCHリソース領域は、第2のダウンリンクサブフレーム集合のHARQフィードバック情報のために予約されたリソース領域である。
【０５８４】
解決策1において、第2の割当モジュールは、第1の決定ユニット241、第2の決定ユニット243、および割当ユニット245を含む。
【０５８５】
第1の決定ユニット241は、M2およびiを決定するようにさらに構成され、M2は、第2のダウンリンクサブフレーム集合内の要素の量であり、iは、第2のダウンリンクサブフレーム集合内の、第2のダウンリンクサブフレーム集合内のダウンリンクサブフレームのシーケンス番号である。
【０５８６】
第2の決定ユニット243は、オフセットNΔを決定するように構成され、このオフセットは、第2のダウンリンクサブフレーム集合に割り当てられたPUCCHリソース領域およびUEの第1のグループに割り当てられたPUCCHリソース領域が完全に交互に交替するようにする。
【０５８７】
オフセットを決定する方法において、第2の決定ユニット243は、オフセットを、第1のアップリンク-ダウンリンク構成内の第1のアップリンクサブフレームに関連するダウンリンクサブフレームの量と1つのダウンリンクサブフレーム内で構成され得るCCEの最大量との積と等しくする。
【０５８８】
別の方法では、第2の決定ユニット243は、オフセットを、第1のアップリンク-ダウンリンク構成内の第1のアップリンクサブフレームに関連するダウンリンクサブフレームの量に1つのダウンリンクサブフレーム内で実際に構成されるCCEの量を乗じたものと等しくする。
【０５８９】
具体的には、これらの方法を、オフセットを決定する以下の4つの方法に分類することができる。
【０５９０】
方法1:ルールが、標準規格において事前に決定され、このルールは、UEの第1のグループとUEの第2のグループとに関して構成されるPUCCHリソース領域が、衝突しないことを保証し、これによって、基地局の実施の複雑さを回避する必要がある。たとえば、PDCCH領域が、最大4つのOFDMシンボルを占め、NΔ=M1×N4であり、M1が、第1のアップリンク-ダウンリンク構成に従って決定され、第1のアップリンクサブフレームに関連するダウンリンクサブフレーム集合内の要素の量を表し、あるいは、ダウンリンクシステム帯域幅に従って区別が行われ得、ここで、ダウンリンクシステム帯域幅は、10RB以下であり、PDCCH領域が、最大4つのOFDMシンボルN4を占め、あるいは、PDCCH領域が、最大3つのOFDMシンボルN3を占め、したがって、第2の決定ユニット243は、以下の式に従ってオフセットNΔを決定する。
【０５９１】
【数１９０】
0006629727.tif 000193
【０５９２】
方法2:第2の決定ユニット243は、上位レイヤシグナリングまたは物理レイヤシグナリングを送信し、ここで、上位レイヤシグナリングまたは物理レイヤシグナリングは、NΔを示す。UEの第1のグループに関して、1つのオフセット
【０５９３】
【数１９１】
0006629727.tif 000194
【０５９４】
が、上位レイヤシグナリングを使用することによっても構成され、これに対応して、第2のダウンリンクサブフレーム集合に関して、実際のオフセットが、
【０５９５】
【数１９２】
0006629727.tif 000195
【０５９６】
であり、したがって、オプションで、上位レイヤシグナリングまたは物理レイヤシグナリングが、送信され、ここで、上位レイヤシグナリングまたは物理レイヤシグナリングは、
【０５９７】
【数１９３】
0006629727.tif 000196
【０５９８】
を示す。
【０５９９】
方法3:同様に、NΔ=M1×Ncであり、第2の決定ユニット243は、上位レイヤシグナリングまたは物理レイヤシグナリングを送信し、ここで、上位レイヤシグナリングまたは物理レイヤシグナリングは、cの値を示す。
【０６００】
割当ユニット245は、M2、i、およびオフセットNΔに従って第2のPUCCHリソース領域を決定するように構成される。
【０６０１】
具体的には、基地局は、式
【０６０２】
【数１９４】
0006629727.tif 000197
【０６０３】
に従って第2のダウンリンクサブフレーム集合内のダウンリンクサブフレームにPUCCHリソースを割り当て、ここで、
【０６０４】
【数１９５】
0006629727.tif 000198
【０６０５】
は、第2のPUCCHリソース領域内のPUCCHリソースであり、pxは、アンテナポート番号であり、ここで、アンテナポートがp0である時にはx=0であり、アンテナポートがp1である時にはx=1であり、M2は、第2のダウンリンクサブフレーム集合内の要素の量であり、iは、第2のダウンリンクサブフレーム集合内の、第2のダウンリンクサブフレーム集合内のダウンリンクサブフレームのシーケンス番号であり、
【０６０６】
【数１９６】
0006629727.tif 000199
【０６０７】
であり、
【０６０８】
【数１９７】
0006629727.tif 000200
【０６０９】
は、ダウンリンクシステム帯域幅であり、
【０６１０】
【数１９８】
0006629727.tif 000201
【０６１１】
は、リソースブロックの周波数領域サイズであり、cは、{0, 1, 2, 3}に属し、
【０６１２】
【数１９９】
0006629727.tif 000202
【０６１３】
になるようにされ、
【０６１４】
【数２００】
0006629727.tif 000203
【０６１５】
は、第2のPDCCHによって占められる最初のCCEの番号であり、
【０６１６】
【数２０１】
0006629727.tif 000204
【０６１７】
は、第2のPDCCHリソース領域のオフセットである。
【０６１８】
解決策2は、より柔軟であり、解決策2において、第2の割当モジュール240は、第1の決定ユニット241、第2の決定ユニット243、および割当ユニット245をも含む。
【０６１９】
第1の決定ユニット241は、M3およびi'を決定するように構成され、ここで、M3は、第2のダウンリンクサブフレーム集合内の、その中でPDCCH領域が構成されるダウンリンクサブフレームの量であり、i'は、第2のダウンリンクサブフレーム集合内の、その中でPDCCH領域が構成されるダウンリンクサブフレームのシーケンス番号であり、あるいは、M3は、第2のダウンリンクサブフレーム集合内の、PDCCHリソース領域がPDCCHリソース領域に従ってそれのために予約される必要があるダウンリンクサブフレームの量であり、i'は、第2のダウンリンクサブフレーム集合内の、PDCCHリソース領域がPDCCHリソース領域に従ってそれのために予約される必要があるダウンリンクサブフレームのシーケンス番号である。オプションで、基地局は、上位レイヤシグナリングまたは物理レイヤシグナリングを使用することによって、M3およびi'の値についてUEの第2のグループに通知することができる。
【０６２０】
第2の決定ユニット243は、第2のPUCCHリソース領域のオフセットNΔを決定するように構成され、ここで、このオフセットは、第2のダウンリンクサブフレーム集合に割り当てられたPUCCHリソース領域とUEの第1のグループに割り当てられたPUCCHリソース領域とを完全に交互に交替させる。
【０６２１】
詳細については、第2の決定ユニット243の前述の説明を参照されたく、これをここで説明することはしない。
【０６２２】
割当ユニット245は、第1のアップリンクサブフレーム内で、M3、i'、およびオフセットNΔに従って第2のPUCCHリソース領域を決定するように構成される。
【０６２３】
具体的には、基地局は、式
【０６２４】
【数２０２】
0006629727.tif 000205
【０６２５】
に従って第2のダウンリンクサブフレーム集合内のダウンリンクサブフレームにPUCCHリソースを割り当て、ここで、
【０６２６】
【数２０３】
0006629727.tif 000206
【０６２７】
は、第2のPUCCHリソース領域内のPUCCHリソースであり、pxは、アンテナポート番号であり、ここで、アンテナポートがp0である時にはx=0であり、アンテナポートがp1である時にはx=1であり、
【０６２８】
【数２０４】
0006629727.tif 000207
【０６２９】
であり、
【０６３０】
【数２０５】
0006629727.tif 000208
【０６３１】
は、ダウンリンクシステム帯域幅であり、
【０６３２】
【数２０６】
0006629727.tif 000209
【０６３３】
は、リソースブロックの周波数領域サイズであり、cは、{0, 1, 2, 3}に属し、
【０６３４】
【数２０７】
0006629727.tif 000210
【０６３５】
になるようにされ、
【０６３６】
【数２０８】
0006629727.tif 000211
【０６３７】
は、第2のPDCCHによって占められる最初のCCEの番号であり、
【０６３８】
【数２０９】
0006629727.tif 000212
【０６３９】
は、第2のPDCCHリソース領域のオフセットである。
【０６４０】
この実施の形において、PUCCHリソース領域が、UEの第2のグループに割り当てられる時に、UEの第2のグループおよびUEの第1のグループの同一のHARQタイミングを有するダウンリンクサブフレームに関して、基地局は、UEの第1のグループのマッピングルールに従ってPUCCHリソース領域を決定し、UEの第1のグループとは異なるHARQタイミングを有するダウンリンクサブフレームについて、基地局は、UEの第1のグループのPUCCHリソース領域のオーバーラップがないことを保証するために、新しいマッピングルールに従ってPUCCHリソース領域を決定し、したがって、この方法は、基地局の実施の複雑さを回避するだけではなく、PUCCHリソースオーバーヘッドをも減らす。
【０６４１】
図16を参照すると、図16は、本願によるユーザ機器の第1の実施の形の概略構造図である。この実施の形のユーザ機器は、第1の決定モジュール310、第1の割当モジュール320、第2の決定モジュール330、および第2の割当モジュール340を含む。第1の決定モジュール310は、第1のダウンリンクサブフレーム集合を決定するように構成され、第1のダウンリンクサブフレーム集合は、第1のアップリンク-ダウンリンク構成と第2のアップリンク-ダウンリンク構成との両方において第1のアップリンクサブフレームに関連する。
【０６４２】
たとえば、UEは、第2のグループのUEである、すなわち、UEの第2のグループは、動的TDDアップリンク-ダウンリンク構成能力を有するUEであり、あるいは、UEの第2のグループは、基地局によって動的TDDアップリンク-ダウンリンク構成を用いて構成されるUEであり、あるいは、UEの第2のグループは、より後に公表されたUE、たとえば、LTE Release-12をサポートしまたはLTE Release-12より後のリリースをサポートするUEである。
【０６４３】
第1のアップリンク-ダウンリンク構成は、UEの第1のグループに適用されるアップリンク-ダウンリンク構成である。UEは、第2のグループのUEであるが、第1のアップリンク-ダウンリンク構成が、UEの第1のグループのメンバに対応して獲得され得る、すなわち、UEは、上位レイヤシグナリングを受信することによって、好ましくはSIB1を受信することによって、第1のアップリンク-ダウンリンク構成を獲得する。
【０６４４】
第2のアップリンク-ダウンリンク構成は、UEの第2のグループに適用されるアップリンク-ダウンリンク構成である。第2のアップリンク-ダウンリンク構成は、アップリンク-ダウンリンクサブフレーム割当を示すのに使用され得、これに対応して、UEは、物理レイヤシグナリングを受信することによって第2のアップリンク-ダウンリンク構成を獲得することができる。代替案では、好ましくは、第2のアップリンク-ダウンリンク構成は、基準アップリンク-ダウンリンク構成(reference UL-DL configuration)であり、基準アップリンク-ダウンリンク構成は、UEのHARQタイミングを決定するのに使用される。UEは、上位レイヤシグナリング(たとえば、RRCシグナリング)を受信することによって第2のアップリンク-ダウンリンク構成を獲得することができ、あるいは、基準アップリンク-ダウンリンク構成がアップリンク-ダウンリンク構成5またはアップリンク-ダウンリンク構成2であることが標準規格において事前に定義され、あるいは、基準アップリンク-ダウンリンク構成を決定するルールが、標準規格において事前に定義され、基地局とUEとの両方が、このルールに従って基準アップリンク-ダウンリンク構成を決定する。たとえば、スイッチングの前後の2つのアップリンク-ダウンリンク構成の両方が、5msのダウンリンクからアップリンクへのスイッチングポイント期間に属する時に、アップリンク-ダウンリンク構成2が、基準アップリンク-ダウンリンク構成として使用され、スイッチングの前後の2つのアップリンク-ダウンリンク構成のいずれかが、10msのダウンリンクからアップリンクへのスイッチングポイント期間に属する時には、アップリンク-ダウンリンク構成5が、基準アップリンク-ダウンリンク構成として使用される。
【０６４５】
異なるHARQタイミングが、異なるアップリンク-ダウンリンク構成について定義されるが、いくつかのダウンリンクサブフレームに関して、それでも、同一のHARQタイミングが、2つのアップリンク-ダウンリンク構成内に存在する。したがって、UEは、UEの第1のグループによって使用されるルールに従ってPUCCHリソース領域をその後に予約するために、あるサブフレーム集合がこれらのダウンリンクサブフレームを含むと決定する。
【０６４６】
第1のダウンリンクサブフレーム集合の決定の特定の詳細は、基地局の実施形態1における第1の決定モジュール210の第1のダウンリンクサブフレーム集合の決定と同一であり、ここでは繰り返さない。
【０６４７】
第1の割当モジュール320は、第3のダウンリンクサブフレーム内で第1のPDCCHを受信し、第3のダウンリンクサブフレームが第1のダウンリンクサブフレーム集合に属する時に、第1のアップリンクサブフレーム内で、第1のアップリンク-ダウンリンク構成のHARQタイミングに従って第3のPUCCHリソースを決定するように構成され、第3のPUCCHリソースは、第1のPDCCHによってスケジューリングされたPDSCHのHARQフィードバック情報または第1のPDCCHによって示されるダウンリンクSPSリリースシグナリングのHARQフィードバック情報によって占められるPUCCHリソースである。
【０６４８】
たとえば、第1のダウンリンクサブフレーム集合内のダウンリンクサブフレームに関して、UEは、第1のアップリンク-ダウンリンク構成のHARQタイミングに従ってPUCCHリソース領域を決定する。具体的には、UEは、M1およびjに従って第3のダウンリンクサブフレームの第3のPUCCHリソースを決定し、ここで、M1は、第1のアップリンク-ダウンリンク構成のHARQタイミングに従って決定される、第1のアップリンクサブフレームに関連するダウンリンクサブフレーム集合A内の要素の量であり、jは、ダウンリンクサブフレーム集合A内の第3のダウンリンクサブフレームのシーケンス番号である。
【０６４９】
具体的には、第1の割当モジュール320は、式
【０６５０】
【数２１０】
0006629727.tif 000213
【０６５１】
に従って第3のダウンリンクサブフレームにPUCCHリソースを割り当て、ここで、
【０６５２】
【数２１１】
0006629727.tif 000214
【０６５３】
は、第1のPUCCHリソース領域内のPUCCHリソースであり、pxは、アンテナポート番号であり、アンテナポートがp0である時には、x=0であり、アンテナポートがp1である時には、x=1であり、M1は、第1のアップリンク-ダウンリンク構成に従って決定される、第1のアップリンクサブフレームに関連するダウンリンクサブフレーム集合A内の要素の量であり、jは、ダウンリンクサブフレーム集合A内の第3のダウンリンクサブフレームのシーケンス番号であり、
【０６５４】
【数２１２】
0006629727.tif 000215
【０６５５】
であり、
【０６５６】
【数２１３】
0006629727.tif 000216
【０６５７】
は、ダウンリンクシステム帯域幅であり、
【０６５８】
【数２１４】
0006629727.tif 000217
【０６５９】
は、リソースブロックの周波数領域サイズであり、cは、{0, 1, 2, 3}に属し、Nc≦nCCE<Nc+1になるようにされ、nCCEは、第1のPDCCHによって占められる第1のCCEの番号であり、
【０６６０】
【数２１５】
0006629727.tif 000218
【０６６１】
は、第1のPUCCHリソース領域のオフセットであり、上位レイヤシグナリングを使用することによって構成される、すなわち、UEの第1のグループに関して構成されるリソースオフセットである。
【０６６２】
この形で、第1のダウンリンクサブフレーム集合に関して、同一のPUCCHリソース領域が、UEの第1のグループとUEの第2のグループとの両方について構成され、異なるUEのPDCCHによって占められるCCEは、異なり、したがって、決定されるPUCCHリソースも、異なり、これは、基地局の実施の複雑さを回避するだけではなく、PUCCHリソースオーバーヘッドをも減らす。
【０６６３】
第2の決定モジュール330は、第2のダウンリンクサブフレーム集合を決定するように構成され、第2のダウンリンクサブフレーム集合は、第2のアップリンク-ダウンリンク構成において第1のアップリンクサブフレームに関連し、第2のダウンリンクサブフレーム集合は、第1のアップリンク-ダウンリンク構成において第1のアップリンクサブフレームに関連しない。
【０６６４】
たとえば、第2の決定モジュール330は、第2のダウンリンクサブフレーム集合を決定し、ここで、第2のダウンリンクサブフレーム集合は、第2のアップリンク-ダウンリンク構成に従って決定され、第1のアップリンクサブフレームに関連する、ダウンリンクサブフレーム集合内の第1のダウンリンクサブフレーム集合の補集合である。
【０６６５】
特定の詳細は、基地局の実施形態1における第2の決定モジュール230による第2のダウンリンクサブフレーム集合の決定と同一であり、ここでは繰り返さない。
【０６６６】
第2の割当モジュール340は、第4のダウンリンクサブフレーム内で第2のPDCCHを受信し、第4のダウンリンクサブフレームが第2のダウンリンクサブフレーム集合に属する時に、第4のPUCCHリソースを決定するように構成され、第4のPUCCHリソースは、第2のPDCCHによってスケジューリングされたPDSCHのHARQフィードバック情報または第2のPDCCHによって示されるダウンリンクSPSリリースシグナリングのHARQフィードバック情報によって占められるPUCCHリソースである。
【０６６７】
解決策1において、第2の割当モジュール340は、第1の決定ユニット341、第2の決定ユニット343、および割当ユニット345を含む。
【０６６８】
第1の決定ユニット341は、M2およびiを決定するように構成され、M2は、第2のダウンリンクサブフレーム集合内の要素の量であり、iは、第2のダウンリンクサブフレーム集合内の第4のダウンリンクサブフレームのシーケンス番号である。
【０６６９】
第2の決定ユニット343は、オフセットNΔを決定するように構成され、ここで、このオフセットは、第2のダウンリンクサブフレーム集合に割り当てられたPUCCHリソース領域とUEの第1のグループに割り当てられたPUCCHリソース領域とを完全に交互に交替させる。
【０６７０】
オフセットを決定する方法において、第2の決定ユニット343が、オフセットを、第1のアップリンク-ダウンリンク構成内の第1のアップリンクサブフレームに関連するダウンリンクサブフレームの量と1つのダウンリンクサブフレーム内で構成され得るCCEの最大量との積と等しくすることである。
【０６７１】
別の方法では、第2の決定ユニット343は、オフセットを、第1のアップリンク-ダウンリンク構成内の第1のアップリンクサブフレームに関連するダウンリンクサブフレームの量に1つのダウンリンクサブフレーム内で実際に構成されるCCEの量を乗じたものと等しくする。
【０６７２】
具体的には、これらの方法を、オフセットを決定する以下の4つの方法に分類することができる。
【０６７３】
方法1:ルールが、標準規格において事前に決定され、このルールは、UEの第1のグループとUEの第2のグループとに関して構成されるPUCCHリソース領域が、衝突しないことを保証し、これによって、基地局の実施の複雑さを回避する必要がある。たとえば、PDCCH領域が、最大4つのOFDMシンボルを占め、NΔ=M1×N4であり、M1が、第1のアップリンク-ダウンリンク構成に従って決定され、第1のアップリンクサブフレームに関連するダウンリンクサブフレーム集合内の要素の量を表し、あるいは、ダウンリンクシステム帯域幅に従って区別が行われ得、ここで、ダウンリンクシステム帯域幅は、10RB以下であり、PDCCH領域が、最大4つのOFDMシンボルN4を占め、あるいは、PDCCH領域が、最大3つのOFDMシンボルN3を占め、したがって、第2の決定ユニット343は、以下の式に従ってオフセットNΔを決定することができる。
【０６７４】
【数２１６】
0006629727.tif 000219
【０６７５】
方法2:第2の決定ユニット343は、上位レイヤシグナリングまたは物理レイヤシグナリングを送信し、ここで、上位レイヤシグナリングまたは物理レイヤシグナリングは、NΔを示す。UEの第1のグループに関して、1つのオフセット
【０６７６】
【数２１７】
0006629727.tif 000220
【０６７７】
が、上位レイヤシグナリングを使用することによっても構成され、これに対応して、第2のダウンリンクサブフレーム集合に関して、実際のオフセットが、
【０６７８】
【数２１８】
0006629727.tif 000221
【０６７９】
であり、したがって、オプションで、UEは、上位レイヤシグナリングまたは物理レイヤシグナリングを送信し、ここで、上位レイヤシグナリングまたは物理レイヤシグナリングは、
【０６８０】
【数２１９】
0006629727.tif 000222
【０６８１】
を示す。
【０６８２】
方法3:同様に、NΔ=M1×Ncであり、第2の決定ユニット343は、上位レイヤシグナリングまたは物理レイヤシグナリングを受信し、ここで、上位レイヤシグナリングまたは物理レイヤシグナリングは、cの値を示す。
【０６８３】
割当ユニット345は、第1のアップリンクサブフレーム内で、M2、i、およびオフセットNΔに従って第4のPUCCHリソースを決定するように構成される。
【０６８４】
具体的には、割当ユニット345は、式
【０６８５】
【数２２０】
0006629727.tif 000223
【０６８６】
に従って第4のダウンリンクサブフレームにPUCCHリソースを割り当て、ここで、
【０６８７】
【数２２１】
0006629727.tif 000224
【０６８８】
は、第2のPUCCHリソース領域内の第4のPUCCHリソースであり、pxは、アンテナポート番号であり、アンテナポートがp0である時には、x=0であり、アンテナポートがp1である時には、x=1であり、M2は、第2のダウンリンクサブフレーム集合内の要素の量であり、iは、第2のダウンリンクサブフレーム集合内の第4のダウンリンクサブフレームのシーケンス番号であり、
【０６８９】
【数２２２】
0006629727.tif 000225
【０６９０】
であり、
【０６９１】
【数２２３】
0006629727.tif 000226
【０６９２】
は、ダウンリンクシステム帯域幅であり、
【０６９３】
【数２２４】
0006629727.tif 000227
【０６９４】
は、リソースブロックの周波数領域サイズであり、cは、{0, 1, 2, 3}に属し、
【０６９５】
【数２２５】
0006629727.tif 000228
【０６９６】
になるようにされ、
【０６９７】
【数２２６】
0006629727.tif 000229
【０６９８】
は、第2のPDCCHによって占められる第1のCCEの番号であり、
【０６９９】
【数２２７】
0006629727.tif 000230
【０７００】
は、第4のPUCCHリソースのオフセットである。
【０７０１】
解決策2は、より柔軟である。解決策2において、第2の割当モジュール340は、第1の決定ユニット341、第2の決定ユニット343、および割当ユニット345を含む。
【０７０２】
第1の決定ユニット341は、M3およびi'を決定するように構成され、ここで、M3は、第2のダウンリンクサブフレーム集合内の、その中でPDCCH領域が構成されるダウンリンクサブフレームの量であり、i'は、第4のダウンリンクサブフレームのシーケンス番号であり、あるいは、M3は、第2のダウンリンクサブフレーム集合内の、PDCCHリソース領域がPDCCHリソース領域に従ってそれのために予約される必要があるダウンリンクサブフレームの量であり、i'は、第4のダウンリンクサブフレームのシーケンス番号である。オプションで、UEは、基地局によって送信された上位レイヤシグナリングまたは物理レイヤシグナリングを受信することによって、M3およびi'の値を獲得する。
【０７０３】
第2の決定ユニット343は、第2のPUCCHリソース領域のオフセットNΔを決定するように構成され、ここで、このオフセットは、第2のダウンリンクサブフレーム集合に割り当てられたPUCCHリソース領域とUEの第1のグループに割り当てられたPUCCHリソース領域とを完全に交互に交替させる。
【０７０４】
詳細については、ユーザ機器内の第2の決定ユニット343の説明を参照されたく、これをここで説明することはしない。
【０７０５】
割当ユニット345は、第1のアップリンクサブフレーム内で、M3、i'、およびのオフセットNΔに従って第4のPUCCHリソースを決定するように構成される。
【０７０６】
具体的には、割当ユニット345は、式
【０７０７】
【数２２８】
0006629727.tif 000231
【０７０８】
に従って第4のダウンリンクサブフレームにPUCCHリソースを割り当て、ここで、
【０７０９】
【数２２９】
0006629727.tif 000232
【０７１０】
は、第2のPUCCHリソース領域内の第4のPUCCHリソースであり、pxは、アンテナポート番号であり、アンテナポートがp0である時には、x=0であり、アンテナポートがp1である時には、x=1であり、
【０７１１】
【数２３０】
0006629727.tif 000233
【０７１２】
であり、
【０７１３】
【数２３１】
0006629727.tif 000234
【０７１４】
は、ダウンリンクシステム帯域幅であり、
【０７１５】
【数２３２】
0006629727.tif 000235
【０７１６】
は、リソースブロックの周波数領域サイズであり、cは、{0, 1, 2, 3}に属し、
【０７１７】
【数２３３】
0006629727.tif 000236
【０７１８】
になるようにされ、
【０７１９】
【数２３４】
0006629727.tif 000237
【０７２０】
は、第2のPDCCHによって占められる第1のCCEの番号であり、
【０７２１】
【数２３５】
0006629727.tif 000238
【０７２２】
は、第4のPUCCHリソースのオフセットである。
【０７２３】
この実施の形において、PUCCHリソース領域が、UEの第2のグループに割り当てられる時に、UEの第2のグループおよびUEの第1のグループの同一のHARQタイミングを有するダウンリンクサブフレームに関して、基地局は、UEの第1のグループのマッピングルールに従ってPUCCHリソース領域を決定し、UEの第1のグループとは異なるHARQタイミングを有するダウンリンクサブフレームについて、基地局は、UEの第1のグループのPUCCHリソース領域のオーバーラップがないことを保証するために、新しいマッピングルールに従ってPUCCHリソース領域を決定し、したがって、この方法は、基地局の実施の複雑さを回避するだけではなく、PUCCHリソースオーバーヘッドをも減らす。
【０７２４】
図17を参照すると、図17は、本願による基地局の第2の実施の形の概略構造図である。この実施の形における基地局は、トランシーバ基地局BTS 410および基地局制御装置BSC 420を含む。トランシーバ基地局410は、基地局制御装置420に結合される。
【０７２５】
トランシーバ基地局410は、無線送信/受信デバイス、アンテナ、および無線インターフェースのためのすべての特殊な信号処理部分を含む。トランシーバ基地局410は、モバイル信号の受信および送信の処理の責任を負うように構成される。
【０７２６】
基地局制御装置420は、第1のダウンリンクサブフレーム集合を決定するように構成され、第1のダウンリンクサブフレーム集合は、第1のアップリンク-ダウンリンク構成と第2のアップリンク-ダウンリンク構成との両方において第1のアップリンクサブフレームに関連する。
【０７２７】
たとえば、基地局は、UE能力、サービス要件、リリース情報、または類似物に従って2つのUEグループを決定する。たとえば、UEの第1のグループは、動的TDDアップリンク-ダウンリンク構成能力を有しないUEであり、UEの第2のグループは、動的TDDアップリンク-ダウンリンク構成能力を有するUEであり、または、UEの第1のグループは、基地局によって動的TDDアップリンク-ダウンリンク構成を用いては構成されないUEであり、UEの第2のグループは、基地局によって動的TDDアップリンク-ダウンリンク構成を用いて構成されるUEであり、または、UEの第1のグループは、レガシUEすなわち、後方互換UE(legacy UE)、たとえば、LTE Release-8/9/10/11をサポートするUEであり、UEの第2のグループは、より後に公表されたUE、たとえば、LTE Release-12をサポートしもしくはLTE Release-12より後のリリースをサポートするUEである。
【０７２８】
基地局は、UEの第1のグループのために第1のアップリンク-ダウンリンク構成を構成する、すなわち、第1のアップリンク-ダウンリンク構成は、UEの第1のグループに適用されるアップリンク-ダウンリンク構成である。基地局は、上位レイヤシグナリングを使用することによって、好ましくはSIB1(システム情報ブロック1)を使用することによって、第1のアップリンク-ダウンリンク構成についてUEの第1のグループに通知することができる。上位レイヤシグナリングは、物理レイヤシグナリングに対する相対的なものであり、上位レイヤからの、より低い送信頻度を有するシグナリングであり、無線リソース制御(RRC)シグナリング、媒体アクセス制御(MAC)シグナリング、および類似物を含む。
【０７２９】
基地局は、UEの第2のグループのために第2のアップリンク-ダウンリンク構成を構成する、すなわち、第2のアップリンク-ダウンリンク構成は、UEの第2のグループに適用されるアップリンク-ダウンリンク構成である。第2のアップリンク-ダウンリンク構成は、アップリンク-ダウンリンクサブフレーム割当を示すのに使用され得、言い換えると、アップリンク-ダウンリンクデータを送信するのに使用され得るサブフレームを示すのに使用され得る。これに対応して、第2のアップリンク-ダウンリンク構成は、相対的に動的な形で変化し、基地局は、物理レイヤシグナリングを使用することによって、第2のアップリンク-ダウンリンク構成についてUEの第2のグループに通知することができる。代替案では、好ましくは、第2のアップリンク-ダウンリンク構成は、基準アップリンク-ダウンリンク構成(reference UL-DL configuration)であり、基準アップリンク-ダウンリンク構成は、UEのHARQタイミングを決定するのに使用される。動的TDDアップリンク-ダウンリンク構成の応用シナリオにおいて、アップリンク-ダウンリンク構成は、動的に変化することができ、これに対応して、HARQタイミングも、動的に変化する。この形で、アップリンク-ダウンリンク構成が変化しつつある期間内に、いくつかのダウンリンクパケットに関するHARQフィードバック情報が送信され得ないことが引き起こされ、したがって、基準アップリンク-ダウンリンク構成が導入され、アップリンク-ダウンリンク構成が変化する場合であっても、UEは、この構成に従ってHARQタイミングをも決定し、これによって、ダウンリンクパケットに関するHARQフィードバック情報が、アップリンク-ダウンリンク構成が変化しつつある期間内に送信され得ないという問題を回避する。好ましくは、基準アップリンク-ダウンリンク構成は、ダウンリンクサブフレームの量が、アップリンクサブフレームの量より多い構成、たとえば、アップリンク-ダウンリンク構成5またはアップリンク-ダウンリンク構成2である。基準アップリンク-ダウンリンク構成を構成する、3つの方法がある。1.基地局は、上位レイヤシグナリング(たとえば、RRCシグナリング)を使用することによって、第2のアップリンク-ダウンリンク構成についてUEの第2の
グループに通知することができる。2.基準アップリンク-ダウンリンク構成が、アップリンク-ダウンリンク構成5またはアップリンク-ダウンリンク構成2であることが、標準規格において事前に定義されている。3.基準アップリンク-ダウンリンク構成を決定するルールが、標準規格において事前に定義され、基地局とUEとの両方が、このルールに従って基準アップリンク-ダウンリンク構成を決定する。たとえば、スイッチングの前と後との2つのアップリンク-ダウンリンク構成の両方が、5msのダウンリンクからアップリンクへのスイッチングポイント期間に属する時には、アップリンク-ダウンリンク構成2が、基準アップリンク-ダウンリンク構成として使用され、スイッチングの前後の2つのアップリンク-ダウンリンク構成のいずれかが、10msのダウンリンクからアップリンクへのスイッチングポイント期間に属する時には、アップリンク-ダウンリンク構成5が、基準アップリンク-ダウンリンク構成として使用される。
【０７３０】
UEの第1のグループに関して、PUCCHリソース領域割当を、既存のアルゴリズムに従って実行することができる。UEの第2のグループに関して、PUCCHリソース領域割当を、以下に従って実行することができる。
【０７３１】
異なるHARQタイミングが、異なるアップリンク-ダウンリンク構成に関して定義されるが、いくつかのダウンリンクサブフレームに関して、それでも、同一のHARQタイミングが、2つのアップリンク-ダウンリンク構成内に存在する。したがって、基地局は、その後にルールに従ってPUCCHリソース領域を予約するために、1つのサブフレーム集合が、これらのダウンリンクサブフレームを含むと決定する。
【０７３２】
したがって、基地局は、第1のダウンリンクサブフレーム集合を決定し、第1のダウンリンクサブフレーム集合は、第1のアップリンク-ダウンリンク構成と第2のアップリンク-ダウンリンク構成との両方において第1のアップリンクサブフレームに関連する。基地局は、第1のアップリンク-ダウンリンク構成のHARQタイミングに従って、第1のアップリンクサブフレームに関連するダウンリンクサブフレーム集合Aを決定し、次に、基地局は、第2のアップリンク-ダウンリンク構成のHARQタイミングに従って、第1のアップリンクサブフレームに関連するダウンリンクサブフレーム集合Bを決定し、最後に、基地局制御装置420は、第1のダウンリンクサブフレーム集合が、ダウンリンクサブフレーム集合Aとダウンリンクサブフレーム集合Bとの積集合であると決定する。
【０７３３】
基地局制御装置420は、第1のダウンリンクサブフレーム集合を受け取り、第1のアップリンクサブフレーム内で、第1のアップリンク-ダウンリンク構成のHARQタイミングに従って第1のPUCCHリソース領域を決定するように構成され、第1のPUCCHリソース領域は、第1のダウンリンクサブフレーム集合のHARQフィードバック情報のために予約されたリソース領域である。
【０７３４】
たとえば、第1のダウンリンクサブフレーム集合のHARQフィードバック情報は、第1のダウンリンクサブフレーム集合内のダウンリンクサブフレーム内で送信されるPDSCHのHARQフィードバック情報またはダウンリンクSPSリリースシグナリングを指す。
【０７３５】
第1のダウンリンクサブフレーム集合に関して、基地局制御装置420は、第1のアップリンク-ダウンリンク構成のHARQタイミングに従って、UEの第2のグループのPUCCHリソース領域を決定する。具体的には、基地局制御装置420は、M1およびjに従って第1のダウンリンクサブフレーム集合に第1のPUCCHリソース領域を割り当て、ここで、M1は、第1のアップリンク-ダウンリンク構成のHARQタイミングに従って決定される、第1のアップリンクサブフレームに関連するダウンリンクサブフレーム集合A内の要素の量であり、jは、ダウンリンクサブフレーム集合A内の、第1のダウンリンクサブフレーム集合内のダウンリンクサブフレームのシーケンス番号である。この形で、第1のダウンリンクサブフレーム集合に関して、基地局は、UEの第1のグループとUEの第2のグループとの両方に関して同一のPUCCHリソース領域を構成し、これは、基地局の実施の複雑さを回避するだけではなく、PUCCHリソースオーバーヘッドをも減らす。
【０７３６】
具体的には、基地局制御装置420は、式
【０７３７】
【数２３６】
0006629727.tif 000239
【０７３８】
に従って第1のダウンリンクサブフレーム集合内のダウンリンクサブフレームにPUCCHリソース領域を割り当て、ここで、
【０７３９】
【数２３７】
0006629727.tif 000240
【０７４０】
は、第1のPUCCHリソース領域内のPUCCHリソースであり、pxは、アンテナポート番号であり、アンテナポートがp0である時には、x=0であり、アンテナポートがp1である時には、x=1であり、より多くのアンテナポートがある時には、同様であり、M1は、第1のアップリンク-ダウンリンク構成に従って決定される、第1のアップリンクサブフレームに関連するダウンリンクサブフレーム集合A内の要素の量であり、jは、ダウンリンクサブフレーム集合A内の、第1のダウンリンクサブフレーム集合内のダウンリンクサブフレームのシーケンス番号であり、
【０７４１】
【数２３８】
0006629727.tif 000241
【０７４２】
であり、
【０７４３】
【数２３９】
0006629727.tif 000242
【０７４４】
は、ダウンリンクシステム帯域幅であり、
【０７４５】
【数２４０】
0006629727.tif 000243
【０７４６】
は、リソースブロックの周波数領域サイズであり、cは、{0, 1, 2, 3}に属し、Nc≦nCCE<Nc+1になるようにされ、nCCEは、第1のダウンリンクサブフレーム集合内のダウンリンクサブフレーム内で送信されるPDCCHによって占められる第1のCCEの番号であり、
【０７４７】
【数２４１】
0006629727.tif 000244
【０７４８】
は、第1のPUCCHリソース領域のオフセットであり、上位レイヤシグナリングを使用することによって構成される、すなわち、UEの第1のグループに関して構成されるリソースオフセットである。
【０７４９】
したがって、UEの第1のグループおよびUEの第2のグループに関して、第1のダウンリンクサブフレーム集合のPUCCHリソースを決定するのに使用されるパラメータMおよびjの値は、同一である。したがって、UEの第1のグループおよびUEの第2のグループに関して、同一のダウンリンクサブフレームに割り当てられるPUCCHリソース領域は、同一である。
【０７５０】
基地局制御装置420は、第2のダウンリンクサブフレーム集合を決定するように構成され、第2のダウンリンクサブフレーム集合は、第2のアップリンク-ダウンリンク構成において第1のアップリンクサブフレームに関連し、第2のダウンリンクサブフレーム集合は、第1のアップリンク-ダウンリンク構成において第1のアップリンクサブフレームに関連しない。
【０７５１】
たとえば、基地局は、第1のアップリンク-ダウンリンク構成に従って、第1のアップリンクサブフレームに関連するダウンリンクサブフレーム集合Aを決定し、次に、基地局は、第2のアップリンク-ダウンリンク構成に従って、第1のアップリンクサブフレームに関連するダウンリンクサブフレーム集合Bを決定し、最後に、基地局制御装置420は、第2のダウンリンクサブフレーム集合が、ダウンリンクサブフレーム集合Aの補集合
【０７５２】
【数２４２】
0006629727.tif 000245
【０７５３】
とダウンリンクサブフレーム集合Bとの積集合であると決定する。すなわち、第2のダウンリンクサブフレーム集合内に含まれるダウンリンクサブフレームは、ダウンリンクサブフレーム集合Aには属さないが、ダウンリンクサブフレーム集合Bには属する。
【０７５４】
基地局制御装置420は、第2のダウンリンクサブフレーム集合を受信し、第1のアップリンクサブフレーム内で、第2のPUCCHリソース領域を決定するように構成され、第2のPUCCHリソース領域は、第2のダウンリンクサブフレーム集合のHARQフィードバック情報のために予約されたリソース領域である。
【０７５５】
解決策1において、基地局制御装置420は、M2およびiを決定するように構成され、M2は、第2のダウンリンクサブフレーム集合内の要素の量であり、iは、第2のダウンリンクサブフレーム集合内の、第2のダウンリンクサブフレーム集合内のダウンリンクサブフレームのシーケンス番号である。
【０７５６】
基地局制御装置420は、オフセットNΔを決定し、ここで、このオフセットは、第2のダウンリンクサブフレーム集合に割り当てられたPUCCHリソース領域とUEの第1のグループに割り当てられたPUCCHリソース領域とを完全に交互に交替させる。
【０７５７】
オフセットを決定する方法において、基地局制御装置420は、オフセットを、第1のアップリンク-ダウンリンク構成内の第1のアップリンクサブフレームに関連するダウンリンクサブフレームの量と1つのダウンリンクサブフレーム内で構成され得るCCEの最大量との積と等しくする。
【０７５８】
別の方法では、基地局制御装置420は、オフセットを、第1のアップリンク-ダウンリンク構成内の第1のアップリンクサブフレームに関連するダウンリンクサブフレームの量に1つのダウンリンクサブフレーム内で実際に構成されるCCEの量を乗じたものと等しくする。
【０７５９】
具体的には、これらの方法を、オフセットを決定する以下の4つの方法に分類することができる。
【０７６０】
方法1:ルールが、標準規格において事前に決定され、このルールは、UEの第1のグループとUEの第2のグループとに関して構成されるPUCCHリソース領域が、衝突しないことを保証し、これによって、基地局の実施の複雑さを回避する必要がある。たとえば、PDCCH領域が、最大4つのOFDMシンボルを占め、NΔ=M1×N4であり、M1が、第1のアップリンク-ダウンリンク構成に従って決定され、第1のアップリンクサブフレームに関連するダウンリンクサブフレーム集合内の要素の量を表し、あるいは、ダウンリンクシステム帯域幅に従って区別が行われ得、ここで、ダウンリンクシステム帯域幅は、10RB以下であり、PDCCH領域が、最大4つのOFDMシンボルN4を占め、あるいは、PDCCH領域が、最大3つのOFDMシンボルN3を占め、したがって、基地局制御装置420は、以下の式に従ってオフセットNΔを決定する。
【０７６１】
【数２４３】
0006629727.tif 000246
【０７６２】
方法2:基地局制御装置420は、上位レイヤシグナリングまたは物理レイヤシグナリングを送信し、ここで、上位レイヤシグナリングまたは物理レイヤシグナリングは、NΔを示す。UEの第1のグループに関して、1つのオフセット
【０７６３】
【数２４４】
0006629727.tif 000247
【０７６４】
が、上位レイヤシグナリングを使用することによっても構成され、これに対応して、第2のダウンリンクサブフレーム集合に関して、実際のオフセットが、
【０７６５】
【数２４５】
0006629727.tif 000248
【０７６６】
であり、したがって、オプションで、基地局は、上位レイヤシグナリングまたは物理レイヤシグナリングを送信し、ここで、上位レイヤシグナリングまたは物理レイヤシグナリングは、
【０７６７】
【数２４６】
0006629727.tif 000249
【０７６８】
を示す。
【０７６９】
方法3:同様に、NΔ=M1×Ncであり、基地局制御装置420は、上位レイヤシグナリングまたは物理レイヤシグナリングを送信し、ここで、上位レイヤシグナリングまたは物理レイヤシグナリングは、cの値を示す。
【０７７０】
基地局制御装置420は、M2、i、およびオフセットNΔに従って、第2のPUCCHリソース領域を決定するように構成される。
【０７７１】
具体的には、基地局は、式
【０７７２】
【数２４７】
0006629727.tif 000250
【０７７３】
に従って、第2のダウンリンクサブフレーム集合内のダウンリンクサブフレームにPUCCHリソースを割り当て、ここで、
【０７７４】
【数２４８】
0006629727.tif 000251
【０７７５】
は、第2のPUCCHリソース領域内のPUCCHリソースであり、pxは、アンテナポート番号であり、アンテナポートがp0である時には、x=0であり、アンテナポートがp1である時には、x=1であり、M2は、第2のダウンリンクサブフレーム集合内の要素の量であり、iは、第2のダウンリンクサブフレーム集合内の第4のダウンリンクサブフレームのシーケンス番号であり、
【０７７６】
【数２４９】
0006629727.tif 000252
【０７７７】
であり、
【０７７８】
【数２５０】
0006629727.tif 000253
【０７７９】
は、ダウンリンクシステム帯域幅であり、
【０７８０】
【数２５１】
0006629727.tif 000254
【０７８１】
は、リソースブロックの周波数領域サイズであり、cは、{0, 1, 2, 3}に属し、
【０７８２】
【数２５２】
0006629727.tif 000255
【０７８３】
になるようにされ、
【０７８４】
【数２５３】
0006629727.tif 000256
【０７８５】
は、第2のPDCCHによって占められる第1のCCEの番号であり、
【０７８６】
【数２５４】
0006629727.tif 000257
【０７８７】
は、第2のPUCCHリソース領域のオフセットである。
【０７８８】
解決策2は、より柔軟であり、解決策2において、基地局制御装置420は、M3およびi'を決定するように構成され、ここで、M3は、第2のダウンリンクサブフレーム集合内の、その中でPDCCH領域が構成されるダウンリンクサブフレームの量であり、i'は、第2のダウンリンクサブフレーム集合内の、その中でPDCCH領域が構成されるダウンリンクサブフレームのシーケンス番号であり、あるいは、M3は、第2のダウンリンクサブフレーム集合内の、PDCCHリソース領域がPDCCHリソース領域に従ってそれのために予約される必要があるダウンリンクサブフレームの量であり、i'は、第2のダウンリンクサブフレーム集合内の、PDCCHリソース領域がPDCCHリソース領域に従ってそれのために予約される必要があるダウンリンクサブフレームのシーケンス番号である。オプションで、基地局は、上位レイヤシグナリングまたは物理レイヤシグナリングを使用することによって、M3およびi'の値についてUEの第2のグループに通知することができる。
【０７８９】
基地局制御装置420は、第2のPUCCHリソース領域のオフセットNΔを決定するように構成され、ここで、このオフセットは、第2のダウンリンクサブフレーム集合に割り当てられたPUCCHリソース領域とUEの第1のグループに割り当てられたPUCCHリソース領域とを完全に交互に交替させる。
【０７９０】
詳細については、基地局制御装置420の前述の説明を参照されたく、これをここで説明することはしない。
【０７９１】
基地局制御装置420は、第1のアップリンクサブフレーム内で、M3、i'、およびオフセットNΔに従って第2のPUCCHリソース領域を決定するように構成される。
【０７９２】
具体的には、基地局は、式
【０７９３】
【数２５５】
0006629727.tif 000258
【０７９４】
に従って第2のダウンリンクサブフレーム集合内のダウンリンクサブフレームにPUCCHリソースを割り当て、ここで、
【０７９５】
【数２５６】
0006629727.tif 000259
【０７９６】
は、第2のPUCCHリソース領域内のPUCCHリソースであり、pxは、アンテナポート番号であり、ここで、アンテナポートがp0である時にはx=0であり、アンテナポートがp1である時にはx=1であり、
【０７９７】
【数２５７】
0006629727.tif 000260
【０７９８】
であり、
【０７９９】
【数２５８】
0006629727.tif 000261
【０８００】
は、ダウンリンクシステム帯域幅であり、
【０８０１】
【数２５９】
0006629727.tif 000262
【０８０２】
は、リソースブロックの周波数領域サイズであり、cは、{0, 1, 2, 3}に属し、
【０８０３】
【数２６０】
0006629727.tif 000263
【０８０４】
になるようにされ、
【０８０５】
【数２６１】
0006629727.tif 000264
【０８０６】
は、第2のPDCCHによって占められる最初のCCEの番号であり、
【０８０７】
【数２６２】
0006629727.tif 000265
【０８０８】
は、第2のPDCCHリソース領域のオフセットである。
【０８０９】
この実施の形において、PUCCHリソース領域が、UEの第2のグループに割り当てられる時に、UEの第2のグループおよびUEの第1のグループの同一のHARQタイミングを有するダウンリンクサブフレームに関して、基地局は、UEの第1のグループのマッピングルールに従ってPUCCHリソース領域を決定し、UEの第1のグループとは異なるHARQタイミングを有するダウンリンクサブフレームについて、基地局は、UEの第1のグループのPUCCHリソース領域のオーバーラップがないことを保証するために、新しいマッピングルールに従ってPUCCHリソース領域を決定し、したがって、この方法は、基地局の実施の複雑さを回避するだけではなく、PUCCHリソースオーバーヘッドをも減らす。
【０８１０】
図18を参照すると、図18は、本願によるユーザ機器の第2の実施の形の概略構造図である。この実施の形におけるユーザ機器500は、受信器501、プロセッサ502、メモリ503、および送信器504を含む。UEは、第2のグループのUEであり、UEの第2のグループは、動的TDDアップリンク-ダウンリンク構成能力を有するUE、動的TDDアップリンク-ダウンリンク構成を用いて構成されるUE、またはより後に公表されたUEであり、第1のアップリンク-ダウンリンク構成は、ユーザ機器UEの第1のグループによって使用されるアップリンク-ダウンリンク構成であり、UEの第1のグループは、動的TDDアップリンク-ダウンリンク構成能力を有しないUE、動的TDDアップリンク-ダウンリンク構成を用いては構成されないUE、またはレガシUEであり、第2のアップリンク-ダウンリンク構成は、UEの第2のグループに適用される、UEの第2のグループのHARQタイミングを示すのに使用される、基準アップリンク-ダウンリンク構成、またはUEの第2のグループのアップリンク-ダウンリンクサブフレーム割当を示すのに使用されるアップリンク-ダウンリンク構成である。
【０８１１】
受信器501は、無線の形でデータを受信することができる。
【０８１２】
プロセッサ502は、ユーザ機器500の動作を制御し、プロセッサ502は、CPU(Central Processing Unit)と呼ばれる場合もある。プロセッサ502は、集積回路チップとすることができ、信号処理能力を有する。プロセッサ502を、汎用プロセッサ、ディジタル信号プロセッサ(DSP)、特定用途向け集積回路(ASIC)、フィールドプログラマブルゲートアレイ(FPGA)もしくは別のプログラマブル論理デバイス、ディスクリートゲートもしくはトランジスタ論理デバイス、またはディスクリートハードウェアコンポーネントとすることもできる。汎用プロセッサを、マイクロプロセッサとすることができ、あるいは、プロセッサを、任意の従来のプロセッサおよび類似物とすることができる。
【０８１３】
メモリ503は、読取専用メモリおよびランダムアクセスメモリを含むことができ、命令およびデータをプロセッサ502に供給する。メモリ503の一部が、不揮発性ランダムアクセスメモリ(NVRAM)をさらに含むことができる。
【０８１４】
送信器504は、無線の形でデータを送信することができる。
【０８１５】
ユーザ機器500のコンポーネントは、バスシステム505を使用することによって一緒に結合され、ここで、データバスに加えて、バスシステム505は、電力バス、制御バス、状況信号バス、および類似物をさらに含むことができる。しかし、明瞭な説明のために、図内の様々なタイプのバスは、すべてがバスシステム505としてマークされている。
【０８１６】
メモリ503は、下記の要素、実行可能モジュール、もしくはデータ構造、またはそのサブセットもしくはその拡張されたセットを記憶する。
動作命令:様々な動作を実施するのに使用される、様々な動作命令を含む、および
オペレーティングシステム:様々な基本サービスを実施し、ハードウェアベースのタスクを処理するように構成された、様々なシステムプログラムを含む。
【０８１７】
本発明のこの実施形態において、プロセッサ502は、メモリ503内に記憶された動作命令(動作命令は、オペレーティングシステム内に記憶され得る)を呼び出すことによって、以下の動作を実行する。
プロセッサ502によって、第1のダウンリンクサブフレーム集合を決定することであって、第1のダウンリンクサブフレーム集合は、第1のアップリンク-ダウンリンク構成と第2のアップリンク-ダウンリンク構成との両方において第1のアップリンクサブフレームに関連する、決定することと、
受信器501によって、第3のダウンリンクサブフレーム内で第1のPDCCHを受信することと、
プロセッサ502は、第3のダウンリンクサブフレームが第1のダウンリンクサブフレーム集合に属する時に、第1のアップリンクサブフレーム内で、第1のアップリンク-ダウンリンク構成のHARQタイミングに従って第3のPUCCHリソースを決定するように構成され、第3のPUCCHリソースは、第1のPDCCHによってスケジューリングされたPDSCHのHARQフィードバック情報または第1のPDCCHによって示されるダウンリンクSPSリリースシグナリングのHARQフィードバック情報によって占められるPUCCHリソースである。
【０８１８】
オプションで、プロセッサ502は、第1のアップリンクサブフレーム内で、M1およびjに従って第3のダウンリンクサブフレームの第3のPUCCHリソースを決定するようにさらに構成され、M1は、第1のアップリンク-ダウンリンク構成のHARQタイミングに従って決定される、第1のアップリンクサブフレームに関連するダウンリンクサブフレーム集合A内の要素の量であり、jは、ダウンリンクサブフレーム集合A内の第3のダウンリンクサブフレームのシーケンス番号である。
【０８１９】
オプションで、プロセッサ502は、式
【０８２０】
【数２６３】
0006629727.tif 000266
【０８２１】
に従って第3のPUCCHリソースを決定するようにさらに構成され、
【０８２２】
【数２６４】
0006629727.tif 000267
【０８２３】
は、第3のPUCCHリソースであり、pxは、アンテナポート番号であり、xは、非負の整数であり、
【０８２４】
【数２６５】
0006629727.tif 000268
【０８２５】
であり、
【０８２６】
【数２６６】
0006629727.tif 000269
【０８２７】
は、ダウンリンクシステム帯域幅であり、
【０８２８】
【数２６７】
0006629727.tif 000270
【０８２９】
は、リソースブロックの周波数領域サイズであり、cは、{0, 1, 2, 3}に属し、Nc≦nCCE<Nc+1になるようにされ、nCCEは、第1のPDCCHによって占められる第1のCCEの番号であり、
【０８３０】
【数２６８】
0006629727.tif 000271
【０８３１】
は、第3のPUCCHリソースのオフセットである。
【０８３２】
オプションで、プロセッサ502は、第2のダウンリンクサブフレーム集合を決定するようにさらに構成され、第2のダウンリンクサブフレーム集合は、第2のアップリンク-ダウンリンク構成において第1のアップリンクサブフレームに関連し、第2のダウンリンクサブフレーム集合は、第1のアップリンク-ダウンリンク構成において第1のアップリンクサブフレームに関連せず、受信器501は、第4のダウンリンクサブフレーム内で第2のPDCCHを受信するようにさらに構成され、プロセッサ502は、第4のダウンリンクサブフレームが第2のダウンリンクサブフレーム集合に属する時に、第4のPUCCHリソースを決定するようにさらに構成され、第4のPUCCHリソースは、第2のPDCCHによってスケジューリングされたPDSCHのHARQフィードバック情報または第2のPDCCHによって示されるダウンリンクSPSリリースシグナリングのHARQフィードバック情報によって占められるPUCCHリソースである。
【０８３３】
オプションで、プロセッサ502は、M2およびiを決定し、M2は、第2のダウンリンクサブフレーム集合内の要素の量であり、iは、第2のダウンリンクサブフレーム集合内の第4のダウンリンクサブフレームのシーケンス番号であり;第2のオフセットNΔを決定し;第1のアップリンクサブフレーム内で、M2、i、および第2のオフセットNΔに従って第4のPUCCHリソースを決定するようにさらに構成される。
【０８３４】
オプションで、受信器501は、第1のシグナリングを受信し、M2およびiを決定するようにさらに構成され、第1のシグナリングは、M2およびiを示し、M2は、第2のダウンリンクサブフレーム集合内の、それのためにPUCCHリソース領域がPDCCHリソース領域に従って予約される必要があるダウンリンクサブフレームの量であり、iは、第4のダウンリンクサブフレームのシーケンス番号である。プロセッサ502は、第2のオフセットNΔを決定し、第1のアップリンクサブフレーム内で、M2、i、および第2のオフセットNΔに従って第4のPUCCHリソースを決定するようにさらに構成される。
【０８３５】
オプションで、プロセッサ502は、第2のオフセットNΔが第1のアップリンク-ダウンリンク構成において第1のアップリンクサブフレームに関連するダウンリンクサブフレームの量に1つのダウンリンクサブフレーム内で構成され得るCCEの最大量を乗じたものと等しいと決定するようにさらに構成され、あるいは、受信器501は、第2のシグナリングを受信し、第2のオフセットNΔを決定するようにさらに構成され、第2のシグナリングは、第2のオフセットNΔまたは
【０８３６】
【数２６９】
0006629727.tif 000272
【０８３７】
を示し、
【０８３８】
【数２７０】
0006629727.tif 000273
【０８３９】
であり、あるいは、受信器501は、第3のシグナリングを受信し、第2のオフセットNΔ=M1×Ncを決定するようにさらに構成され、第3のシグナリングは、cの値を示す。
【０８４０】
オプションで、プロセッサ502は、式
【０８４１】
【数２７１】
0006629727.tif 000274
【０８４２】
に従って第4のPUCCHリソースを決定するようにさらに構成され、
【０８４３】
【数２７２】
0006629727.tif 000275
【０８４４】
は、第4のPUCCHリソースであり、pxは、アンテナポート番号であり、xは、非負の整数であり、
【０８４５】
【数２７３】
0006629727.tif 000276
【０８４６】
であり、
【０８４７】
【数２７４】
0006629727.tif 000277
【０８４８】
は、ダウンリンクシステム帯域幅であり、
【０８４９】
【数２７５】
0006629727.tif 000278
【０８５０】
は、リソースブロックの周波数領域サイズであり、cは、{0, 1, 2, 3}に属し、
【０８５１】
【数２７６】
0006629727.tif 000279
【０８５２】
になるようにされ、
【０８５３】
【数２７７】
0006629727.tif 000280
【０８５４】
は、第2のPDCCHによって占められる第1のCCEの番号であり、
【０８５５】
【数２７８】
0006629727.tif 000281
【０８５６】
は、第4のPUCCHリソースのオフセットである。
【０８５７】
本発明の前述の実施形態において開示された方法は、プロセッサ502に適用され得、あるいは、プロセッサ502を使用することによって実施され得る。実施プロセスにおいて、前述の方法のステップは、プロセッサ502内のハードウェア集積論理回路またはソフトウェアの形の命令を使用することによって完了され得る。プロセッサ502は、本発明の実施形態において開示される方法、ステップ、および論理ブロック図を実施しまたは実行することができる。本発明の実施形態に関連して開示される方法のステップは、ハードウェア復号式プロセッサによって直接に実行され、完了され得、あるいは、復号式プロセッサ内のハードウェアモジュールとソフトウェアモジュールとの組合せを使用することによって実行され、完了され得る。ソフトウェアモジュールは、ランダムアクセスメモリ、フラッシュメモリ、読取専用メモリ、プログラマブル読取専用メモリ、電気的消去可能プログラマブルメモリ、またはレジスタなど、当技術分野において成熟した記憶媒体内に配置され得る。記憶媒体は、メモリ503内に配置され、プロセッサ502は、メモリ503内の情報を読み取り、プロセッサ502のハードウェアと組み合わせて前述の方法のステップを完了する。
【０８５８】
この実施の形において、PUCCHリソース領域が、UEの第2のグループに割り当てられる時に、UEの第2のグループおよびUEの第1のグループの同一のHARQタイミングを有するダウンリンクサブフレームに関して、基地局は、UEの第1のグループのマッピングルールに従ってPUCCHリソース領域を決定し、UEの第1のグループとは異なるHARQタイミングを有するダウンリンクサブフレームについて、基地局は、UEの第1のグループのPUCCHリソース領域のオーバーラップがないことを保証するために、新しいマッピングルールに従ってPUCCHリソース領域を決定し、したがって、この方法は、基地局の実施の複雑さを回避するだけではなく、PUCCHリソースオーバーヘッドをも減らす。
【０８５９】
図19を参照すると、図19は、本願による基地局の第3の実施の形の概略構造図である。本願における基地局は、第1の構成モジュール601、第1の決定モジュール602、第2の構成モジュール603、送信モジュール604、および第2の決定モジュール605を含む。
【０８６０】
第1の構成モジュール601は、第2のアップリンク-ダウンリンク構成を構成するように構成される。第1のアップリンク-ダウンリンク構成は、ユーザ機器UEの第1のグループによって使用されるアップリンク-ダウンリンク構成であり、UEの第1のグループは、動的TDDアップリンク-ダウンリンク構成能力を有しないUE、動的TDDアップリンク-ダウンリンク構成を用いては構成されないUE、またはレガシUEであり、第2のアップリンク-ダウンリンク構成は、UEの第2のグループに適用される、UEの第2のグループのHARQタイミングを示すのに使用される、基準アップリンク-ダウンリンク構成、またはUEの第2のグループのアップリンク-ダウンリンクサブフレーム割当を示すのに使用されるアップリンク-ダウンリンク構成であり、UEの第2のグループは、動的TDDアップリンク-ダウンリンク構成能力を有するUE、動的TDDアップリンク-ダウンリンク構成を用いて構成されるUE、またはより後に公表されたUEである。
【０８６１】
基地局は、UEの第1のグループのために第1のアップリンク-ダウンリンク構成を構成する、すなわち、第1のアップリンク-ダウンリンク構成は、UEの第1のグループに適用されるアップリンク-ダウンリンク構成である。基地局は、上位レイヤシグナリングを使用することによって、好ましくはSIB1(システム情報ブロック1)を使用することによって、第1のアップリンク-ダウンリンク構成についてUEの第1のグループに通知することができる。上位レイヤシグナリングは、物理レイヤシグナリングに対する相対的なものであり、上位レイヤからの、より低い送信頻度を有するシグナリングであり、無線リソース制御(RRC)シグナリング、媒体アクセス制御(MAC)シグナリング、および類似物を含む。
【０８６２】
第1の構成モジュール601は、UEの第2のグループのために第2のアップリンク-ダウンリンク構成を構成する、すなわち、第2のアップリンク-ダウンリンク構成は、UEの第2のグループに適用されるアップリンク-ダウンリンク構成である。第2のアップリンク-ダウンリンク構成は、アップリンク-ダウンリンクサブフレーム割当を示すのに使用され得、言い換えると、アップリンク-ダウンリンクデータを送信するのに使用され得るサブフレームを示すのに使用され得る。これに対応して、第2のアップリンク-ダウンリンク構成は、相対的に動的な形で変化し、基地局は、物理レイヤシグナリングを使用することによって、第2のアップリンク-ダウンリンク構成についてUEの第2のグループに通知することができる。代替案では、好ましくは、第2のアップリンク-ダウンリンク構成は、基準アップリンク-ダウンリンク構成(reference UL-DL configuration)であり、基準アップリンク-ダウンリンク構成は、UEのHARQタイミングを決定するのに使用される。動的TDDアップリンク-ダウンリンク構成の応用シナリオにおいて、アップリンク-ダウンリンク構成は、動的に変化することができ、これに対応して、HARQタイミングも、動的に変化する。この形で、アップリンク-ダウンリンク構成が変化しつつある期間内に、いくつかのダウンリンクパケットに関するHARQフィードバック情報が送信され得ないことが引き起こされ、したがって、基準アップリンク-ダウンリンク構成が導入され、アップリンク-ダウンリンク構成が変化する場合であっても、UEは、この構成に従ってHARQタイミングをも決定し、これによって、ダウンリンクパケットに関するHARQフィードバック情報が、アップリンク-ダウンリンク構成が変化しつつある期間内に送信され得ないという問題を回避する。好ましくは、基準アップリンク-ダウンリンク構成は、ダウンリンクサブフレームの量が、アップリンクサブフレームの量より多い構成、たとえば、アップリンク-ダウンリンク構成5またはアップリンク-ダウンリンク構成2である。基準アップリンク-ダウンリンク構成を構成する、3つの方法がある。1.基地局は、上位レイヤシグナリング(たとえば、RRCシグナリング)を使用することによって、第2のアップリンク-ダウンリンク構成
についてUEの第2のグループに通知することができる。2.基準アップリンク-ダウンリンク構成が、アップリンク-ダウンリンク構成5またはアップリンク-ダウンリンク構成2であることが、標準規格において事前に定義されている。3.基準アップリンク-ダウンリンク構成を決定するルールが、標準規格において事前に定義され、基地局とUEとの両方が、このルールに従って基準アップリンク-ダウンリンク構成を決定する。たとえば、スイッチングの前と後との2つのアップリンク-ダウンリンク構成の両方が、5msのダウンリンクからアップリンクへのスイッチングポイント期間に属する時には、アップリンク-ダウンリンク構成2が、基準アップリンク-ダウンリンク構成として使用され、スイッチングの前後の2つのアップリンク-ダウンリンク構成のいずれかが、10msのダウンリンクからアップリンクへのスイッチングポイント期間に属する時には、アップリンク-ダウンリンク構成5が、基準アップリンク-ダウンリンク構成として使用される。
【０８６３】
第1の決定モジュール602は、第2のアップリンク-ダウンリンク構成のHARQタイミングに従って第5のダウンリンクサブフレームを決定するように構成され、ここで、第5のダウンリンクサブフレームは、第1のアップリンクサブフレームに関連する。
【０８６４】
たとえば、第5のダウンリンクサブフレームは、第1のアップリンクサブフレームに関連する、すなわち、第5のダウンリンクサブフレーム内で送信されるPDSCHのHARQフィードバック情報(PDCCHによってスケジューリングされる)またはダウンリンクSPSリリースシグナリングは、第1のアップリンクサブフレーム内で搬送される。第1の決定モジュール602は、複数のダウンリンクサブフレームのHARQフィードバック情報を、第2のアップリンク-ダウンリンク構成のHARQタイミングに従って第1のアップリンクサブフレーム内で送信する必要がある場合がある。本明細書で議論される第5のダウンリンクサブフレームは、複数のダウンリンクサブフレームのうちの任意のダウンリンクサブフレームとすることができ、一般性を有する。たとえば、第2のアップリンク-ダウンリンク構成は、構成1であり、第2のアップリンク-ダウンリンク構成のHARQタイミングに従って、そのサブフレーム番号が5および6であるダウンリンクサブフレームのHARQフィードバック情報は、そのサブフレーム番号が2であるアップリンクサブフレーム上でフィードバックされ、したがって、第5のダウンリンクサブフレームを、ダウンリンクサブフレーム5とすることができ、あるいは、ダウンリンクサブフレーム6とすることができる。
【０８６５】
第2の構成モジュール603は、第5のダウンリンクサブフレームのPUCCHリソースパラメータを構成するように構成され、ここで、PUCCHリソースパラメータは、M、m、および
【０８６６】
【数２７９】
0006629727.tif 000282
【０８６７】
を含み、あるいは、ここで、PUCCHリソースパラメータは、M、m、およびNΔを含む。
【０８６８】
たとえば、第2の構成モジュール603は、現在のサブフレーム構成状況に従って適応的にMを構成することができ、ここで、Mは、正の整数である。Mは、第5のダウンリンクサブフレームに対応するPUCCHリソース領域の離散レベルを示す。上で議論したように、あるダウンリンクサブフレーム集合が複数のダウンリンクサブフレームを有する時に、その複数のダウンリンクサブフレームのPUCCHリソース領域は、交互に交替する形で分散される。たとえば、第5のダウンリンクサブフレームに対応するPUCCHリソース領域は、3つの片または4つの片に分割され、基地局が、M=1を構成する時には、PUCCHリソース領域の3つの片または4つの片は、連続し、基地局が、M>1を構成する時には、PUCCHリソース領域の3つの片または4つの片は、離散的であり、ここで、Mのより大きい値は、より高い離散レベルを示す。
【０８６９】
mは、第5のダウンリンクサブフレームのシーケンス番号であり、ここで、mは、非負の整数であり、Mより小さい。たとえば、M=1の時には、基地局は、第5のダウンリンクサブフレームのシーケンス番号が0であることだけを構成することができ、M=2の時には、基地局は、第5のダウンリンクサブフレームのシーケンス番号が0または1であることを構成することができる。
【０８７０】
【数２８０】
0006629727.tif 000283
【０８７１】
は、第5のダウンリンクサブフレームに対応するPUCCHリソース領域のオフセットであり、
【０８７２】
【数２８１】
0006629727.tif 000284
【０８７３】
は、非負の整数であり、NΔは、非負の整数であり、
【０８７４】
【数２８２】
0006629727.tif 000285
【０８７５】
は、UEの第1のグループのために構成されたPUCCHリソースのオフセットである。基地局は、
【０８７６】
【数２８３】
0006629727.tif 000286
【０８７７】
またはNΔを適応的に構成することができ、あるいは、実施形態1のステップS1052で与えられる方法を使用することによって、
【０８７８】
【数２８４】
0006629727.tif 000287
【０８７９】
またはNΔを構成することができる。
【０８８０】
送信モジュール604は、第4のシグナリングを送信し、ここで、第4のシグナリングは、PUCCHリソースパラメータを示し、あるいは、第4のシグナリングは、M、m、および
【０８８１】
【数２８５】
0006629727.tif 000288
【０８８２】
のうちの少なくとも1つのパラメータを示し、あるいは、第4のシグナリングは、M、m、およびNΔのうちの少なくとも1つのパラメータを示す。
【０８８３】
第4のシグナリングは、上位レイヤシグナリングとすることができ、あるいは、物理レイヤシグナリングとすることができる。第4のシグナリングが、物理レイヤシグナリングである時に、第4のシグナリングは、PDCCH/ePDCCHを使用することによって搬送され、たとえば、第4のシグナリングおよびアップリンク-ダウンリンクサブフレーム構成を示すためのシグナリングが、1つのPDCCHを共有することができる。
【０８８４】
第2の決定モジュール605は、第1のアップリンクサブフレーム内で、M、m、および
【０８８５】
【数２８６】
0006629727.tif 000289
【０８８６】
に従って、第1のアップリンクサブフレーム内に配置される第5のPUCCHリソース領域を決定するよう構成され、ここで、第5のPUCCHリソース領域は、第5のダウンリンクサブフレームに関するHARQフィードバック情報のために予約されるリソース領域である。
【０８８７】
具体的には、第2の決定モジュール605は、式
【０８８８】
【数２８７】
0006629727.tif 000290
【０８８９】
に従って第5のPUCCHリソース領域を決定し、ここで、
【０８９０】
【数２８８】
0006629727.tif 000291
【０８９１】
は、第5のPUCCHリソース領域内のPUCCHリソースであり、pxは、アンテナポート番号であり、xは、非負の整数であり、
【０８９２】
【数２８９】
0006629727.tif 000292
【０８９３】
であり、
【０８９４】
【数２９０】
0006629727.tif 000293
【０８９５】
は、ダウンリンクシステム帯域幅であり、
【０８９６】
【数２９１】
0006629727.tif 000294
【０８９７】
は、リソースブロックの周波数領域サイズであり、cは、{0, 1, 2, 3}に属し、Nc≦nCCE<Nc+1になるようにされ、nCCEは、第5のダウンリンクサブフレーム内で送信されるPDCCHによって占められる第1のCCEの番号であり、
【０８９８】
【数２９２】
0006629727.tif 000295
【０８９９】
は、第5のPUCCHリソース領域のオフセットである。
【０９００】
この実施形態において提供される基地局は、構成のより高い柔軟性を有し、現在のサブフレーム構成状況とデータスケジューリング状況とに従って、基地局は、M、m、および
【０９０１】
【数２９３】
0006629727.tif 000296
【０９０２】
のうちの少なくとも1つのパラメータを適応的に構成することができ、これは、基地局の実施の複雑さを増やすのを回避するだけではなく、予約されるPUCCHリソースを大幅に減らすこともできる。たとえば、システム内のUEの第1のグループが、非常に少ない量を有するか、UEの第1グループが、限られたダウンリンクサブフレーム内でのみ送信を実行する(たとえば、UEの第1のグループが、ダウンリンクサブフレーム0、1、5、および6内で送信を実行する可能性があるが、基地局が、サブフレーム0内でのみUEの第1のグループをスケジューリングする)時には、基地局は、UEの第2のグループのために予約されるPUCCHリソース領域とUEの第1のグループのために予約されるPUCCHリソース領域とが部分的にオーバーラップしまたは完全にオーバーラップすることを可能にするために、M、m、および
【０９０３】
【数２９４】
0006629727.tif 000297
【０９０４】
のうちの少なくとも1つのパラメータを構成することができる。
【０９０５】
図20を参照すると、図20は、本願によるユーザ機器の第3の実施の形の概略構造図である。この実施の形におけるユーザ機器は、獲得モジュール701、第1の決定モジュール702、受信モジュール703、および第2の決定モジュール704を含む。
【０９０６】
獲得モジュール701は、第2のアップリンク-ダウンリンク構成を獲得するように構成される。
【０９０７】
UEは、第2のグループのUEであり、UEの第2のグループは、動的TDDアップリンク-ダウンリンク構成能力を有するUEであり、または、UEの第2のグループは、基地局によって動的TDDアップリンク-ダウンリンク構成を用いて構成されるUEであり、または、UEの第2のグループは、より後に公表されたUE、たとえば、LTE Release-12をサポートしもしくはLTE Release-12より後のリリースをサポートするUEである。
【０９０８】
第1のアップリンク-ダウンリンク構成は、UEの第1のグループに適用されるアップリンク-ダウンリンク構成である。このUEは、第2のグループのUEであるが、第1のアップリンク-ダウンリンク構成は、UEの第1のグループの形に従って、すなわち、上位レイヤシグナリングを受信することによって、獲得され得、好ましくは、UEは、SIB1を受信することによって、第1のアップリンク-ダウンリンク構成を獲得する。
【０９０９】
第2のアップリンク-ダウンリンク構成は、UEの第2のグループに適用されるアップリンク-ダウンリンク構成である。第2のアップリンク-ダウンリンク構成は、アップリンク-ダウンリンクサブフレーム割当を示すのに使用され得、これに対応して、UEは、物理レイヤシグナリングを受信することによって、第2のアップリンク-ダウンリンク構成を獲得することができる。代替案では、好ましくは、第2のアップリンク-ダウンリンク構成は、基準アップリンク-ダウンリンク構成(reference UL-DL configuration)であり、基準アップリンク-ダウンリンク構成は、UEのHARQタイミングを決定するのに使用される。UEは、上位レイヤシグナリング(たとえば、RRCシグナリング)を受信することによって第2のアップリンク-ダウンリンク構成を獲得することができ、あるいは、基準アップリンク-ダウンリンク構成がアップリンク-ダウンリンク構成5またはアップリンク-ダウンリンク構成2であることが標準規格において事前に定義され、あるいは、基準アップリンク-ダウンリンク構成を決定するルールが、標準規格において事前に定義され、基地局とUEとの両方が、このルールに従って基準アップリンク-ダウンリンク構成を決定する。たとえば、スイッチングの前後の2つのアップリンク-ダウンリンク構成の両方が、5msのダウンリンクからアップリンクへのスイッチングポイント期間に属する時に、アップリンク-ダウンリンク構成2が、基準アップリンク-ダウンリンク構成として使用され、スイッチングの前後の2つのアップリンク-ダウンリンク構成のいずれかが、10msのダウンリンクからアップリンクへのスイッチングポイント期間に属する時には、アップリンク-ダウンリンク構成5が、基準アップリンク-ダウンリンク構成として使用される。
【０９１０】
第1の決定モジュール702は、第2のアップリンク-ダウンリンク構成のHARQタイミングに従って第5のダウンリンクサブフレームを決定するように構成され、ここで、第5のダウンリンクサブフレームは、第1のアップリンクサブフレームに関連する。
【０９１１】
第5のダウンリンクサブフレームは、第1のアップリンクサブフレームに関連する、すなわち、第5のダウンリンクサブフレーム内で送信されるPDSCHのHARQフィードバック情報(PDCCHによってスケジューリングされる)またはダウンリンクSPSリリースシグナリングは、第1のアップリンクサブフレーム内で搬送される。特定の詳細は、実施形態3におけるS301の詳細と同一であり、ここでは繰り返さない。
【０９１２】
受信モジュール703は、基地局によって送信された第4のシグナリングを受信するように構成され、第5のダウンリンクサブフレームのPUCCHリソースパラメータを決定し、ここで、PUCCHリソースパラメータは、M、m、および
【０９１３】
【数２９５】
0006629727.tif 000298
【０９１４】
を含み、または、PUCCHリソースパラメータは、M、m、およびNΔを含み、第4のシグナリングは、PUCCHリソースパラメータを示し、または、第4のシグナリングは、M、m、および
【０９１５】
【数２９６】
0006629727.tif 000299
【０９１６】
のうちの少なくとも1つのパラメータを示し、または、第4のシグナリングは、M、m、およびNΔのうちの少なくとも1つのパラメータを示す。
【０９１７】
第4のシグナリングは、上位レイヤシグナリングとすることができ、あるいは、物理レイヤシグナリングとすることができる。第4のシグナリングが、物理レイヤシグナリングである時に、第4のシグナリングは、PDCCH/ePDCCHを使用することによって搬送され、たとえば、第4のシグナリングおよびアップリンク-ダウンリンクサブフレーム構成を示すためのシグナリングが、1つのPDCCHを共有することができる。
【０９１８】
UEは、第4のシグナリングに従って第5のダウンリンクサブフレームのPUCCHリソースパラメータを決定し、第4のシグナリング内に含まれないPUCCHリソースパラメータは、事前定義のルール、たとえば実施形態2において説明されたルールに従って、UEによって決定される。
【０９１９】
第2の決定モジュール704は、第5のダウンリンクサブフレーム内で第3のPDCCHを受信し、M、m、および
【０９２０】
【数２９７】
0006629727.tif 000300
【０９２１】
に従って、第1のアップリンクサブフレーム内に配置される第5のPUCCHリソースを決定するように構成され、ここで、第5のPUCCHリソースは、第3のPDCCHによってスケジューリングされたPDSCHのHARQフィードバック情報または第3のPDCCHによって示されたダウンリンクSPSリリースシグナリングのHARQフィードバック情報によって占められるPUCCHリソースである。
【０９２２】
具体的には、基地局は、式
【０９２３】
【数２９８】
0006629727.tif 000301
【０９２４】
に従って第5のPUCCHリソースを決定し、ここで、
【０９２５】
【数２９９】
0006629727.tif 000302
【０９２６】
は、第5のPUCCHリソースであり、pxは、アンテナポート番号であり、xは、非負の整数であり、
【０９２７】
【数３００】
0006629727.tif 000303
【０９２８】
であり、
【０９２９】
【数３０１】
0006629727.tif 000304
【０９３０】
は、ダウンリンクシステム帯域幅であり、
【０９３１】
【数３０２】
0006629727.tif 000305
【０９３２】
は、リソースブロックの周波数領域サイズであり、cは、{0, 1, 2, 3}に属し、Nc≦nCCE<Nc+1になるようにされ、nCCEは、第3のPDCCHによって占められる第1のCCEの番号であり、
【０９３３】
【数３０３】
0006629727.tif 000306
【０９３４】
は、第5のPUCCHリソースのオフセットである。
【０９３５】
この実施形態において提供されるユーザ機器に関して、適応式の基地局は、構成のより高い柔軟性を有し、現在のサブフレーム構成状況とデータスケジューリング状況とに従って、基地局は、M、m、および
【０９３６】
【数３０４】
0006629727.tif 000307
【０９３７】
のうちの少なくとも1つのパラメータを適応的に構成することができ、これは、基地局の実施の複雑さを増やすのを回避するだけではなく、予約されるPUCCHリソースを大幅に減らすこともできる。
【０９３８】
図21を参照すると、図21は、本願による基地局の第4の実施の形の概略構造図である。この実施の形における基地局は、トランシーバ基地局BTS 701および基地局制御装置BSC 702を含む。トランシーバ基地局701は、基地局制御装置702に結合される。
【０９３９】
トランシーバ基地局701は、無線送信/受信デバイス、アンテナ、および無線インターフェースのためのすべての特殊な信号処理部分を含む。トランシーバ基地局701は、モバイル信号の受信および送信の処理の責任を負うように構成される。
【０９４０】
基地局制御装置702は、第2のアップリンク-ダウンリンク構成を構成するように構成される。第1のアップリンク-ダウンリンク構成は、ユーザ機器UEの第1のグループによって使用されるアップリンク-ダウンリンク構成であり、UEの第1のグループは、動的TDDアップリンク-ダウンリンク構成能力を有しないUE、動的TDDアップリンク-ダウンリンク構成を用いては構成されないUE、またはレガシUEであり、第2のアップリンク-ダウンリンク構成は、UEの第2のグループに適用される、UEの第2のグループのHARQタイミングを示すのに使用される、基準アップリンク-ダウンリンク構成、またはUEの第2のグループのアップリンク-ダウンリンクサブフレーム割当を示すのに使用されるアップリンク-ダウンリンク構成であり、UEの第2のグループは、動的TDDアップリンク-ダウンリンク構成能力を有するUE、動的TDDアップリンク-ダウンリンク構成を用いて構成されるUE、またはより後に公表されたUEである。
【０９４１】
基地局は、UEの第1のグループの第1のアップリンク-ダウンリンク構成を構成する、すなわち、第1のアップリンク-ダウンリンク構成は、UEの第1のグループに適用されるアップリンク-ダウンリンク構成である。基地局は、上位レイヤシグナリングを使用することによって、好ましくは、SIB1(システム情報ブロック1)を使用することによって、第1のアップリンク-ダウンリンク構成のUEの第1のグループを通知することができる。上位レイヤシグナリングは、物理レイヤシグナリングに対する相対的なものであり、上位レイヤからのものであるシグナリングであり、より少ない送信周波数を有し、無線リソース制御(RRC)シグナリング、媒体アクセス制御(MAC)シグナリング、および類似物を含む。
【０９４２】
基地局制御装置702は、UEの第2のグループの第2のアップリンク-ダウンリンク構成を構成する、すなわち、第2のアップリンク-ダウンリンク構成は、UEの第2のグループに適用されるアップリンク-ダウンリンク構成である。第2のアップリンク-ダウンリンク構成は、アップリンク-ダウンリンクサブフレーム割当を示すのに使用され得、言い換えると、アップリンク-ダウンリンクデータを送信するのに使用され得るサブフレームを示すのに使用され得る。それに対応して、第2のアップリンク-ダウンリンク構成は、相対的に動的な形で変化し、基地局は、物理レイヤシグナリングを使用することによって、第2のアップリンク-ダウンリンク構成についてUEの第2のグループに通知することができる。代替案では、好ましくは、第2のアップリンク-ダウンリンク構成は、基準アップリンク-ダウンリンク構成であり、基準アップリンク-ダウンリンク構成は、UEのHARQタイミングを決定するのに使用される。動的TDDアップリンク-ダウンリンク構成の応用シナリオにおいて、アップリンク-ダウンリンク構成は、動的に変化することができ、これに対応して、HARQタイミングも動的に変化する。この形で、アップリンク-ダウンリンク構成が変化しつつある期間内に、いくつかのダウンリンクパケットに関するHARQフィードバック情報が送信され得ないことが引き起こされ、したがって、基準アップリンク-ダウンリンク構成が導入され、アップリンク-ダウンリンク構成が変化する場合であっても、UEは、この構成に従ってHARQタイミングをも決定し、これによって、ダウンリンクパケットに関するHARQフィードバック情報が、アップリンク-ダウンリンク構成が変化しつつある期間内に送信され得ないという問題を回避する。好ましくは、基準アップリンク-ダウンリンク構成は、ダウンリンクサブフレームの量が、アップリンクサブフレームの量より多い構成、たとえば、アップリンク-ダウンリンク構成5またはアップリンク-ダウンリンク構成2である。基準アップリンク-ダウンリンク構成を構成する、3つの方法がある。1.基地局は、上位レイヤシグナリング(たとえば、RRCシグナリング)を使用することによって、第2のアップリンク-ダウンリンク構成についてUEの第2のグループに通知することができる。2.基準アップリンク-ダ
ウンリンク構成が、アップリンク-ダウンリンク構成5またはアップリンク-ダウンリンク構成2であることが、標準規格において事前に定義されている。3.基準アップリンク-ダウンリンク構成を決定するルールが、標準規格において事前に定義され、基地局とUEとの両方が、このルールに従って基準アップリンク-ダウンリンク構成を決定する。たとえば、スイッチングの前と後との2つのアップリンク-ダウンリンク構成の両方が、5msのダウンリンクからアップリンクへのスイッチングポイント期間に属する時には、アップリンク-ダウンリンク構成2が、基準アップリンク-ダウンリンク構成として使用され、スイッチングの前後の2つのアップリンク-ダウンリンク構成のいずれかが、10msのダウンリンクからアップリンクへのスイッチングポイント期間に属する時には、アップリンク-ダウンリンク構成5が、基準アップリンク-ダウンリンク構成として使用される。
【０９４３】
基地局制御装置702は、第2のアップリンク-ダウンリンク構成のHARQタイミングに従って第5のダウンリンクサブフレームを決定するように構成され、ここで、第5のダウンリンクサブフレームは、第1のアップリンクサブフレームに関連する。
【０９４４】
たとえば、第5のダウンリンクサブフレームは、第1のアップリンクサブフレームに関連する、すなわち、第5のダウンリンクサブフレーム内で送信されるPDSCHのHARQフィードバック情報(PDCCHによってスケジューリングされる)またはダウンリンクSPSリリースシグナリングは、第1のアップリンクサブフレーム内で搬送される。基地局制御装置702は、複数のダウンリンクサブフレームのHARQフィードバック情報を、第2のアップリンク-ダウンリンク構成のHARQタイミングに従って第1のアップリンクサブフレーム内で送信する必要がある場合がある。本明細書で議論される第5のダウンリンクサブフレームは、複数のダウンリンクサブフレームのうちの任意のダウンリンクサブフレームとすることができ、一般性を有する。たとえば、第2のアップリンク-ダウンリンク構成は、構成1であり、第2のアップリンク-ダウンリンク構成のHARQタイミングに従って、そのサブフレーム番号が5および6であるダウンリンクサブフレームのHARQフィードバック情報は、そのサブフレーム番号が2であるアップリンクサブフレーム内でフィードバックされ、したがって、第5のダウンリンクサブフレームを、ダウンリンクサブフレーム5とすることができ、あるいは、ダウンリンクサブフレーム6とすることができる。
【０９４５】
基地局制御装置702は、第5のダウンリンクサブフレームのPUCCHリソースパラメータを構成するように構成され、ここで、PUCCHリソースパラメータは、M、m、および
【０９４６】
【数３０５】
0006629727.tif 000308
【０９４７】
を含み、あるいは、PUCCHリソースパラメータは、M、m、およびNΔを含む。
【０９４８】
たとえば、基地局制御装置702は、現在のサブフレーム構成状況に従って適応的にMを構成することができ、ここで、Mは、正の整数である。Mは、第5のダウンリンクサブフレームに対応するPUCCHリソース領域の離散レベルを示す。上で議論したように、あるダウンリンクサブフレーム集合が複数のダウンリンクサブフレームを有する時に、その複数のダウンリンクサブフレームのPUCCHリソース領域は、交互に交替する形で分散される。たとえば、第5のダウンリンクサブフレームに対応するPUCCHリソース領域は、3つの片または4つの片に分割され、基地局が、M=1を構成する時には、PUCCHリソース領域の3つの片または4つの片は、連続し、基地局が、M>1を構成する時には、PUCCHリソース領域の3つの片または4つの片は、離散的であり、ここで、Mのより大きい値は、より高い離散レベルを示す。
【０９４９】
mは、第5のダウンリンクサブフレームのシーケンス番号であり、ここで、mは、非負の整数であり、Mより小さい。たとえば、M=1の時には、基地局は、第5のダウンリンクサブフレームのシーケンス番号が0であることだけを構成することができ、M=2の時には、基地局は、第5のダウンリンクサブフレームのシーケンス番号が0または1であることを構成することができる。
【０９５０】
【数３０６】
0006629727.tif 000309
【０９５１】
は、第5のダウンリンクサブフレームに対応するPUCCHリソース領域のオフセットであり、
【０９５２】
【数３０７】
0006629727.tif 000310
【０９５３】
は、非負の整数であり、NΔは、非負の整数であり、
【０９５４】
【数３０８】
0006629727.tif 000311
【０９５５】
は、UEの第1のグループのために構成されたPUCCHリソースのオフセットである。基地局は、
【０９５６】
【数３０９】
0006629727.tif 000312
【０９５７】
またはNΔを適応的に構成することができ、あるいは、実施形態1のステップS1052で与えられる方法を使用することによって、
【０９５８】
【数３１０】
0006629727.tif 000313
【０９５９】
またはNΔを構成することができる。
【０９６０】
基地局制御装置702は、第4のシグナリングを送信し、ここで、第4のシグナリングは、PUCCHリソースパラメータを示し、あるいは、第4のシグナリングは、M、m、および
【０９６１】
【数３１１】
0006629727.tif 000314
【０９６２】
のうちの少なくとも1つのパラメータを示し、あるいは、第4のシグナリングは、M、m、およびNΔのうちの少なくとも1つのパラメータを示す。
【０９６３】
第4のシグナリングは、上位レイヤシグナリングとすることができ、あるいは、物理レイヤシグナリングとすることができる。第4のシグナリングが、物理レイヤシグナリングである時に、第4のシグナリングは、PDCCH/ePDCCHを使用することによって搬送され、たとえば、第4のシグナリングおよびアップリンク-ダウンリンクサブフレーム構成を示すためのシグナリングが、1つのPDCCHを共有することができる。
【０９６４】
基地局制御装置702は、第1のアップリンクサブフレーム内で、M、m、および
【０９６５】
【数３１２】
0006629727.tif 000315
【０９６６】
に従って、第1のアップリンクサブフレーム内に配置される第5のPUCCHリソース領域を決定するよう構成され、ここで、第5のPUCCHリソース領域は、第5のダウンリンクサブフレームに関するHARQフィードバック情報のために予約されるリソース領域である。
【０９６７】
具体的には、基地局制御装置702は、式
【０９６８】
【数３１３】
0006629727.tif 000316
【０９６９】
に従って第5のPUCCHリソース領域を決定し、ここで、
【０９７０】
【数３１４】
0006629727.tif 000317
【０９７１】
は、第5のPUCCHリソース領域内のPUCCHリソースであり、pxは、アンテナポート番号であり、xは、非負の整数であり、
【０９７２】
【数３１５】
0006629727.tif 000318
【０９７３】
であり、
【０９７４】
【数３１６】
0006629727.tif 000319
【０９７５】
は、ダウンリンクシステム帯域幅であり、
【０９７６】
【数３１７】
0006629727.tif 000320
【０９７７】
は、リソースブロックの周波数領域サイズであり、cは、{0, 1, 2, 3}に属し、Nc≦nCCE<Nc+1になるようにされ、nCCEは、第5のダウンリンクサブフレーム内で送信されるPDCCHによって占められる第1のCCEの番号であり、
【０９７８】
【数３１８】
0006629727.tif 000321
【０９７９】
は、第5のPUCCHリソース領域のオフセットである。
【０９８０】
この実施形態において提供される基地局は、構成のより高い柔軟性を有し、現在のサブフレーム構成状況とデータスケジューリング状況とに従って、基地局は、M、m、および
【０９８１】
【数３１９】
0006629727.tif 000322
【０９８２】
のうちの少なくとも1つのパラメータを適応的に構成することができ、これは、基地局の実施の複雑さを増やすのを回避するだけではなく、予約されるPUCCHリソースを大幅に減らすこともできる。たとえば、システム内のUEの第1のグループが、非常に少ない量を有するか、UEの第1グループが、限られたダウンリンクサブフレーム内でのみ送信を実行する(たとえば、UEの第1のグループが、ダウンリンクサブフレーム0、1、5、および6内で送信を実行する可能性があるが、基地局が、サブフレーム0内でのみUEの第1のグループをスケジューリングする)時には、基地局は、UEの第2のグループのために予約されるPUCCHリソース領域とUEの第1のグループのために予約されるPUCCHリソース領域とが部分的にオーバーラップしまたは完全にオーバーラップすることを可能にするために、M、m、および
【０９８３】
【数３２０】
0006629727.tif 000323
【０９８４】
のうちの少なくとも1つのパラメータを構成することができる。
【０９８５】
図22を参照すると、図22は、本願によるユーザ機器の第4の実施の形の概略構造図である。この実施の形におけるユーザ機器800は、受信器801、プロセッサ802、メモリ803、および送信器804を含む。UEは、第2のグループのUEであり、UEの第2のグループは、動的TDDアップリンク-ダウンリンク構成能力を有するUE、動的TDDアップリンク-ダウンリンク構成を用いて構成されるUE、またはより後に公表されたUEであり、第1のアップリンク-ダウンリンク構成は、ユーザ機器UEの第1のグループによって使用されるアップリンク-ダウンリンク構成であり、UEの第1のグループは、動的TDDアップリンク-ダウンリンク構成能力を有しないUE、動的TDDアップリンク-ダウンリンク構成を用いては構成されないUE、またはレガシUEであり、第2のアップリンク-ダウンリンク構成は、UEの第2のグループに適用される、UEの第2のグループのHARQタイミングを示すのに使用される、基準アップリンク-ダウンリンク構成、またはUEの第2のグループのアップリンク-ダウンリンクサブフレーム割当を示すのに使用されるアップリンク-ダウンリンク構成である。
【０９８６】
受信器801は、無線の形でデータを受信することができる。
【０９８７】
プロセッサ802は、ユーザ機器800の動作を制御し、プロセッサ802は、CPU(Central Processing Unit、中央処理装置)と呼ばれる場合もある。プロセッサ802は、集積回路チップとすることができ、信号処理能力を有する。プロセッサ802を、汎用プロセッサ、ディジタル信号プロセッサ(DSP)、特定用途向け集積回路(ASIC)、フィールドプログラマブルゲートアレイ(FPGA)もしくは別のプログラマブル論理デバイス、ディスクリートゲートもしくはトランジスタ論理デバイス、またはディスクリートハードウェアコンポーネントとすることができる。汎用プロセッサを、マイクロプロセッサとすることができ、あるいは、プロセッサを、任意の従来のプロセッサおよび類似物とすることができる。
【０９８８】
メモリ803は、読取専用メモリおよびランダムアクセスメモリを含むことができ、命令およびデータをプロセッサ802に供給する。メモリ803の一部が、不揮発性ランダムアクセスメモリ(NVRAM)をさらに含むことができる。
【０９８９】
送信器804は、無線の形でデータを送信することができる。
【０９９０】
ユーザ機器800のコンポーネントは、バスシステム805を使用することによって一緒に結合され、ここで、データバスに加えて、バスシステム805は、電力バス、制御バス、状況信号バス、および類似物をさらに含むことができる。しかし、明瞭な説明のために、図内の様々なタイプのバスは、すべてがバスシステム805としてマークされている。
【０９９１】
メモリ803は、下記の要素、実行可能モジュール、もしくはデータ構造、またはそのサブセットもしくはその拡張されたセットを記憶する。
動作命令:様々な動作を実施するのに使用される、様々な動作命令を含む、および
オペレーティングシステム:様々な基本サービスを実施し、ハードウェアベースのタスクを処理するように構成された、様々なシステムプログラムを含む。
【０９９２】
本発明のこの実施形態において、プロセッサ802は、メモリ803内に記憶された動作命令(動作命令は、オペレーティングシステム内に記憶され得る)を呼び出すことによって、以下の動作を実行する。
受信器801によって、第2のアップリンク-ダウンリンク構成を獲得し、プロセッサ802によって、第2のアップリンク-ダウンリンク構成のHARQタイミングに従って第5のダウンリンクサブフレームを決定することであって、ここで、第5のダウンリンクサブフレームは、第1のアップリンクサブフレームに関連する、決定することと、受信器801によって、基地局によって送信された第4のシグナリングを受信し、第5のダウンリンクサブフレームのPUCCHリソースパラメータを決定することであって、ここで、PUCCHリソースパラメータは、M、m、および
【０９９３】
【数３２１】
0006629727.tif 000324
【０９９４】
を含み、または、PUCCHリソースパラメータは、M、m、およびNΔを含み、第4のシグナリングは、PUCCHリソースパラメータを示し、または、第4のシグナリングは、M、m、および
【０９９５】
【数３２２】
0006629727.tif 000325
【０９９６】
のうちの少なくとも1つのパラメータを示し、または、第4のシグナリングは、M、m、およびNΔのうちの少なくとも1つのパラメータを示す、受信し、決定することと、受信器801によって、第5のダウンリンクサブフレーム内で第3のPDCCHを受信し、プロセッサ802によって、M、m、および
【０９９７】
【数３２３】
0006629727.tif 000326
【０９９８】
に従って、第1のアップリンクサブフレーム内に配置される第5のPUCCHリソースを決定することであって、ここで、第5のPUCCHリソースは、第3のPDCCHによってスケジューリングされたPDSCHのHARQフィードバック情報または第3のPDCCHによって示されたダウンリンクSPSリリースシグナリングのHARQフィードバック情報によって占められるPUCCHリソースである、受信し、決定することと。
【０９９９】
本発明の前述の実施形態において開示された方法は、プロセッサ802に適用され得、あるいは、プロセッサ802を使用することによって実施され得る。実施プロセスにおいて、前述の方法のステップは、プロセッサ802内のハードウェア集積論理回路またはソフトウェアの形の命令を使用することによって完了され得る。プロセッサ802は、本発明の実施形態において開示される方法、ステップ、および論理ブロック図を実施しまたは実行することができる。本発明の実施形態に関連して開示される方法のステップは、ハードウェア復号式プロセッサによって直接に実行され、完了され得、あるいは、復号式プロセッサ内のハードウェアモジュールとソフトウェアモジュールとの組合せを使用することによって実行され、完了され得る。ソフトウェアモジュールは、ランダムアクセスメモリ、フラッシュメモリ、読取専用メモリ、プログラマブル読取専用メモリ、電気的消去可能プログラマブルメモリ、またはレジスタなど、当技術分野において成熟した記憶媒体内に配置され得る。記憶媒体は、メモリ803内に配置され、プロセッサ802は、メモリ803内の情報を読み取り、プロセッサ802のハードウェアと組み合わせて前述の方法のステップを完了する。
【１０００】
この実施形態において提供されるユーザ機器に関して、適応式の基地局は、構成のより高い柔軟性を有し、現在のサブフレーム構成状況とデータスケジューリング状況とに従って、基地局は、M、m、および
【１００１】
【数３２４】
0006629727.tif 000327
【１００２】
のうちの少なくとも1つのパラメータを適応的に構成することができ、これは、基地局の実施の複雑さを増やすのを回避するだけではなく、予約されるPUCCHリソースを大幅に減らすこともできる。
【１００３】
本願で提供される複数の実施の形において、開示されるシステム、装置、および方法が、他の形で実施され得ることを理解されたい。たとえば、説明される装置実施形態は、単に例示的である。たとえば、モジュールまたはユニットの分割は、単に論理的な機能分割であり、実際の実施態様において他の分割とされ得る。たとえば、複数のユニットまたはコンポーネントを、組み合わせるか別のシステムに一体化することができ、あるいは、いくつかの特徴を、無視しまたは実行されないものとすることができる。さらに、表示されまたは議論される相互結合、直接結合、または通信接続を、何らかのインターフェースを使用することによって実施することができる。装置またはユニットの間の間接結合または通信接続を、電子的な形、機械的な形、または他の形で実施することができる。
【１００４】
別々の部分として説明されたユニットは、物理的に別々であってもなくてもよく、複数のユニットとして表示された部分が、物理ユニットであってもなくてもよく、1つの位置に配置されてもよく、複数のネットワークユニット上に分散されてもよい。ユニットの一部またはすべてを、実施の形の解決策の目的を達成するための実際の必要に従って選択することができる。
【１００５】
さらに、本願の実施形態の複数の機能ユニットを、1つの処理ユニットに一体化することができ、あるいは、ユニットのそれぞれが、物理的に単独で存在することができ、あるいは、複数のユニットが、1つのユニットに一体化される。一体化されたユニットを、ハードウェアの形で実施することができ、あるいは、ソフトウェア機能ユニットの形で実施することができる。
【１００６】
一体化されたユニットが、ソフトウェア機能ユニットの形で実施され、独立の製品として販売されまたは使用される時には、その一体化されたユニットを、コンピュータ可読記憶媒体に記憶することができる。そのような理解に基づいて、本願の技術的解決策を本質的に、または従来技術に寄与する部分を、または技術的解決策のすべてもしくは一部を、ソフトウェア製品の形で実施することができる。ソフトウェア製品は、記憶媒体に記憶され、本願の実施形態で説明された方法のステップのすべてまたは一部を実行するようにコンピュータデバイス(パーソナルコンピュータ、サーバ、ネットワークデバイス、または類似物とすることができる)またはプロセッサに指示する複数の命令を含む。前述の記憶媒体は、USBフラッシュドライブ、ポータブルハードディスク、読取専用メモリ(ROM)、ランダムアクセスメモリ(RAM)、磁気ディスク、または光ディスクなど、プログラムコードを記憶することができる任意の媒体を含む。
【符号の説明】
【１００７】
110  基地局
120  UEの第1のグループ
130  UEの第2のグループ
210  第1の決定モジュール
220  第1の割当モジュール
230  第2の決定モジュール
240  第2の割当モジュール
241  第1の決定ユニット
243  第2の決定ユニット
245  割当ユニット
310  第1の決定モジュール
320  第1の割当モジュール
330  第2の決定モジュール
340  第2の割当モジュール
341  第1の決定ユニット
343  第2の決定ユニット
345  割当ユニット
410  トランシーバ基地局BTS
420  基地局制御装置BSC
500  ユーザ機器
501  受信器
502  プロセッサ
503  メモリ
504  送信器
505  バスシステム
601  第1の構成モジュール
602  第1の決定モジュール
603  第2の構成モジュール
604  送信モジュール
605  第2の決定モジュール
701  獲得モジュール、トランシーバ基地局BTS
702  第1の決定モジュール、基地局制御装置BSC
703  受信モジュール
704  第2の決定モジュール
800  ユーザ機器
801  受信器
802  プロセッサ
803  メモリ
804  送信器
805  バスシステム
【図１】
0006629727.tif 000396
【図２】
0006629727.tif 000397
【図３】
0006629727.tif 000398
【図４】
0006629727.tif 000399
【図５】
0006629727.tif 000400
【図６】
0006629727.tif 000401
【図７】
0006629727.tif 000402
【図８】
0006629727.tif 000403
【図９】
0006629727.tif 000404
【図１０】
0006629727.tif 000405
【図１１】
0006629727.tif 000406
【図１２】
0006629727.tif 000407
【図１３】
0006629727.tif 000408
【図１４】
0006629727.tif 000409
【図１５】
0006629727.tif 000410
【図１６】
0006629727.tif 000411
【図１７】
0006629727.tif 000412
【図１８】
0006629727.tif 000413
【図１９】
0006629727.tif 000414
【図２０】
0006629727.tif 000415
【図２１】
0006629727.tif 000416
【図２２】
0006629727.tif 000417